(57)【要約】本発明は、ＳＬＩＣ−１核酸分子と命名された単離された核酸分子を提供する。この核酸分子は、新規のＰ−セレクチン糖タンパク質リガンド（ＰＳＧＬ−１）結合分子をコードする。本発明はまた、アンチセンス核酸分子、ＳＬＩＣ−１核酸分子を含む組換え発現ベクター、発現ベクターが導入された宿主細胞、およびＳＬＩＣ−１遺伝子が導入または破壊された非ヒトトランスジェニック動物を提供する。本発明は、なおさらに、単離されたＳＬＩＣ−１タンパク質、融合タンパク質、抗原性ペプチド、および抗ＳＬＩＣ−１抗体を提供する。本発明の組成物を利用する診断方法もまた提供される。【特許請求の範囲】
【請求項１】
配列番号１に示されるヌクレオチド配列を含む、単離された核酸分子。
【請求項２】
配列番号２に示されるアミノ酸配列を含むポリペプチドをコードする、単離された核酸分子。
【請求項３】
登録番号＿＿＿＿としてＡＴＣＣ（登録商標）に寄託されたプラスミドに含まれるヌクレオチド配列を含む、単離された核酸分子。
【請求項４】
配列番号２に示されるアミノ酸配列を含むポリペプチドの天然に存在する対立遺伝子改変体をコードする、単離された核酸分子。
【請求項５】
以下からなる群より選択される、単離された核酸分子：
ａ）　配列番号１のヌクレオチド配列に、少なくとも６０％同一であるヌクレオチド配列を含む核酸分子、またはその相補鎖；
ｂ）　配列番号１のヌクレオチド配列を含む核酸の、少なくとも５０のヌクレオチドのフラグメントを含む核酸分子、またはその相補鎖；
ｃ）　配列番号２のアミノ酸配列に、少なくとも約６０％同一であるアミノ酸配列を含むポリペプチドをコードする核酸分子；および
ｄ）　配列番号２のアミノ酸配列を含むポリペプチドのフラグメントをコードする核酸分子であって、ここで、該フラグメントは、配列番号２のアミノ酸配列の少なくとも１５の連続するアミノ酸残基を含む、核酸分子。
【請求項６】
請求項１〜５のいずれか１項に記載の核酸分子に、ストリンジェントな条件下でハイブリダイズする、単離された核酸分子。
【請求項７】
請求項１〜５のいずれか１項に記載の核酸分子のヌクレオチド配列に相補的であるヌクレオチド配列を含む、単離された核酸分子。
【請求項８】
請求項１〜５のいずれか１項に記載の核酸分子、および異種ポリペプチドをコードするヌクレオチド配列を含む、単離された核酸分子。
【請求項９】
請求項１〜５のいずれか１項に記載の核酸分子を含む、ベクター。
【請求項１０】
発現ベクターである、請求項９に記載のベクター。
【請求項１１】
請求項１０に記載の発現ベクターを用いてトランスフェクトした、宿主細胞。
【請求項１２】
ポリペプチドを産生する方法であって、該方法は、適切な培養培地中で請求項１１に記載の宿主細胞を培養して、それにより、該ポリペプチドを産生する工程を包含する、方法。
【請求項１３】
以下からなる群より選択される、単離されたポリペプチド：
ａ）　配列番号２のアミノ酸配列を含むポリペプチドのフラグメントであって、ここで、該フラグメントは、配列番号２の少なくとも１５の連続するアミノ酸を含む、フラグメント；
ｂ）　配列番号２のアミノ酸配列を含む、ポリペプチドの天然に存在する対立遺伝子改変体であって、ここで、該ポリペプチドは、配列番号１からなる核酸分子に、ストリンジェントな条件下でハイブリダイズする核酸分子によりコードされる、対立遺伝子改変体；
ｃ）　配列番号１のヌクレオチド配列を含む核酸に、少なくとも６０％同一であるヌクレオチド配列を含む核酸分子によりコードされる、ポリペプチド；
ｄ）　配列番号２のアミノ酸配列に、少なくとも６０％同一であるアミノ酸配列を含むポリペプチド。
【請求項１４】
配列番号２のアミノ酸配列を含む、請求項１３に記載の単離されたポリペプチド。
【請求項１５】
異種アミノ酸配列をさらに含む、請求項１３に記載のポリペプチド。
【請求項１６】
請求項１３に記載のポリペプチドに選択的に結合する、抗体。
【請求項１７】
サンプルにおいて、請求項１３に記載のポリペプチドの存在を検出するための方法であって、該方法は：
ａ）　該ポリペプチドに選択的に結合する化合物と、該サンプルを接触させる工程；および
ｂ）　該サンプルにおいて、該化合物が、該ポリペプチドに結合するか否かを決定し、それにより、該サンプルにおける請求項１３に記載のポリペプチドの存在を検出する工程、
を包含する、方法。
【請求項１８】
前記ポリペプチドに結合する前記化合物が抗体である、請求項１７に記載の方法。
【請求項１９】
請求項１３に記載のポリペプチドに選択的に結合する化合物、および使用のための指示書を含む、キット。
【請求項２０】
サンプルにおける、請求項１〜５のいずれか１項に記載の核酸分子の存在を検出するための方法であって、該方法は：
ａ）　該核酸分子に選択的にハイブリダイズする核酸プローブまたはプライマーと、該サンプルを接触させる工程；および
ｂ）　該サンプルにおいて、該核酸プローブまたはプライマーが、該核酸分子に結合するか否かを決定し、それにより、該サンプルにおける請求項１〜５のいずれか１項に記載の核酸分子の存在を検出する工程、
を包含する、方法。
【請求項２１】
前記サンプルがｍＲＮＡ分子を含み、そして核酸プローブと接触される、請求項２０に記載の方法。
【請求項２２】
請求項１〜５のいずれか１項に記載の核酸分子に選択的にハイブリダイズする化合物、および使用のための指示書を含む、キット。
【請求項２３】
請求項１３に記載のポリペプチドに結合する化合物を同定するための方法であって、該方法は、以下：
ａ）　該ポリペプチドまたは該ポリペプチドを発現する細胞を、試験化合物と接触させる工程；および
ｂ）　該ポリペプチドが、該試験化合物に結合するか否かを決定する工程；を包含する、方法。
【請求項２４】
請求項２３の方法であって、ここで、該ポリペプチドに対する該試験化合物の結合は、以下：
ａ）　試験化合物／ポリペプチド結合の直接的検出による結合の検出；
ｂ）　競合的結合アッセイを用いる結合の検出；および
ｃ）　ＳＬＩＣ−１活性についてのアッセイを用いる結合の検出、
からなる群より選択される方法により検出される、方法。
【請求項２５】
請求項１３に記載のポリペプチドの活性を調節するための方法であって、該方法は、該ポリペプチドまたは該ポリペプチドを発現する細胞を、該ポリペプチドに結合する化合物と、該ポリペプチドの活性を調節するのに十分な濃度で接触させる工程、を包含する、方法。
【請求項２６】
請求項１３に記載のポリペプチドの活性を調節する化合物を同定するための方法であって、該方法は：
ａ）　請求項１３に記載のポリペプチドを、試験化合物と接触させる工程；および
ｂ）　該ポリペプチドの活性に対する、該試験化合物の効果を決定し、それにより該ポリペプチドの活性を調節する化合物を同定する、工程、
を包含する、方法。
【発明の詳細な説明】
【０００１】
（関連出願）
本願は、米国仮出願第６０／１９２，１０４号（２０００年３月２４日出願）の優先権を主張し、これは、その全体が本明細書において参考として援用される。
【０００２】
（発明の背景）
接着およびシグナル伝達事象に関する複数のプロセスは、感染または組織創傷に対する炎症応答を調節する。炎症の間、白血球は、血管内皮に付着して、内皮下の組織に入り、標的細胞上のリガンドに対する、セレクチンまたはＬＥＣ−ＣＡＭクラスのタンパク質の特異的な結合によって媒介される相互作用を行う（Ｌｏｗｅ，ＪＢら、１９９７　Ｊ．Ｃｌｉｎ．Ｉｎｖｅｓｔ．９９：８２２−８２６）。このようなセレクチン媒介細胞接着はまた、血栓の障害および寄生生物疾患において生じ、そして腫瘍細胞の転移性の拡散に関連し得る（Ｌｅｗｅ，ＪＢ．ら、１９９７　Ｊ．Ｃｌｉｎ．Ｉｎｖｅｓｔ．９９：８２−８２６）。
【０００３】
セレクチンタンパク質は、Ｎ末端のレクチン様ドメイン、上皮増殖因子様ドメイン、および補体結合タンパク質と相同な領域によって特徴付けられる（Ｂｅｖｉｌａｃｑｕａ，ＭＰら、１９９３　Ｊ．Ｃｌｉｎ．Ｉｎｖｅｓｔ．９１：３７９−３８７）。これまでに、３つのヒトセレクチンタンパク質、Ｅ−セレクチン（以前にはＥＬＡＭ−１）、Ｌ−セレクチン（以前にはＬＡＭ−１）およびＰ−セレクチン（以前にはＰＡＤＧＥＭまたはＧＭＰ−１４０）が同定されている。Ｅ−セレクチンは、サイトカインによる活性化の数時間後に内皮細胞上で誘導され、好中球と内皮との間のカルシウム依存的な相互作用を媒介する。Ｌ−セレクチンは、リンパ球ホーミングレセプターであり、そしてＰ−セレクチンは、血小板が活性化された場合に血小板の細胞表面に迅速に現れ、血小板への好中球または単核球のカルシウム依存的な接着を媒介する。Ｐ−セレクチンはまた、内皮細胞のヴァイベル−パラーデ小体において見出される；これらの小胞からの放出に際して、Ｐ−セレクチンは、ヒスタミン刺激内皮またはトロンビン刺激内皮に対する好中球の初期の結合を媒介する。
【０００４】
セレクチンは、標的細胞の表面上に存在するリガンドとの特異的な相互作用を介して接着を媒介すると考えられる（Ｖａｒｋｉ，Ａ．Ｊ．１９９７　Ｊ．Ｃｌｉｎ．Ｉｎｖｅｓｔ．９９：１５８−１６２）。一般に、セレクチンのリガンドは、少なくとも部分的に炭水化物部分（例えば、シアリルＬｅｗｉｓｘおよびシアリルＬｅｗｉｓａ、ヘパラン硫酸）からなり、そして各セレクチンは、異なる親和性で炭水化物の範囲に結合するようである。セレクチンが媒介する接着事象の強度（結合親和性）はまた、炭水化物の密度に依存し得、そして細胞表面上のセレクチン密度に依存し得る。例えば、Ｐ−セレクチンは、Ｌｅｗｉｓｘ血液型抗原の非シアル化形態を含む炭水化物に、シアリルＬｅｗｉｓｘに対してよりも高い親和性で結合する。Ｐ−セレクチンはまた、スルファチドを認識し得、スルファチドは、不均質な３−硫酸化ガラクトシルセラミド（脂質抽出によって骨髄細胞および腫瘍細胞から単離された）である。さらに、ＰＳＧＬ−１糖タンパク質は、ヒト内皮細胞および血小板上のＰ−セレクチンのリガンドとして作用する（米国特許第５，８２７，８１７号）。
【０００５】
活性化血小板または内皮への白血球の最初の係留は、部分的にＰＳＧＬ−１／ＣＤ１６２によって媒介される。ＰＳＧＬ−１は、ムチン様糖タンパク質であり、造血起源のほとんどの細胞の表面上に発現し、細胞接着分子として機能する。ＰＳＧＬ−１は、正常には約２４０ｋＤの明白な分子量を有するジスルフィド結合したホモ二量体として存在する。ＰＳＧＬ−１は、Ｐ−セレクチンに対する独自の高親和性のリガンドであり、Ｅ−セレクチンおよびＬ−セレクチンに対するより低い親和性が知られるいくつかのリガンドのうちの１つである。ＰＳＧＬ−１は、セリン、トレオニン（ｔｈｅｒｏｎｉｎｅ）およびプロリンリッチな細胞外ドメインを有し、これは、１０個の部分からなる反復を１５個含み、ならびにチロシン硫酸化のための推定部位を含む（ＭｃＥｖｅｒ，ＲＰら、１９９７、Ｊ．Ｃｌｉｎ．Ｉｎｖｅｓｔ．１００：４８５−４９１）。Ｐ−セレクチンに対するＰＳＧＬ−１の結合は、ＰＳＧＬ−１が、α２，３−結合シアリン酸およびα１，３−結合フコース（ｆｕｓｏｓｅ）によって改変されることを必要とする。さらに、ＰＳＧＬ−１は、膜貫通ドメインの連結部に位置する１つの細胞外システイン残基を含み、その後に、チロシン、トレオニンおよびセリン残基上の推定のリン酸化部位を含む細胞質ドメインを含む。ヒトおよびマウスのＰＳＧＬ−１タンパク質の比較は、膜貫通ドメインおよび細胞質ドメインが高度に保存されて、これらのドメインの重要な機能を意味することを示す。
【０００６】
種々の報告は、異なる細胞型の表面上のＰＳＧＬ−１の連結が、種々の試薬によって、複数の細胞内タンパク質のリン酸化を含む細胞内シグナル伝達事象を生じるという証拠を提供する。さらに、ＰＳＧＬ−１に対するＰ−セレクチンの結合は、エフェクター応答を誘発する他の媒介因子からのシグナルに統合されるシグナルを生成し得る。例えば、固定されたＰ−セレクチンへのインビトロでのヒト単球の曝露は、ケモカインＲＡＮＴＥＳに対する単球の応答を増大させることが報告されてきた（Ｈｉｄａｒｉ，ＫＩ−Ｐら、１９９７Ｊ．Ｂｉｏｌ．Ｃｈｅｍ．２７２：２８７５０−２８７５６）。多形核白血球（ＰＭＮ）において、ＰＳＧＬ−１媒介シグナル伝達事象は、ＭＡＰキナーゼおよびＲａｓＧＴＰａｓｅの活性化、インターロイキン−８（ＩＬ−８）の分泌ならびにβ２−インテグリンＣＤ１１ｂ／ＣＤ１８の活性化にまた関係する１１０ｋＤのタンパク質の迅速なチロシンリン酸化を含む（Ｅｖａｎｇｅｌｉｓｔａ，Ｖら、１９９９　Ｂｌｏｏｄ　９３：８７６−８８５；Ｈｉｄａｒｉ，ＫＩ−Ｐら、１９９７Ｊ．Ｂｉｏｌ．Ｃｈｅｍ．２７２：２８７５０−２８７５６）。さらに、Ｐ−セレクチンへのＴリンパ球の接着は、局所的な接着キナーゼｐｐ１２５ＦＡＫを含むいくつかの細胞内タンパク質のチロシンリン酸化を誘導することが報告されてきた（ＭｃＥｖｅｒ，ＲＰら、１９９７、Ｊ．Ｃｌｉｎ．Ｉｎｖｅｓｔ．１００：４８５−４９１）。Ｉ型白血球接着不全（ＬＡＤ−１改変体）症候群の改変体（Ｂ１およびＢ２インテグリンによって媒介される白血球接着において欠損を生じる）を有する患者が、報告されてきた。この患者由来の好中球は、ＰＳＧＬ−１の表面発現において７７％の増大を有する。この個体の異常の機構および遺伝的基礎は、いまだ特徴付けられていない（Ｈａｒｒｉｓ，Ｅ．Ｓ．ら（２００１）Ｂｌｏｏｄ　９７：７６７−７７６）。
【０００７】
さらに、白血球の活性化に際して、ＰＳＧＬ−１は、分極した細胞の尾脚（ｕｒｏｐｏｄ）に再分布し得、従って、細胞の再分布の間に細胞骨格要素と相互作用し得る（ＭｃＥｖｅｒ，ＲＰら、１９９７、Ｊ．Ｃｌｉｎ．Ｉｎｖｅｓｔ．１００：４８５−４９１）。表面上にＰＳＧＬ−１を保持する造血前駆細胞（ＨＰＣ）の接着がまた、細胞増殖を阻害し、そして特定の条件下でアポトーシスを誘導することが報告されている。
【０００８】
しかし、現在まで、ＰＳＧＬ−１の細胞質ドメインと相互作用し、そして潜在的にＰＳＧＬ−１の細胞外連結および／またはＰＳＧＬ−１の細胞骨格連結に続く細胞内シグナル伝達を潜在的に媒介する近位の分子の同定は存在なされていない。
【０００９】
（発明の要旨）
本発明は、少なくとも部分的には、ＳＬＩＣ−１（細胞質のセレクチンリガンド相互作用因子（Ｓｅｌｅｃｔｉｎ　Ｌｉｇａｎｄ　Ｉｎｔｒａｃｔｏｒ　Ｃｙｔｏｐｌａｓｍｉｃ））ファミリーの分子の新規メンバーの発見に基づき、この分子は、本明細書中でＳＬＩＣ−１核酸分子およびタンパク質分子といわれる。本発明のＳＬＩＣ−１分子は、種々の細胞性プロセスを調節するための改変剤の開発の標的として有用である。従って、１つの局面において、本発明は、ＳＬＩＣ−１タンパク質をコードする単離された核酸分子およびその生物学的に活性な部分、ならびにＳＬＩＣ−１をコードする核酸の検出のためのプライマーまたはハイブリダイゼーションプローブとして適切な核酸フラグメントを提供する。
【００１０】
１つの実施形態において、本発明のＳＬＩＣ−１核酸分子は、配列番号１に示されるヌクレオチド配列（例えば、このヌクレオチド配列の全長）もしくは受託番号＿としてＡＣＴＴに寄託されたプラスミドのＤＮＡ挿入のヌクレオチド配列、またはこれらの相補体に対して、少なくとも５０％、５５％、６０％、６５％、７０％、７５％、８０％、８５％、９０％、９５％、９６％、９７％、９８％、９９％以上同一である。好ましい実施形態において、単離された核酸分子は、配列番号１に示されるヌクレオチド配列またはその相補体を含む。別の好ましい実施形態において、単離された核酸分子は、配列番号１に示されるヌクレオチド配列からなる。別の好ましい実施形態において、この核酸分子は、配列番号１のヌクレオチド配列またはその相補体の少なくとも５０、１００、１５０、２００、２５０、３００、３５０、４００、４５０、５００、５５０、６００、６５０、７００、７５０、８００、８５０または９００ヌクレオチド（例えば、連続ヌクレオチド）のフラグメントを含む。
【００１１】
別の実施形態において、ＳＬＩＣ−１核酸分子は、配列番号２のアミノ酸配列に対して十分同一なアミノ酸配列を有するタンパク質をコードするヌクレオチド配列、または受託番号＿としてＡＴＣＣに寄託されたプラスミドのＤＮＡ挿入によってコードされるアミノ酸配列を含む。好ましい実施形態において、ＳＬＩＣ−１核酸分子は、配列番号２のアミノ酸配列または受託番号＿としてＡＴＣＣに寄託されたプラスミドのＤＮＡ挿入によってコードされるアミノ酸配列の全長に対して、少なくとも５０％、５５％、６０％、６５％、７０％、７５％、８０％、８５％、９０％、９５％、９６％、９７％、９８％、９９％以上同一なアミノ酸配列を有するタンパク質をコードするヌクレオチド配列を含む。
【００１２】
別の好ましい実施形態において、単離された核酸分子は、ヒトＳＬＩＣ−１のアミノ酸配列をコードする。なお別の好ましい実施形態において、この核酸分子は、配列番号２のアミノ酸配列または受託番号＿としてＡＴＣＣに寄託されたプラスミドのＤＮＡ挿入によってコードされるアミノ酸配列を有するタンパク質をコードするヌクレオチド配列を含む。なお別の好ましい実施形態において、この核酸分子は、少なくとも５０、１００、１５０、２００、２５０、３００、３５０、４００、４５０、５００、５５０、６００、６５０、７００、７５０、８００、８５０または９００ヌクレオチド長である。さらに好ましい実施形態において、この核酸分子は、少なくとも５０、１００、１５０、２００、２５０、３００、３５０、４００、４５０、５００、５５０、６００、６５０、７００、７５０、８００、８５０または９００ヌクレオチド長であり、かつＳＬＩＣ−１活性（本明細書中に記載のような）を有するタンパク質をコードする。
【００１３】
本発明の別の実施形態は、核酸分子、好ましくは、ＳＬＩＣ−１核酸分子を特徴とし、これらは、具体的には、非ＳＬＩＣ−１タンパク質をコードする核酸分子に関係するＳＬＩＣ−１核酸分子を検出する。例えば、１つの実施形態において、このような核酸分子は、少なくとも５０、１００、１５０、２００、２５０、３００、３５０、４００、４５０、５００、５５０、６００、６５０、７００、７５０、８００、８５０、９００以上のヌクレオチド長であり、そして配列番号１に示されたヌクレオチド配列、受託番号＿としてＡＴＣＣに寄託されたプラスミドのＤＮＡ挿入のヌクレオチド配列またはこれらの相補体を含む核酸分子に対して、ストリンジェントなハイブリダイゼーション条件下でハイブリダイズする。
【００１４】
他の好ましい実施形態において、この核酸分子は、配列番号２のアミノ酸配列を含むポリペプチドの天然に存在する対立遺伝子改変体、または受託番号＿としてＡＴＣＣに寄託されたプラスミドのＤＮＡ挿入によってコードされるアミノ酸配列をコードし、ここで、この核酸分子は、ストリンジェントな条件下で、配列番号１を含む核酸分子にハイブリダイズする。
【００１５】
本発明の別の実施形態は、ＳＬＩＣ−１核酸分子（例えば、ＳＬＩＣ−１核酸分子のコード鎖）に対してアンチセンスである、単離された核酸分子を提供する。
【００１６】
本発明の別の局面は、ＳＬＩＣ−１核酸分子を含むベクターを提供する。特定の実施形態において、このベクターは、組換え発現ベクターである。別の実施形態において、本発明は、本発明のベクターを含む宿主細胞を提供する。なお別の実施形態において、本発明は、本発明の核酸分子を含む宿主細胞を提供する。本発明はまた、組換え発現ベクターを含む本発明の宿主細胞（例えば、哺乳動物宿主細胞（例えば、非ヒト哺乳動物細胞））を、適切な培地で培養することによって、タンパク質、好ましくはＳＬＩＣ−１タンパク質を生成するための方法を提供し、その結果、タンパク質が生成される。
【００１７】
本発明の別の局面は、単離されたまたは組換えＳＬＩＣ−１タンパク質およびポリペプチドを特徴とする。１つの実施形態において、単離されたＳＬＩＣ−１タンパク質は、少なくとも１つの免疫レセプターチロシンベースの活性化モチーフ（ｉｍｍｕｎｏｒｅｃｅｐｔｏｒ　ｔｙｒｏｓｉｎｅ−ｂａｓｅｄ　ａｃｔｉｖａｔｉｏｎ　ｍｏｔｉｆ）（ＩＴＡＭ）を含む。
【００１８】
好ましい実施形態において、ＳＬＩＣ−１タンパク質は、少なくとも１つの免疫レセプターチロシンベースの活性化モチーフを含み、そして配列番号２のアミノ酸配列または受託番号＿としてＡＴＣＣに寄託されたプラスミドのＤＮＡ挿入によってコードされるアミノ酸配列に対して少なくとも約５０％、５５％、６０％、６５％、７０％、７５％、８０％、８５％、９０％、９５％、９６％、９７％、９８％、９９％以上同一なアミノ酸配列を有する。
【００１９】
別の好ましい実施形態において、ＳＬＩＣ−１タンパク質は、少なくとも１つの免疫レセプターチロシンベースの活性化モチーフを含み、ＳＬＩＣ−１活性（本明細書中に記載のような）を有する。
【００２０】
なお別の好ましい実施形態において、ＳＬＩＣ−１タンパク質は、少なくとも１つの免疫レセプターチロシンベースの活性化モチーフを含み、配列番号１のヌクレオチド配列を含む核酸分子に対して、ストリンジェントなハイブリダイゼーション条件下でハイブリダイズするヌクレオチド配列を有する核酸分子によってコードされる。
【００２１】
別の実施形態において、本発明は、配列番号２のアミノ酸配列を有するタンパク質のフラグメントを特徴とする。ここで、このフラグメントは、配列番号２のアミノ酸配列または受託番号＿としてＡＴＣＣに寄託されたプラスミドのＤＮＡ挿入によってコードされるアミノ酸配列の少なくとも１５アミノ酸（例えば、１５の連続アミノ酸）を含む。１つの実施形態において、ＳＬＩＣ−１タンパク質は、配列番号２のアミノ酸残基１〜８８を有する。別の実施形態において、ＳＬＩＣ−１タンパク質は、配列番号２のアミノ酸残基１〜１６０を有する。さらなる実施形態において、ＳＬＩＣ−１タンパク質は、配列番号２のアミノ酸残基１〜２２６を有する。別の実施形態において、ＳＬＩＣ−１タンパク質は、配列番号２のアミノ酸配列を有する。
【００２２】
別の実施形態において、本発明は、配列番号１のヌクレオチド配列またはその相補体に対して少なくとも約５０％、５５％、６０％、６５％、７０％、７５％、８０％、８５％、９０％、９５％、９６％、９７％、９８％、９９％以上同一なヌクレオチド配列からなる核酸分子によってコードされるＳＬＩＣ−１タンパク質を特徴とする。本発明はさらに、配列番号１のヌクレオチド配列またはその相補体を含む核酸分子に対して、ストリンジェントなハイブリダイゼーション条件下でハイブリダイズするヌクレオチド配列からなる核酸分子によってコードされるＳＬＩＣ−１タンパク質を特徴とする。
【００２３】
本発明のタンパク質またはその部分（例えば、その生物学的に活性な部分）は、非ＳＬＩＣ−１ポリペプチド（例えば、異種アミノ酸配列）に作動可能に連結して融合タンパク質を形成し得る。本発明はさらに、本発明のタンパク質、好ましくはＳＬＩＣ−１タンパク質を特異的に結合する抗体（例えば、モノクローナル抗体またはポリクローナル抗体）を特徴とする。さらに、このＳＬＩＣ−１タンパク質またはその生物学的に活性な部分は、必要に応じて薬学的に受容可能なキャリアを含む薬学的組成物中に取り込まれ得る。
【００２４】
別の局面において、本発明は、ＳＬＩＣ−１核酸分子、タンパク質、またはポリペプチドを検出し得る薬剤を生物学的サンプルに接触させることによって、生物学的サンプルにおけるＳＬＩＣ−１核酸分子、タンパク質、またはポリペプチドの存在を検出するための方法を提供し、その結果、生物学的サンプルにおいてＳＬＩＣ−１核酸分子、タンパク質、またはポリペプチドの存在が検出される。
【００２５】
別の局面において、ＳＬＩＣ−１活性の指標を検出し得る薬剤を生物学的サンプルに接触させることによって、生物学的サンプルにおけるＳＬＩＣ−１活性の存在を検出するための方法を提供し、その結果、生物学的サンプルにおいて、ＳＬＩＣ−１の活性の存在が検出される。
【００２６】
別の局面において、本発明は、ＳＬＩＣ−１活性を改変する薬剤をＳＬＩＣ−１を発現し得る細胞に接触させる工程を包含する、ＳＬＩＣ−１活性を改変するための方法を提供し、その結果、細胞におけるＳＬＩＣ−１活性が改変される。１つの実施形態において、この薬剤は、ＳＬＩＣ−１活性を阻害する。別の実施形態において、この薬剤は、ＳＬＩＣ−１活性を刺激する。１つの実施形態において、この薬剤は、ＳＬＩＣ−１タンパク質に特異的に結合する抗体である。別の実施形態において、この薬剤は、ＳＬＩＣ−１遺伝子の転写またはＳＬＩＣ−１　ｍＲＮＡの翻訳を改変することによって、ＳＬＩＣ−１の発現を改変する。なお別の実施形態において、この薬剤は、ＳＬＩＣ−１　ｍＲＮＡまたはＳＬＩＣ−１遺伝子のコード鎖に対してアンチセンスなヌクレオチド配列を有する核酸分子である。
【００２７】
１つの実施形態において、本発明の方法は、異常もしくは望まれないＳＬＩＣ−１タンパク質発現もしくは核酸発現または活性によって特徴付けられる障害を有する被験体を、被験体にＳＬＩＣ−１改変剤である薬剤を投与することによって処置するために使用される。１つの実施形態において、このＳＬＩＣ−１改変剤は、ＳＬＩＣ−１タンパク質である。別の実施形態において、このＳＬＩＣ−１改変剤は、ＳＬＩＣ−１核酸分子である。なお別の実施形態において、このＳＬＩＣ−１改変剤は、ペプチド、ペプチド模倣物（ｐｅｐｔｉｄｏｍｉｍｅｔｉｃ）または他の低分子である。好ましい実施形態において、異常または望まれないＳＬＩＣ−１タンパク質発現または核酸発現によって特徴付けられる障害は、炎症または免疫系障害である。別の好ましい実施形態において、異常または望まれないＳＬＩＣ−１タンパク質発現または核酸発現によって特徴付けられる障害は、心臓血管の障害である。別の実施形態において、異常または望まれないＳＬＩＣ−１活性によって特徴付けられる障害は、細胞増殖、活性化、接着、増殖、分化、または移動の障害である。さらなる実施形態において、異常または望まれないＳＬＩＣ−１活性によって特徴付けられる障害は、造血または血栓の障害である。
【００２８】
本発明はまた、以下の少なくとも１つによって特徴付けられる遺伝子改変の存在または非存在を同定するための診断アッセイを提供する：（ｉ）ＳＬＩＣ−１タンパク質をコードする遺伝子の異常な修飾または変異；（ｉｉ）遺伝子の誤調節；および（ｉｉｉ）ＳＬＩＣ−１タンパク質の異常な翻訳後の修飾であって、ここで遺伝子の野生型形態は、ＳＬＩＣ−１活性を有するタンパク質をコードする。
【００２９】
別の局面において、本発明は、ＳＬＩＣ−１活性を有するＳＬＩＣ−１タンパク質を含む指標組成物を提供すること、指標組成物と試験化合物とを接触させること、およびＳＬＩＣ−１タンパク質の活性を調節する化合物を同定するために指標組成物におけるＳＬＩＣ−１活性に対する試験化合物の効果を決定することによって、ＳＬＩＣ−１タンパク質に結合する化合物またはＳＬＩＣ−１タンパク質の活性を調節または化合物を同定するための方法を提供する。
【００３０】
本発明の他の特徴および利点は、以下の詳細な説明および特許請求の範囲から明白である。
【００３１】
（本発明の詳細な説明）
本発明は、ＳＬＩＣ−１核酸分子およびタンパク質分子として本明細書中で称される、新規の分子の発見に（少なくとも一部）基づく。ＳＬＩＣ−１核酸およびタンパク質分子は、ＳＬＩＣ（Ｓｅｌｅｃｔｉｎ　Ｌｉｇａｎｄ　Ｉｎｔｅｒａｃｔｏｒ　Ｃｙｔｏｐｌａｓｍｉｃ）ファミリー分子の新規メンバーのである。
【００３２】
本明細書中で使用される場合、用語「セレクチンリガンド相互作用細胞質−１」すなわち「ＳＬＩＣ−１」分子は、セレクチン糖タンパク質リガンド（例えば、ＰＳＧＬ−１）またはセレクチンタンパク質の細胞質ドメインと結合または相互作用するタンパク質またはポリペプチドを含む。ＳＬＩＣ−１分子は、典型的には、造血の起源の細胞において発現され、そして細胞内シグナル伝達経路（例えば、ＰＳＧＬ−１によって伝達されるシグナル）に関与する。さらに、ＳＬＩＣ−１分子は、エフェクター分子（例えば、ＳＨ２ドメインを含む分子）と相互作用し得、および細胞骨格とタンパク質（例えば、ＰＳＧＬ−１）との相互作用を媒介し得る。
【００３３】
これらの新規の分子は、例えば、細胞（例えば、造血細胞または骨髄細胞）において活性を媒介する、セレクチン糖タンパク質リガンド（例えば、Ｐ−セレクチン糖タンパク質リガンド（ＰＳＧＬ−１））を調節し得、従って、種々の細胞のプロセス（例えば、シグナル伝達、細胞骨格組織化、免疫および炎症応答、細胞間および細胞内細胞伝達、接着、移動、細胞活性化、増殖（ｇｒｏｗｔｈ）、分化および増殖（ｐｒｏｌｉｆｅｒａｔｉｏｎ）において役割を果たし得る。従って、本発明のＳＬＩＣ−１タンパク質は、セレクチンリガンド相互作用細胞質−１分子関連障害（例えば、炎症または免疫系障害、心臓血管の障害、細胞の増殖（ｐｒｏｌｉｆｅｒａｔｉｏｎ）、活性化、接着、増殖（ｇｒｏｗｔｈ）、分化、または移動障害、あるいは造血障害または血栓障害）を制御または調節するための新規の診断標的および治療薬剤を提供する。さらに、本発明のＳＬＩＣ−１タンパク質が、活性を媒介する、セレクチン糖タンパク質リガンド（例えば、Ｐ−セレクチン糖タンパク質リガンド（ＰＳＧＬ−１）に結合し得るか、または相互作用し、そして調節し得る場合、これらは、異常なＰＳＧＬ−１活性に関連するかまたは関する障害（例えば、炎症および免疫系障害、または異常な細胞移動および／または接着に関連する障害）のための新規の診断薬剤および治療薬剤を開発するために有用であり得る。
【００３４】
本明細書中で使用される場合、「セレクチン糖タンパク質リガンド媒介活性」、「ＰＳＧＬ−１媒介活性」または「ＰＳＧＬ−１活性」は、Ｐ−セレクチン糖タンパク質リガンド（例えば、内皮細胞、造血細胞または白血球におけるＰ−セレクチン糖タンパク質リガンド）に関連する活性を含む。Ｐ−セレクチン糖タンパク質リガンドは、細胞内接着（例えば、脈管構造への白血球の接着）、細胞内シグナル伝達、細胞骨格組織化、免疫および炎症応答、細胞活性化および細胞移動に関与する。
【００３５】
本明細書中で使用される場合、「セレクチンリガンド相互作用細胞質−１分子関連障害」またはＳＬＩＣ−１関連障害」は、セレクチンリガンド相互作用細胞質−１分子活性の誤制御（上方制御または下方制御）によって特徴付けられる障害、疾患または状態を含む。セレクチンリガンド相互作用細胞質−１（ＳＬＩＣ−１）分子関連障害は、動的に細胞機能（例えば、シグナル伝達、細胞骨格組織化、細胞間および細胞内細胞伝達、接着、移動、細胞活性化、増殖（ｇｒｏｗｔｈ）、分化および増殖（ｐｒｏｌｉｆｅｒａｔｉｏｎ））に影響を与える。セレクチンリガンド相互作用細胞質−１分子関連障害の例としては、炎症および免疫障害が挙げられ、これらの例としては、以下が挙げられるが、これらに限定されない：炎症性腸疾患、潰瘍性大腸炎、クローン病、白血球接着不全ＩＩ型症候群、結腸周囲炎、肺炎症、ぜん息、急性虫垂炎、敗血症性ショック、腎炎、アミロイドーシス、慢性関節リウマチ、サルコイドーシス、強皮症、狼瘡、多発筋炎、ライター症候群、乾癬、骨盤炎症性疾患、炎症性胸部疾患、眼窩炎症疾患、免疫不全障害（例えば、ＨＩＶ、分類不能型免疫不全、重症複合免疫不全）、自己免疫疾患、および神経変性疾患（例えば、アルツハイマー病）。
【００３６】
セレクチンリガンド相互作用細胞質−１（ＳＬＩＣ−１）分子関連障害はまた、造血障害または血栓障害（例えば、汎発性血管内凝固症候群、貧血、リンパ腫、白血病、好中球増加症、好中球減少症、骨髄増殖性障害、血小板増加症、血小板減少症、ヴォン・ヴィレブランド病および血友病を含む。
【００３７】
セレクチンリガンド相互作用細胞質−１（ＳＬＩＣ−１）分子関連障害のさらなる例としては、心臓関連障害が挙げられる。本発明のＳＬＩＣ−１分子が、直接的または間接的に関連する心臓血管系障害は、動脈硬化症、虚血再灌流障害、炎症性心臓疾患、再狭窄、動脈の炎症、血管壁のリモデリング、冠状微小塞栓症、うっ血性心不全、心筋症、冠状動脈結紮、脈管心臓疾患、狭心症、高血圧、心筋梗塞、冠状動脈疾患、およびアテローム硬化症を含む。
【００３８】
セレクチンリガンドントラクタサイトプラスミック−１（ＳＬＩＣ−１）分子関連障害のさらなる例としては、細胞の増殖（ｐｒｏｌｉｆｅｒａｔｉｏｎ）、活性化、接着、増殖（ｇｒｏｗｔｈ）、分化または移動障害が挙げられる。「細胞の増殖（ｐｒｏｌｉｆｅｒａｔｉｏｎ）、活性化、接着、増殖（ｇｒｏｗｔｈ）、分化または移動障害」は、細胞増殖（ｐｒｏｌｉｆｅｒａｔｉｏｎ）、活性化、接着、増殖（ｇｒｏｗｔｈ）、分化または移動プロセスに影響を与える障害を含む。本明細書中で使用される場合、「細胞の増殖（ｐｒｏｌｉｆｅｒａｔｉｏｎ）、活性化、接着、増殖（ｇｒｏｗｔｈ）、分化または移動プロセス」は、細胞が、数、サイズ、活性化状態または内容物において増加することによるか、細胞が、他の細胞の特性とは異なる特定のセットの特性を発達することよるか、あるいは細胞が、特定の位置または刺激からより近くにまたはより遠くに移動するプロセスである。本発明のＳＬＩＣ−１分子は、細胞の活性化、接着、移動、増殖（ｇｒｏｗｔｈ）、増殖（ｐｒｏｌｉｆｅｒａｔｉｏｎ）およびアポトーシスプロセスに関連することが知られているシグナル伝達機構に関連し得る。従って、ＳＬＩＣ−１分子は、細胞の増殖（ｇｒｏｗｔｈ）、活性化、接着、分化、または移動を調節し得、そして、異常に調節された増殖（ｇｒｏｗｔｈ）、活性化、接着、分化、または移動によって特徴付けられる障害において役割を担い得る。このような障害としては、癌（例えば、癌腫）肉腫または白血病；腫瘍新脈管形成および転移；ならびに造血障害および／または骨髄増殖障害が挙げられる。
【００３９】
ＳＬＩＣ−１関連（ａｓｓｏｃｉａｔｅｄ）または関連（ｒｅｌａｔｅｄ）障害はまた、ＳＬＩＣ−１タンパク質が、発現する組織（例えば、造血細胞）の障害を含む。このような障害は、例えば、炎症および／または免疫系障害、造血障害または血栓障害を含む。
【００４０】
本明細書中で使用される場合、「セレクチンリガンド相互作用細胞質−１分子活性」すなわち「ＳＬＩＣ−１活性」は、セレクチン糖タンパク質リガンド（例えば、ＰＳＧＬ−１）またはセレクチンタンパク質の細胞質ドメインに結合または相互作用することおよびシグナルを伝達すること（例えば、エフェクター分子を介して）に関連する活性を含む。さらに、ＳＬＩＣ−１活性は、細胞骨格とタンパク質（例えば、ＰＳＧＬ−１）との相互作用を調節することに関連する活性を含む。本発明のＳＬＩＣ−１分子は、シグナル伝達、細胞骨格組織化、免疫および炎症応答、細胞間および細胞内細胞伝達、接着、移動、細胞活性化、増殖（ｇｒｏｗｔｈ）、分化ならびに増殖（ｐｒｏｌｉｆｅｒａｔｉｏｎ）のような細胞のプロセスにおいて重要であり得る。
【００４１】
本発明のタンパク質および核酸分子を称する場合、用語「ファミリー」は、共通の構造的ドメインまたはモチーフを有する、そして本明細書中で定義されるような十分なアミノ酸またはヌクレオチド配列相同性を有する２つ以上のタンパク質または核酸分子を意味することが意図される。このようなファミリーメンバーは、天然にまたは非天然に存在し得、そして同じかまたは異なる種のいずれかに由来し得る。例えば、ファミリーはヒト起源の第１のタンパク質、および他の異なるヒト起源のタンパク質を含み得か、あるいは、非ヒト起源（例えば、サルのタンパク質）のホモログを含み得る。ファミリーのメンバーはまた、共通の機能的特性を有する。
【００４２】
例えば、ＳＬＩＣ−１タンパク質のファミリーは、タンパク質分子またはこのタンパク質分子をコードする核酸分子において少なくとも１つの「免疫レセプターチロシンベース活性化モチーフ」（ＩＴＡＭ）を含む。本明細書中に記載される場合、用語「免疫レセプターチロシンベース活性化モチーフ」は、約１０〜２５のアミノ酸残基のアミノ酸配列を有するタンパク質モチーフを含む。より好ましくは、免疫レセプターチロシンベース活性化モチーフは、少なくとも約１５〜２０のアミノ酸残基を含む。免疫レセプターチロシンベース活性化モチーフは、保存されたチロシン残基によって特徴付けられる。１つの実施形態において、免疫レセプターチロシンベース活性化モチーフは、少なくとも１つ、そしてより好ましくは２つのチロシン残基を含む。別の実施形態において、免疫レセプターチロシンベース活性化モチーフは、少なくとも２つ以上のチロシン残基を含む。１つの実施形態において、免疫レセプターチロシンベース活性化モチーフは、ＳＨ２ドメイン結合部位として役立ち、それによって、シグナル伝達を媒介する下流のエフェクター分子との相互作用のための構造的なベースを形成する。免疫レセプターチロシンベース活性化モチーフは、例えば、Ｉｓａｋｏｖ，Ｎ（１９９８）Ｒｅｃｅｐｔｏｒｓ　Ｃｈａｎｎｅｌｓ　５：２４３−２５３；Ｉｓａｋｏｖ，Ｎ（１９９７）Ｊ．Ｌｅｕｋ　Ｂｉｏｌ．６１：６−１６；およびＣｈａｎ，ＡＣら，（１９９６）Ｃｕｒｒ．Ｏｐｉｎ．Ｉｍｍｕｎｏｌ．８：３９４−４０１に記載される（これらの内容は、参考として本明細書中に援用される）。従って、ヒトＳＬＩＣ−１の免疫レセプターチロシンベース活性化モチーフと少なくとも５０〜６０％の同性、好ましくは約６０〜７０％、さらに好ましくは約７０〜８０％、または約８０〜９０％の相同性を有するＳＬＩＣ−１タンパク質は、本発明の範囲内である。
【００４３】
本発明の単離されたタンパク質（好ましくはＳＬＩＣ−１タンパク質）は、配列番号２のアミノ酸配列に十分に同一であるアミノ酸配列を有するか、または配列番号１に十分に同一であるヌクレオチド配列によってコードされる。本明細書中で使用される場合、用語「十分に同一である」は、第１および第２のアミノ酸配列または第１および第２のヌクレオチド配列が、共通の構造的ドメインもしくはモチーフおよび／または共通の機能的活性を共有するように、第２のアミノ酸配列またはヌクレオチド配列に、十分なまたは最少の数の同一または等価な（例えば、類似の側鎖を有するアミノ酸残基）アミノ酸残基を含む第１のアミノ酸配列またはヌクレオチド配列をいう。例えば、共通の構造的ドメインを共有するアミノ酸配列またはヌクレオチド配列は、ドメインのアミノ酸配列にわたって、少なくとも３０％、４０％または５０％の相同性、好ましくは６０％の相同性、より好ましくは７０〜８０％、そしてなおより好ましくは９０から９５％の相同性を有し、そして十分に同一であるとして本明細書中に定義される、少なくとも１つのおよび好ましくは２つの構造的ドメインまたはモチーフを含む。さらに、少なくとも３０％、４０％または５０％、好ましくは６０％、より好ましくは７０〜８０％または９０〜９５％の相同性を共有し、そして共通の機能的活性を共有するアミノ酸配列またはヌクレオチド配列は、十分に同一であるように本明細書中に定義される。
【００４４】
本明細書中で交換可能に使用される場合、用語「ＳＬＩＣ−１活性」、「ＳＬＩＣ−１の生物学的活性」または「ＳＬＩＣ−１の機能的活性」は、標準的な技術に従って、インビトロ、またはインビボにおいて決定されるように、ＳＬＩＣ−１応答性細胞または組織におけるか、あるいはＳＬＩＣ−１タンパク質基質におけるＳＬＩＣ−１タンパク質、ポリペプチドまたは核酸分子によって及ぼされる活性をいう。１つの実施形態において、ＳＬＩＣ−１活性は、ＳＬＩＣ−１標的分子に関連するような、直接活性である。本明細書中で使用される場合、「標的分子」または「結合パートナー」は、ＳＬＩＣ−１タンパク質が、天然において結合または相互作用し、その結果ＳＬＩＣ−１媒介機能が、達成される、分子である。ＳＬＩＣ−１標的分子は、本発明の非ＳＬＩＣ−１分子またはＳＬＩＣ−１タンパク質あるいはポリペプチドであり得る。例示的な実施形態において、ＳＬＩＣ−１標的分子は、ＳＬＩＣ−１基質（例えば、好ましくはＳＨ２ドメインを含む、細胞内シグナル分子）である。別の実施形態において、ＳＬＩＣ−１基質は、細胞骨格タンパク質または細胞骨格関連タンパク質である。あるいは、ＳＬＩＣ−１活性は、非直接活性（例えば、ＳＬＩＣ−１基質とＳＬＩＣ−１タンパク質との相互作用によって媒介される細胞のシグナル活性）である。ＳＬＩＣ−１の生物学的活性は、本明細書中に記載される。例えば、本発明のＳＬＩＣ−１タンパク質は、１以上の以下の活性を有し得る：（１）非ＳＬＩＣ−１タンパク質分子に調節する；（２）ＳＬＩＣ−１依存性シグナル伝達経路を活性化する；（３）ＰＳＧＬ−１依存性シグナル伝達経路を活性化する；（４）細胞内接着を調節する；（５）細胞骨格に関連するＰＳＧＬ−１を調節する；（６）細胞活性化および／または増殖を調節する；および（７）細胞移動を調節する。
【００４５】
従って、本発明の別の実施形態は、ＳＬＩＣ−１活性を有する単離されたＳＬＩＣ−１タンパク質およびポリペプチドを特徴とする。好ましいタンパク質は、少なくとも１つの免疫レセプターチロシンベース活性化モチーフ、および好ましくは、ＳＬＩＣ−１活性を有するＳＬＩＣ−１タンパク質である。
【００４６】
さらに好ましいタンパク質は、少なくとも１つの免疫レセプターチロシンベース活性化モチーフを有し、そして好ましくは、ヌクレオチド配列を有する核酸分子によってコードされる。このヌクレオチド配列は、配列番号１のヌクレオチド配列を含む核酸分子に、ストリンジェントなハイブリダイゼージョン条件下でハイブリダイズする。
【００４７】
単離されたヒトＳＬＩＣ−１　ｃＤＮＡのヌクレオチド配列およびヒトＳＬＩＣ−１ポリペプチドの推定アミノ酸配列を、図１ならびにそれぞれ、配列番号１および配列番号２に示す。ヒトＳＬＩＣ−１をコードするヌクレオチド配列を含むプラスミドは、Ａｍｅｒｉｃａｎ　Ｔｙｐｅ　Ｃｕｌｔｕｒｅ　Ｃｏｌｌｅｃｔｉｏｎ（ＡＴＣＣ）（１０８０１　Ｕｎｎｉｖｅｒｓｉｔｙ　Ｂｏｕｌｅｖａｒｄ　Ｍａｎａｓｓａｓ，ＶＡ　２０１１０−２２０９、ｏｎ　）に寄託され、そして登録番号　を割り当てられる。この寄託物は、特許手続きの目的のための微生物の寄託の国際的承認に関する、ブタペスト条約の期間、において保存される。この寄託物は、当業者のために便宜として単に作製され、そして寄託物が、Ｕ．Ｓ．Ｃ．３５条１２項下で必要とされる承認ではない。
【００４８】
約９５１ヌクレオチド長である、ヒトＳＬＩＣ−１遺伝子は、約３４．８ｋＤの分子量を有するタンパク質をコードし、そしてヒトＳＬＩＣ−１は、約３１６アミノ酸残基長である。
【００４９】
本発明の種々の局面は、以下の小節にさらに詳細に記載される。
【００５０】
（Ｉ．単離された核酸分子）
本発明の１つの局面は、ＳＬＩＣ−１タンパク質またはその生物学的活性部分をコードする単離された核酸分子、およびＳＬＩＣ−１核酸分子の増幅または変異のためのＰＣＲプライマーとして使用するためのＳＬＩＣ−１コード核酸分子（例えば、ＳＬＩＣ−１　ｍＲＮＡ）およびフラグメントを同定するために、ハイブリダイゼージョンプローブとして使用するのに十分な核酸フラグメントに関連する。本明細書中で使用される場合、用語「核酸分子」は、ＤＮＡ分子（例えば、ｃＤＮＡまたはゲノムＤＮＡ）およびＲＮＡ分子（例えば、ｍＲＮＡ）ならびにヌクレオチドアナログを使用して生成されたＤＮＡまたはＲＮＡのアナログを含むことが意図される。この核酸分子は、一本鎖または二本鎖であり得るが、好ましくは二本鎖ＤＮＡである。
【００５１】
用語「単離された核酸分子」は、天然の供給源に存在する他の核酸分子から分離された核酸分子を含む。例えば、ゲノムＤＮＡに関して、用語「単離された」は、ゲノムＤＮＡが、天然に関連する染色体から分離された核酸分子を含む。好ましくは、「単離された」核酸分子は、核酸分子が、由来する生物体のゲノムＤＮＡにおいて核酸に隣接する配列（すなわち、核酸の５’および３’末端に位置する配列）がない。例えば、種々の実施形態において、単離されたＳＬＩＣ−１核酸分子は、約５ｋｂ、４ｋｂ、３ｋｂ、２ｋｂ、１ｋｂ、０．５ｋｂ、または０．１ｋｂ未満のヌクレオチド配列を含む。この配列は、核酸が、由来する細胞のゲノムＤＮＡにおける核酸分子に天然に隣接する。さらに「単離された」核酸分子（例えば、ｃＤＮＡ分子）は、組換え技術によって生成された場合、他の細胞の物質または培養培地を実質的に含まない、または化学的に合成された場合、実質的に化学的前駆体または他の化学物質を含まない。
【００５２】
本発明の核酸分子（例えば、配列番号１または受託番号＿としてＡＴＣＣに寄託されたプラスミドのＤＮＡ挿入物のヌクレオチド配列を有する核酸分子またはその一部をコードするヌクレオチド配列）は、標準的な分子生物学技術および本明細書中に提供される配列情報を使用して単離され得る。例えば、配列番号１または受託番号＿としてＡＴＣＣに寄託されたプラスミドのＤＮＡ挿入物の核酸配列の全てまたは部分をハイブリダイゼーションプローブとして使用して、ＳＬＩＣ−１核酸分子は、標準的なハイブリダイゼーション技術およびクローニング技術を使用して単離され得る（例えば、Ｓａｍｂｒｏｏｋ、Ｊ．、Ｆｒｉｔｓｈ、Ｅ．Ｆ．およびＭａｎｉａｔｉｓ、Ｔ．Ｍｏｌｅｃｕｌａｒ　Ｃｌｏｎｉｎｇ：Ａ　Ｌａｂｏｒａｔｏｒｙ　Ｍａｎｕａｌ．第２版、Ｃｏｌｄ　Ｓｐｒｉｎｇ　Ｈａｒｂｏｒ　Ｌａｂｏｒａｔｏｒｙ、Ｃｏｌｄ　Ｓｐｒｉｎｇ　Ｈａｒｂｏｒ　Ｌａｂｏｒａｔｏｒｙ　Ｐｒｅｓｓ、Ｃｏｌｄ　Ｓｐｒｉｎｇ　Ｈａｒｂｏｒ、ＮＹ、１９８９に記載のように）。
【００５３】
さらに、配列番号１または受託番号＿としてＡＴＣＣに寄託されたプラスミドのＤＮＡ挿入物のヌクレオチド配列の全てまたは一部を含む核酸分子は、配列番号１または受託番号＿としてＡＴＣＣに寄託されたプラスミドのＤＮＡ挿入物のヌクレオチド配列に基づいてそれぞれに設計された、合成オリゴヌクレオチドプライマーを使用してポリメラーゼ連鎖反応（ＰＣＲ）によって単離され得る。
【００５４】
本発明の核酸は、ｃＤＮＡ、ｍＲＮＡ、あるいはゲノムＤＮＡを鋳型として使用し、そして標準的なＰＣＲ増幅技術に従った適切なオリゴヌクレオチドプライマーを使用して、増幅され得る。このように増幅された核酸は、適切なベクター中にクローニングされ得、そしてＤＮＡ配列決定分析によって特徴付けられる。さらに、ＳＬＩＣ−１ヌクレオチド配列に対応するオリゴヌクレオチドは、標準的な合成技術によって、例えば、自動化されたＤＮＡ合成機を使用して調製され得る。
【００５５】
好ましい実施形態において、本発明の単離された核酸分子は、配列番号１の核酸配列を含む。配列番号１の配列は、ヒトＳＬＩＣ−１ｃＤＮＡに対応する。このｃＤＮＡは、ヒトＳＬＩＣ−１タンパク質をコードする配列を含む（すなわち、ヌクレオチド１〜９５１由来の「コード領域」））
別の好ましい実施形態において、本発明の単離された核酸分子は、配列番号１に示されるヌクレオチド配列または受託番号＿としてＡＴＣＣに寄託されたプラスミドのＤＮＡ挿入物ヌクレオチド配列別あるいはこれらのヌクレオチド配列の任意の一部の相補体である核酸分子を含む。配列番号１に示されるヌクレオチド配列または受託番号＿としてＡＴＣＣに寄託されたプラスミドのＤＮＡ挿入物ヌクレオチド配列に相補的な核酸分子はそれぞれ、配列番号１に示されるヌクレオチド配列または受託番号＿としてＡＴＣＣに寄託されたプラスミドのＤＮＡ挿入物ヌクレオチド配列に十分に相補的なものの１つであり、その結果、これはそれぞれ、配列番号１に示されるヌクレオチド配列または受託番号＿としてＡＴＣＣに寄託されたプラスミドのＤＮＡ挿入物ヌクレオチド配列にハイブリダイズし、それによって安定な二重鎖を形成し得る。
【００５６】
なおさらに別の好ましい実施形態において、本発明の単離された核酸分子は、配列番号１に示されるヌクレオチド配列の全長とか、または受託番号＿としてＡＴＣＣに寄託されたプラスミドのＤＮＡ挿入物のヌクレオチド配列の全長とか、またはこれらのヌクレオチド配列のいずれかの一部と、少なくとも５０％、５５％、６０％、６５％、７０％、７５％、８０％、８５％、９０％、９５％、９６％、９７％、９８％、９９％またはそれ以上同一である、ヌクレオチド配列を含む。
【００５７】
さらに、本発明の核酸分子は、配列番号１のヌクレオチド配列または受託番号＿としてＡＴＣＣに寄託されたプラスミドのＤＮＡ挿入物のヌクレオチド配列の一部のみ（例えば、プローブまたはプライマーとして使用され得るフラグメントあるいはＳＬＩＣ−１タンパク質の生物学的に活性な一部をコードするフラグメント）を含み得る。ＳＬＩＣ−１遺伝子のクローニングから決定されたこのヌクレオチド配列は、なお別のＳＬＩＣ−１ファミリーメンバー、ならびに多種由来のＳＬＩＣ−１ファミリーホモログの同定および／またはクローニングにおける使用のために設計されたプローブまたはプライマーの作製を可能にする。このプローブ／プライマーは、代表的には、実質的に精製されたオリゴヌクレオチドを含む。１つの実施形態において、このオリゴヌクレオチドは、配列番号１のヌクレオチド配列のもしくは受託番号＿としてＡＴＣＣに寄託されたプラスミドのＤＮＡ挿入物ヌクレオチド配列のセンス配列の、配列番号１のヌクレオチド配列のもしくは受託番号＿としてＡＴＣＣに寄託されたプラスミドのＤＮＡ挿入物ヌクレオチド配列のアンチセンス配列の、あるいは配列番号１のヌクレオチド配列もしくは受託番号＿としてＡＴＣＣに寄託されたプラスミドのＤＮＡ挿入物ヌクレオチド配列の天然に存在する対立遺伝子改変体もしくは変異体の少なくとも約１２または１５、好ましくは約２０または２５、より好ましくは約３０、３５、４０、４５、５０、５５、６０、６５、７５、８０、８５、９０、９５、１００、１５０もしくは２００またはそれ以上の連続するヌクレオチドに、ストリンジェントな条件下でハイブリダイズするヌクレオチド配列の領域を含む。別の実施形態において、本発明の核酸分子は、長さが少なくとも約４００、４５０、５００、５５０、６００、６５０、７００、７５０、８００、８５０、９００ヌクレオチド以上のヌクレオチド配列、およびストリンジェントなハイブリダイゼーション条件下で、配列番号１もしくは受託番号＿としてＡＴＣＣに寄託されたプラスミドのＤＮＡ挿入物ヌクレオチド配列にハイブリダイズするヌクレオチド配列を含む。
【００５８】
ＳＬＩＣ−１ヌクレオチド配列に基づくプローブは、このタンパク質または相同なタンパク質をコードする転写産物またはゲノム配列を検出するために使用され得る。好ましい実施形態において、このプローブはさらに、それに連結された標識基を含む（例えば、この標識基は、放射性同位体、蛍光化合物、酵素、または酵素補因子であり得る）。このようなプローブは、細胞または組織、特に上皮細胞または組織、特にＳＬＩＣ−１タンパク質を誤って発現する上皮細胞または組織を同定するための診断試験キットの一部として、例えば、被験体由来の細胞のサンプルにおいてＳＬＩＣ−１をコードする核酸のレベルを測定することによって（例えば、ＳＬＩＣ−１ｍＲＮＡレベルを検出し、またはゲノムＳＬＩＣ−１遺伝子が変異されているかもしくは欠失されているかを決定することによって）使用され得る。
【００５９】
「生物学的に活性なＳＬＩＣ−１タンパク質の一部」をコードする核酸フラグメントは、配列番号１または受託番号＿としてＡＴＣＣに寄託されたプラスミドのＤＮＡ挿入物ヌクレオチド配列あるいは別のＳＬＩＣ−１ファミリーポリペプチドをコードするヌクレオチド配列の一部を単離することによって調製され得る。これは、ＳＬＩＣ−１の生物学的活性（ＳＬＩＣ−１タンパク質の生物学的活性は、本明細書中に記載される）を有し、ＳＬＩＣ−１タンパク質のコードされた部分を発現し（例えば、インビトロでの組換え体の発現によって）、そしてＳＬＩＣ−１タンパク質のコードされた部分の活性を評価するポリペプチドをコードする。
【００６０】
本発明はさらに、遺伝子コードの縮重に起因して、配列番号１に示されるヌクレオチド配列、または受託番号＿としてＡＴＣＣに寄託されたプラスミドのＤＮＡ挿入物のヌクレオチド配列とは異なる核酸分子を含み、そして従って配列番号１に示される核酸配列、または受託番号＿としてＡＴＣＣに寄託されたプラスミドのＤＮＡ挿入物の核酸配列によってコードされるタンパク質と同じＳＬＩＣ−１タンパク質をコードする。別の実施形態において、本発明の単離された核酸分子は、配列番号２で示されるアミノ酸配列を有するタンパク質をコードするヌクレオチド配列を有する。
【００６１】
配列番号１に示されるＳＬＩＣ−１ヌクレオチド配列、または受託番号＿としてＡＴＣＣに寄託されたプラスミドのＤＮＡ挿入物のヌクレオチド配列に加えて、ＳＬＩＣ−１タンパク質のアミノ酸配列における変化を導くＤＮＡ配列の多型性が、集団（例えば、ヒト集団）内に存在し得ることが、当業者によって理解される。ＳＬＩＣ−１遺伝子におけるこのような遺伝的な多型性は、天然の対立遺伝子改変体に起因して、集団内の個体間に存在し得る。本明細書中で使用される場合、用語「遺伝子」および「組換え遺伝子」は、ＳＬＩＣ−１タンパク質、好ましくは哺乳動物ＳＬＩＣ−１タンパク質をコードするオープンリーディングフレームを含み、そしてさらに非コード調節配列およびイントロンを含み得る核酸分子をいう。
【００６２】
ヒトＳＬＩＣ−１の対立遺伝子改変体は、機能的なＳＬＩＣ−１タンパク質および非機能的なＳＬＩＣ−１タンパク質の両方を含む。機能的な対立遺伝子改変体は、ＳＬＩＣ−１リガンドもしくは置換基に結合するか、および／または調節する能力（例えば、炎症シグナル伝達機構、ＰＳＧＬ−１シグナル伝達、または細胞接）を保持するヒトＳＬＩＣ−１タンパク質の。天然に存在するアミノ酸配列改変体である。機能的な対立遺伝子改変体は、代表的に、配列番号２の１つ以上のアミノ酸の保存的置換のみ、またはこのタンパク質の重要ではない領域における重要ではない残基の置換、欠失または挿入を含む。
【００６３】
非機能的な対立遺伝子改変体は、ＳＬＩＣ−１リガンドに結合し、そして／または本明細書中に記載されるＳＬＩＣ−１活性のいずれかを調節するかのいずれかの能力を有さない、ヒトＳＬＩＣ−１タンパク質の天然に存在するアミノ酸配列改変体である。非機能的対立遺伝子改変体は、代表的に、配列番号２のアミノ酸配列の非保存的置換、欠失もしくは挿入、または未熟な切断、あるいは重要な残基もしくは重要な領域における置換、挿入、または欠失を含む。
【００６４】
本発明はさらに、ヒトＳＬＩＣ−１タンパク質の非ヒトオルソログを提供する。ヒトＳＬＩＣ−１タンパク質のオルソログは、非ヒト器官から単離されたタンパク質であり、そして同じＳＬＩＣ−１リガンド結合および／またはシグナル伝達、細胞骨格結合、もしくはヒトＳＬＩＣ−１タンパク質の接着活性の調節を有する。ヒトＳＬＩＣ−１タンパク質のオルソログは、配列番号２と実質的に同一であるアミノ酸配列を含むと、容易に同定され得る。
【００６５】
さらに、他のＳＬＩＣ−１ファミリーメンバーをコードし、従って配列番号１のＳＬＩＣ−１配列、または受託番号＿としてＡＴＣＣに寄託されたプラスミドのＤＮＡ挿入物のヌクレオチド配列とは異なるヌクレオチド配列を有する核酸分子は、本発明の範囲内であることが意図される。例えば、別のＳＬＩＣ−１ｃＤＮＡは、ヒトＳＬＩＣ−１のヌクレオチド配列に基づいて同定され得る。さらに、異なる種由来のＳＬＩＣ−１タンパク質をコードし、従って配列番号１に示されるヌクレオチド配列、または受託番号＿としてＡＴＣＣに寄託されたプラスミドのＤＮＡ挿入物のヌクレオチド配列とは異なるヌクレオチド配列を有する核酸分子は、本発明の範囲内であることが意図される。例えば、マウスＳＬＩＣ−１ｃＤＮＡは、ヒトＳＬＩＣ−１のヌクレオチド配列に基づいて同定され得る。
【００６６】
本発明のＳＬＩＣ−１ｃＤＮＡの天然の対立遺伝子改変体およびホモログに対応する核酸分子は、（例えば、本明細書中に開示されるｃＤＮＡまたはその部分を、ストリンジェントな条件下で標準的なハイブリダイゼーション技術に従ったハイブリダイゼーションプローブとして使用して本明細書中に開示されたＳＬＩＣ−１核酸に対する相同性に基づいて）単離され得る。本発明のＳＬＩＣ−１ｃＤＮＡの天然の対立遺伝子およびホモログに対応する核酸分子は、ＳＬＩＣ−１遺伝子と同じ染色体または遺伝子座にマッピングすることによってさらに単離され得る。
【００６７】
従って、別の実施形態において、本発明の単離された核酸分子は、少なくとも１５ヌクレオチド、２０ヌクレオチド、２５ヌクレオチド、３０ヌクレオチド以上の長さであり、そして配列番号１のヌクレオチド配列または受託番号＿としてＡＴＣＣに寄託されたプラスミドのＤＮＡ挿入物のヌクレオチド配列を含む核酸分子に、ストリンジェントな条件下でハイブリダイズする。他の実施形態において、その核酸分子は、少なくとも５０ヌクレオチド長、１００ヌクレオチド長、１５０ヌクレオチド長、２００ヌクレオチド長、２５０ヌクレオチド長、３００ヌクレオチド長、３５０ヌクレオチド長、４００ヌクレオチド長、４５０ヌクレオチド長、５００ヌクレオチド長、５５０ヌクレオチド長、または６００ヌクレオチド長、６５０ヌクレオチド長、７００ヌクレオチド長、７５０ヌクレオチド長、８００ヌクレオチド長、８５０ヌクレオチド長、９００ヌクレオチド長またはそれ以上である。
【００６８】
本明細書において使用される場合、用語「ストリンジェントな条件下でハイブリダイズする」とは、互いに対して実質的に同一かまたは相同であるヌクレオチド配列が代表的には互いにハイブリダイズしたままである、ハイブリダイゼーションおよび洗浄のための条件を記載するように意図される。好ましくは、その条件は、互いに対して少なくとも約７０％、より好ましくは少なくとも約８０％、なおより好ましくは少なくとも約８５％もしくは９０％相同である配列が、互いにハイブリダイズしたままであるようである。そのようなストリンジェントな条件は、当業者に公知であり、そしてＣｕｒｒｅｎｔ　Ｐｒｏｔｏｃｏｌｓ　ｉｎ　Ｍｏｌｅｃｕｌａｒ　Ｂｉｏｌｏｇｙ、Ａｕｓｂｅｌら編、Ｊｏｈｎ　Ｗｉｌｅｙ　＆　Ｓｏｎｓ　Ｉｎｃ．（１９９５）、第２、４および６節中に見出され得る。ならなるストリンジェントな条件は、Ｍｏｌｅｃｕｌａｒ　Ｃｌｏｎｉｎｇ：Ａ　Ｌａｂｏｒａｔｏｒｙ　Ｍａｎｕａｌ、Ｓａｍｂｒｏｏｋら、　Ｃｏｌｄ　Ｓｐｒｉｎｇ　Ｈａｒｂｏｒ　Ｐｒｅｓｓ、Ｃｏｌｄ　Ｓｐｒｉｎｇ　Ｈａｒｂｏｒ、ＮＹ（１９８９）、第７、９および１１章中に見出され得る。ストリンジェントなハイブリダイゼーション条件の好ましく非限定的な例は、約６５〜７０℃で４×塩化ナトリウム／クエン酸ナトリウム（ＳＳＣ）中でのハイブリダイゼーション（または４×ＳＳＣおよび５０％ホルムアミドで約４２〜５０℃でのハイブリダイゼーション）、その後、約６５〜７０℃で１×ＳＳＣ中での１回以上の洗浄である。高いストリンジェントなハイブリダイゼーション条件の好ましく非限定的な例は、約６５〜７０℃で１×ＳＳＣ中でのハイブリダイゼーション（または１×ＳＳＣおよび５０％ホルムアミドで約４２〜５０℃でのハイブリダイゼーション）、その後、約６５〜７０℃で０．３×ＳＳＣ中での１回以上の洗浄である。減少したストリンジェントなハイブリダイゼーション条件の好ましく非限定的な例は、約５６〜６０℃で４×ＳＳＣ中でのハイブリダイゼーション（またあるいは６×ＳＳＣおよび５０％ホルムアミドで約４２〜５０℃でのハイブリダイゼーション）、その後、約５０〜６０℃で２×ＳＳＣ中での１回以上の洗浄である。上記の値の中間の範囲（例えば、６５〜７０℃または４２〜５０℃もまた、本発明によって包含されることが意図される。ハイブリダイゼーション緩衝液および洗浄緩衝液中のＳＳＰＥ（１×ＳＳＰＥは、０．１５ＭのＮａＣｌ、１０ｍＭのＮａＨ２ＰＯ４、および１．２５ｍＭのＥＤＴＡ、ｐＨ７．４である）が、ＳＳＣ（１×ＳＳＣは、０．１５ＭのＮａＣｌおよび１５ｍＭのクエン酸ナトリウムである）に代わって置換され得る；洗浄は、ハイブリダイゼーションが完了した後に、それぞれ１５分間実施される。ハイブリッドのためのハイブリダイゼーション温度は、５０塩基対長未満は、そのハイブリッドの融解温度（Ｔｍ）よりも５〜１０℃低いべきであると予期され、ここで、Ｔｍは、以下の式に従って決定される。１８塩基対長未満のハイブリッドについて、Ｔｍ（℃）＝２（Ａ＋Ｔ塩基の数）＋４（Ｇ＋Ｃ塩基の数）である。１８塩基対長と４９塩基対長との間のハイブリッドについて、Ｔｍ（℃）＝８１．５＋１６．６（ｌｏｇ１��［Ｎａ＋］）＋０．４１（％Ｇ＋Ｃ）−（６００／Ｎ）であり、ここで、Ｎは、ハイブリッドにおける塩基の数であり、［Ｎａ＋］は、ハイブリダイゼーション緩衝液中のナトリウムイオンの濃度である（１×ＳＳＣについて、［Ｎａ＋］は０．１６５Ｍである）。さらなる試薬が、核酸分子の膜（例えば、ニトロセルロース膜またはナイロン膜）への非特異的なハイブリダイゼーションを減少するために、ハイブリダイゼーション緩衝液および／または洗浄緩衝液に添加され得、これには、限定されないが、ブロッキング剤（例えば、ＢＳＡ、またはサケもしくはニシンの精子ＤＮＡ）、界面活性剤（例えば、ＳＤＳ）、キレート剤（例えば、ＥＤＴＡ）、フィコール、ＰＶＰなどが挙げられることもまた、当業者によって理解される。ナイロン膜を使用する場合、特に、ストリンジェントなハイブリダイゼーション条件のさらなる好ましい非限定的な例は、０．２５〜０．５ＭのＮａＨ２ＰＯ４、７％のＳＤＳ中で６５℃でのハイブリダイゼーション、その後０．０２ＭのＮａＨ２ＰＯ４、１％のＳＤＳ中で６５℃（またはあるいは、０．２×ＳＳＣ、１％のＳＤＳ）で１回以上の洗浄である（例えば、ＣｈｒｃｈおよびＧｉｌｂｅｒｔ（１９８４）Ｐｒｏｃ．Ｎａｔｌ．Ａｃａｄ．Ｓｃｉ．ＵＳＡ　８１：１９９１〜１９９５を参照のこと）。
【００６９】
好ましくは、配列番号１のヌクレオチド配列にストリンジェントな条件下でハイブリダイズする、本発明の単離された核酸分子は、天然に存在する核酸分子に対応する。本明細書中で使用される場合、「天然に存在する」核酸分子とは、天然で存在するヌクレオチド配列を有する（例えば、天然のタンパク質をコードする）、ＲＮＡ分子またはＤＮＡ分子をいう。
【００７０】
その集団中に存在し得るＳＬＩＣ−１配列の天然に存在する対立遺伝子改変体に加えて、配列番号１のヌクレオチド配列受託番号＿としてＡＴＣＣに寄託されたプラスミドのＤＮＡ挿入物の）ヌクレオチド配列中への変異によって、変化が導入され得、それにより、ＳＬＩＣ−１タンパク質の機能的活性を変化することなく、コードされるＳＬＩＣ−１タンパク質のアミノ酸配列中に変化をもたらし得ることを、当業者はさらに認識する。例えば、「非必須」アミノ酸残基でのアミノ酸置換を生じるヌクレオチド置換が、配列番号１の配列もしくは受託番号＿としてＡＴＣＣに寄託されたプラスミドのＤＮＡ挿入物のヌクレオチド配列の配列中になされ得る。「非必須」アミノ酸残基は、ＳＬＩＣ−１核酸分子の野生型配列（例えば、配列番号２の配列）から、ＳＬＩＣ−１分子の機能的活性を変化することなく変化され得る残基であり、一方「必須」アミノ酸残基は、生物学的活性のために必要とされる。例えば、本発明のＳＬＩＣ−１タンパク質中で保存されるアミノ酸残基（例えば、免疫レセプターチロシンベースの活性モチーフ）は、変更するために特に制御しにくいと予期される。さらに、本発明のＳＬＩＣ−１タンパク質の間で保存されるさらなるアミノ酸残基およびＳＬＩＣファミリーの他のメンバーは、変更に影響を受け易いようである。
【００７１】
従って、本発明の別の局面は、活性について必須ではないアミノ酸残基における変化を含むＳＬＩＣ−１タンパク質をコードする核酸分子に関係する。このようなＳＬＩＣ−１タンパク質は、アミノ酸配列において配列番号２と異なるが、しかし生物学的活性を保持する。１つの実施形態において、単離された核酸分子は、タンパク質をコードするヌクレオチド配列を含み、ここで、このタンパク質は、配列番号２に少なくとも５０％、５５％、６０％、６５％、７０％、７５％、８０％、８５％、９０％、９５％、９６％、９７％、９８％、９９％またはそれ以上同一であるアミノ酸配列を含む。
【００７２】
配列番号２のタンパク質に同一であるＳＬＩＣ−１タンパク質をコードする単離された核酸分子が、配列番号１のヌクレオチド配列もしくは受託番号＿としてＡＴＣＣに寄託されたプラスミドのＤＮＡ挿入物のヌクレオチド配列中に１つ以上のヌクレオチド置換、付加または欠失を導入し、そのコードされるタンパク質中に１つ以上のアミノ酸置換、付加または欠失が導入されるようにすることによって、作製され得る。標準的技術（例えば、部位特異的変異誘発およびＰＣＲ媒介変異誘発）によって、配列番号１もしくは受託番号＿としてＡＴＣＣに寄託されたプラスミドのＤＮＡ挿入物のヌクレオチド配列中に、変異が導入され得る。好ましくは、保存的アミノ酸置換が、１つ以上の非必須アミノ酸残基でなされる。「保存的アミノ酸置換」は、そのアミノ酸残基が、類似の側鎖を有するアミノ酸残基によって置換される置換である。類似の側鎖を有するアミノ酸残基のファミリーは、当該分野で規定されている。これらのファミリーには、塩基性側鎖（例えば、リジン、アルギニン、ヒスチジン）、酸性側鎖（例えば、アスパラギン酸、グルタミン酸）、非荷電極性側鎖（例えば、グリシン、アスパラギン、グルタミン、セリン、スレオニン、チロシン、システイン）、非極性側鎖（例えば、アラニン、バリン、ロイシン、イソロイシン、プロリン、フェニルアラニン、メチオニン、トリプトファン）、β−分枝側鎖（例えば、スレオニン、バリン、イソロイシン）、および芳香族側鎖（例えば、チロシン、フェニルアラニン、トリプトファン、ヒスチジン）が挙げられる。従って、ＳＬＩＣ−１タンパク質における非必須アミノ酸残基は、好ましくは、同じ側鎖ファミリーからの別のアミノ酸残基で置換される。あるいは、別の実施形態において、ＳＬＩＣ−１コード配列のすべてまたは一部に沿ってランダムに、例えば、飽和（ｓａｔｕｒａｔｉｏｎ）変異誘発によって、変異が導入され得、そして生じた変異体が、ＳＬＩＣ−１の生物学的活性についてスクリーニングされ得、機能的活性を保持する変異体が同定され得る。配列番号１または受託番号＿としてＡＴＣＣに寄託されたプラスミドのＤＮＡ挿入物ヌクレオチド配列の変異誘発後、コードされるタンパク質が、組換え発現され得、そしてそのタンパク質の活性が、決定され得る。
【００７３】
好ましい実施形態において、変異ＳＬＩＣ−１タンパク質は、（１）非ＳＬＩＣ−１タンパク質分子と相互作用する能力；（２）ＳＬＩＣ−１依存的シグナル伝達経路を活性化する能力；（３）ＰＳＧＬ−１依存的シグナル伝達経路を調節する能力；（４）細胞間接着を調節する能力；（５）細胞骨格に関連するＰＳＧＬ−１を調節する能力；（６）細胞の活性化および／または細胞の増殖を調節する能力；ならびに（７）細胞の移動を調節する能力、についてアッセイされ得る。
【００７４】
上記のＳＬＩＣ−１タンパク質をコードする核酸分子に加えて、本発明の別の局面は、この核酸分子に対するアンチセンスである核酸分子を単離することに関する。「アンチセンス」核酸は、タンパク質をコードする「センス」核酸に相補的（例えば、二本鎖ｃＤＮＡ分子のコード鎖に相補的またはｍＲＮＡ配列に相補的）である、ヌクレオチド配列を含む。従って、アンチセンス核酸は、センス核酸に水素結合し得る。アンチセンス核酸は、ＳＬＩＣ−１コード鎖全体に相補的であり得るかまたはその一部分にのみ相補的であり得る。１つの実施形態において、アンチセンス核酸分子は、ＳＬＩＣ−１をコードするヌクレオチド配列のコード鎖の「コード領域」に対するアンチセンスである。用語「コード領域」とは、アミノ酸残基に翻訳されるコドンを含むヌクレオチド配列の領域をいう（例えば、配列番号１に対応するヒトＳＬＩＣ−１のコード領域）。別の実施形態において、アンチセンス核酸分子は、ＳＬＩＣ−１をコードするヌクレオチド配列のコード鎖の「非コード領域」に対するアンチセンスである。用語「非コード領域」とは、アミノ酸に翻訳されない、コード領域に隣接する５’配列および３’配列をいう（すなわち、５’非翻訳領域および３’非翻訳領域ともいう）。
【００７５】
本明細書に開示されるＳＬＩＣ−１をコードするコード鎖配列（例えば、配列番号１）を考慮すると、本発明のアンチセンス核酸は、ワトソン−クリックの塩基対形成の法則に従って設計され得る。このアンチセンス核酸分子は、ＳＬＩＣ−１　ｍＲＮＡのコード領域全体に相補的であり得るが、ＳＬＩＣ−１　ｍＲＮＡのコード領域または非コード領域の一部分のみに対するアンチセンスであるオリゴヌクレオチドであることがより好ましい。例えば、アンチセンスオリゴヌクレオチドは、ＳＬＩＣ−１　ｍＲＮＡの翻訳開始部位周辺の領域に相補的であり得る。アンチセンスオリゴヌクレオチドは、例えば、約５、１０、１５、２０、２５、３０、３５、４０、４５または５０ヌクレオチド長であり得る。本発明のアンチセンス核酸は、当該分野で公知の手順を用いる化学合成および酵素的連結反応を用いて構築され得る。例えば、アンチセンス核酸（例えば、アンチセンスオリゴヌクレオチド）は、天然に存在するヌクレオチドを使用して化学合成され得るか、またはその分子の生物学的安定性を増加するようにかもしくはそのアンチセンス核酸分子とセンス核酸分子との間に形成される二重鎖の物理的安定性を増加するように設計された、種々に改変されたヌクレオチドを使用して化学合成され得る（例えば、ホスホロチオエート誘導体およびアクリジン置換ヌクレオチドが使用され得る）。アンチセンス核酸を生成するために用いられ得る改変されたヌクレオチドの例としては、以下が挙げられる：５−フルオロウラシル、５−ブロモウラシル、５−クロロウラシル、５−ヨードウラシル、ヒポキサンチン、キサンチン（ｘａｎｔｉｎｅ）、４−アセチルシトシン、５−（カルボキシヒドロキシルメチル）ウラシル、５−カルボキシメチルアミノメチル−２−チオウリジン、５−カルボキシメチルアミノメチルウラシル、ジヒドロウラシル、β−Ｄ−ガラクシルキューオシン（β−Ｄ−ｇａｌａｃｔｏｓｙｌ　ｑｕｅｏｓｉｎｅ）、イノシン、Ｎ６−イソペンテニルアデニン、１−メチルグアニン、１−メチルイノシン、２，２−ジメチルグアニン、２−メチルアデニン、２−メチルグアニン、３−メチルシトシン、５−メチルシトシン、Ｎ６−アデニン、７−メチルグアニン、５−メチルアミノメチルウラシル、５−メトキシアミノメチルー２−チオウラシル、β−Ｄ−マンノシルキューオシン、５’−メトキシカルボキシメチルウラシル、５−メトキシウラシル、２−メチルチオ−Ｎ６−イソペンテニルアデニン、ウラシル−５−オキシ酢酸（ｖ）、ワイブトキソシン（ｗｙｂｕｔｏｘｏｓｉｎｅ）、プソイドウラシル、キューオシン、２−チオシトシン、５−メチル−２−チオウラシル、２−チオウラシル、４−チオウラシル、５−メチルウラシル、ウラシル−５−オキシ酢酸メチルエステル、ウラシル−５−オキシ酢酸（ｖ）、５−メチル−２−チオウラシル、３−（３−アミノ−３−Ｎ−２−カルボキシプロピル）ウラシル、（ａｃｐ３）ｗ、および２，６−ジアミノプリン。あるいは、このアンチセンス核酸は、核酸がアンチセンス方向（すなわち、挿入された核酸から転写されるＲＮＡが、目的の標的核酸に対してアンチセンス方向である（以下の小節でさらに説明される））にサブクローニングされた発現ベクターを使用して、生物学的に作製され得る。
【００７６】
本発明のアンチセンス核酸分子は、代表的には、被験体に投与されるかまたはインサイチュで生成されて、その結果、それらが、ＳＬＩＣ−１タンパク質をコードする細胞のｍＲＮＡおよび／またはゲノムのＤＮＡとハイブリダイズまたは結合して、それによりそのタンパク質の発現を、例えば、転写および／または翻訳を阻害することによって、阻害する。このハイブリダイゼーションは、安定な二重鎖を形成する従来のヌクレオチド相補性によってか、または例えば、ＤＮＡ二重鎖に結合するアンチセンス核酸分子の場合は、その二重らせんの主溝における特異的相互作用を介して、であり得る。本発明のアンチセンス核酸分子の投与経路の例としては、組織部位での直接注入が挙げられる。あるいは、アンチセンス核酸分子は、選択した細胞を標的とするように改変され得、その後全身投与され得る。例えば、全身投与のために、アンチセンス分子は、それらが、選択した細胞表面上に発現したレセプターまたは抗原に特異的に結合するように、例えば、細胞表面レセプターまたは抗原に結合するペプチドまたは抗体にそのアンチセンス核酸分子を連結することによって、改変され得る。このアンチセンス核酸分子はまた、本明細書中に記載されるベクターを使用して、細胞に送達され得る。このアンチセンス分子の十分な細胞内濃度を達成するために、そのアンチセンス核酸分子が強力なｐｏｌ　ＩＩプロモーターまたはｐｏｌ　ＩＩＩプロモーターの制御下に配置されたベクター構築物が、好ましい。
【００７７】
なお別の実施形態において、本発明のアンチセンス核酸分子は、α−アノマー核酸分子である。α−アノマー核酸分子は、通常のβユニットとは対照的に、それらの鎖が互いに平行に走っている、相補的ＲＮＡと特異的二本鎖ハイブリッドを形成する（Ｇａｕｌｔｉｅｒら（１９８７）Ｎｕｃｌｅｉｃ　Ａｃｉｄｓ．Ｒｅｓ．１５：６６２５〜６６４１）。このアンチセンス核酸分子はまた、２’−ｏ−メチルリボヌクレオチド（Ｉｎｏｕｅら（１９８７）Ｎｕｃｌｅｉｃ　Ａｃｉｄｓ　Ｒｅｓ．１５：６１３１〜６１４８）またはキメラＲＮＡ−ＤＮＡアナログ（Ｉｎｏｕｅら（１９８７）ＦＥＢＳ　Ｌｅｔｔ．２１５：３２７〜３３０）を含み得る。
【００７８】
なお別の実施形態において、本発明のアンチセンス核酸は、リボザイムである。リボザイムは、それらが相補的領域を有する一本鎖核酸（例えば、ｍＲＮＡ）を切断し得る、リボヌクレアーゼ活性を有する触媒ＲＮＡ分子である。従って、リボザイム（例えば、ハンマーヘッドリボザイム（ＨａｓｅｌｈｏｆｆおよびＧｅｒｌａｃｈ（１９８８）Ｎａｔｕｒｅ　３３４：５８５〜５９１に記載される））を用いて、ＳＬＩＣ−１　ｍＲＮＡ転写物を触媒切断し、それによりＳＬＩＣ−１　ｍＲＮＡの翻訳を阻害し得る。ＳＬＩＣ−１コード核酸についての特異性を有するリボザイムが、本明細書中に開示されるＳＬＩＣ−１　ｃＤＮＡのヌクレオチド配列に基づいて設計され得る（すなわち、配列番号１、または受託番号　としてＡＴＣＣで受託されるプラスミドのＤＮＡインサートのヌクレオチド配列）。例えば、活性部位のヌクレオチド配列が、ＳＬＩＣ−１コードｍＲＮＡにおいて切断されるヌクレオチド配列と相補的である、Ｔｅｔｒａｈｙｍｅｎａ　Ｌ−１９　ＩＶＳ　ＲＮＡの誘導体が、構築され得る。例えば、Ｃｅｃｈら、米国特許第４，９８７，０７１号；およびＣｅｃｈら、米国特許第５，１１６，７４２号を参照のこと。あるいは、ＳＬＩＣ−１　ｍＲＮＡを使用して、特定のリボヌクレアーゼ活性を有する触媒ＲＮＡをＲＮＡ分子のプールから選択し得る。例えば、Ｂａｒｔｅｌ，Ｄ．およびＳｚｏｓｔａｋ，Ｊ．Ｗ．、１９９３、Ｓｃｉｅｎｃｅ　２６１：１４１１〜１４１８を参照のこと。
【００７９】
あるいは、ＳＬＩＣ−１遺伝子発現が、標的細胞中のＳＬＩＣ−１遺伝子の転写を妨げる三重らせん構造を形成するようにＳＬＩＣ−１の調節領域（例えば、ＳＬＩＣ−１プロモーターおよび／またはエンハンサー）に相補的であるヌクレオチド配列を標的とすることによって、阻害され得る。一般的には、Ｈｅｌｅｎｅ，Ｃ．（１９９１）Ａｎｔｉｃａｎｃｅｒ　Ｄｒｕｇ　Ｄｅｓ．６（６）：５６９〜８４；Ｈｅｌｅｎｅ，Ｃ．ら（１９９２）Ａｎｎ．Ｎ．Ｙ．Ａｃａｄ．Ｓｃｉ．６６０：２７〜３６；およびＭａｈｅｒ，Ｌ．Ｊ．（１９９２）Ｂｉｏａｓｓａｙｓ　１４（１２）：８０７〜１５を参照のこと。
【００８０】
なお別の実施形態において、本発明のＳＬＩＣ−１核酸分子は、例えば、その分子の安定性、ハイブリダイゼーション、または可溶性を改善するために、塩基部分、糖部分またはリン酸骨格にて改変され得る。例えば、その核酸分子のデオキシリボースリン酸骨格が、ペプチド核酸を生成するように改変され得る（Ｈｙｒｕｐ　Ｂ．ら（１９９６）Ｂｉｏｏｒｇａｎｉｃ　＆　Ｍｅｄｉｃｉｎａｌ　Ｃｈｅｍｉｓｔｒｙ　４（１）：５〜２３を参照のこと）。本明細書中で使用される場合、用語「ペプチド核酸」または「ＰＮＡ」は、デオキシリボースリン酸骨格がプソイドペプチド骨格によって置換され、４つの天然の核酸塩基のみが保持されている、核酸模倣物（例えば、ＤＮＡ模倣物）をいう。ＰＮＡの天然の骨格は、低イオン強度条件下でのＤＮＡとＲＮＡとの特異的ハイブリダイゼーションを可能にすることが示されている。ＰＮＡオリゴマーの合成は、Ｈｙｒｕｐ　Ｂ．ら（１９９６）前出；Ｐｅｒｒｙ−Ｏ’Ｋｅｅｆｅら　Ｐｒｏｃ．Ｎａｔｌ．Ａｃａｄ．Ｓｃｉ．ＵＳＡ　９３：１４６７０〜６７５に記載される、標準的固相ペプチド合成プロトコールを使用して実施され得る。
【００８１】
ＳＬＩＣ−１核酸分子のＰＮＡは、治療適用および診断適用にて使用され得る。例えば、ＰＮＡは、例えば、転写もしくは翻訳の停止を誘導することによってかまたは複製を阻害することによって、遺伝子発現の配列特異的調節のためのアンチセンスまたはアンチジーン（ａｎｔｉｇｅｎｅ）剤として使用され得る。ＳＬＩＣ−１核酸分子のＰＮＡはまた、（例えば、ＰＮＡ指向的ＰＣＲクランピング（ＰＮＡ−ｄｉｒｅｃｔｅｄ　ＰＣＲ　ｃｌａｍｐｉｎｇ）による）遺伝子中の一塩基対変異の分析においてか；他の酵素（例えば、Ｓ１ヌクレアーゼ（Ｈｙｒｕｐ　Ｂ．（１９９６）前出））と組み合わせて使用した場合に「人工的制限酵素」としてか；またはＤＮＡ配列決定もしくはハイブリダイゼーションのためのプローブまたはプライマーとして（Ｈｙｒｕｐ　Ｂ．ら（１９９６）前出；Ｐｅｒｒｙ−Ｏ’Ｋｅｅｆｅ、前出）、使用され得る。
【００８２】
別の実施形態において、ＳＬＩＣ−１のＰＮＡは、（例えば、その安定性または細胞の取込みを増強するために）ＰＮＡに親油性基または他のヘルパー基を結合することによってか、ＰＮＡ−ＤＮＡキメラの形成によってか、またはリポソームの使用もしくは当該分野で公知の他の薬物送達技術の使用によって、改変され得る。例えば、ＰＮＡおよびＤＮＡの有利な特性を兼ね備え得る、ＳＬＩＣ−１核酸分子のＰＮＡ−ＤＮＡキメラが、作製され得る。このようなキメラは、そのＰＮＡ部分が高い結合親和性および結合特異性を提供しながら、ＤＮＡ認識酵素（例えば、ＲＮアーゼＨおよびＤＮＡポリメラーゼ）がそのＤＮＡ部分と相互作用することを可能にする。ＰＮＡ−ＤＮＡキメラは、塩基スタッキング、核酸塩基間の結合数、および方向に関して選択された適切な長さのリンカーを使用して、連結され得る（Ｈｙｒｕｐ　Ｂ．（１９９６）前出）。ＰＮＡ−ＤＮＡキメラの合成は、Ｈｙｒｕｐ　Ｂ．（１９９６）前出およびＦｉｎｎ　Ｐ．Ｊ．ら（１９９６）Ｎｕｃｌｅｉｃ　Ａｃｉｄｓ　Ｒｅｓ．２４（１７）３３５７〜６３に記載されるように実施され得る。例えば、ＤＮＡ鎖は、標準的ホスホルアミダイト結合化学を使用して、固体支持体上で合成され得、そして改変型ヌクレオシドアナログ（例えば、５’−（４−メトキシトリチル）アミノ５’−デオキシ−チミジンホスホルアミダイト）が、ＰＮＡとＤＮＡの５’末端との間で使用され得る（Ｍａｇ，Ｍ．ら（１９８９）Ｎｕｃｌｅｉｃ　Ａｃｉｄ　Ｒｅｓ．１７：５９７３〜８８）。次いで、ＰＮＡモノマーが、５’ＰＮＡセグメントおよび３’ＤＮＡセグメントを有するキメラ分子を生成するように、段階様式で結合される（Ｆｉｎｎ　Ｐ．Ｊ．ら（１９９６）前出）。あるいは、５’ＤＮＡセグメントおよび３’ＰＮＡセグメントを有するキメラ分子が、合成され得る（Ｐｅｔｅｒｓｅｒ，Ｋ．Ｈ．ら（１９７５）Ｂｉｏｏｒｇａｎｉｃ　Ｍｅｄ．Ｃｈｅｍ．Ｌｅｔｔ．５：１１１９〜１１１２４）。
【００８３】
他の実施形態において、このオリゴヌクレオチドは、ペプチドのような他の付加基（例えば、インビボで宿主細胞レセプターを標的するため）、または細胞膜（例えば、Ｌｅｔｓｉｎｇｅｒら（１９８９）Ｐｒｏｃ．Ｎａｔｌ．Ａｃａｄ．Ｓｃｉ．ＵＳＡ　８６：６５５３〜６５５６；Ｌｅｍａｉｔｒｅら（１９８７）Ｐｒｏｃ．Ｎａｔｌ．Ａｃａｄ．Ｓｃｉ．ＵＳＡ　８４：６４８〜６５２；ＰＣＴ公開番号ＷＯ８８／０９８１０を参照のこと）または血液脳関門（例えば、ＰＣＴ公開番号ＷＯ８９／１０１３４を参照のこと）を横切る輸送を促進する因子を含み得る。さらに、オリゴヌクレオチドは、ハイブリダイゼーション誘因切断剤（例えば、Ｋｒｏｌら（１９８８）Ｂｉｏ−Ｔｅｃｈｎｉｑｕｅｓ　６：９５８〜９７６を参照のこと）またはインターカレート剤（例えば、Ｚｏｎ（１９８８）Ｐｈａｒｍ．Ｒｅｓ．５：５３９〜５４９を参照のこと）で改変され得る。この目的のために、このオリゴヌクレオチドは、別の分子（例えば、ペプチド、ハイブリダイゼーション誘因架橋剤、輸送因子、またはハイブリダイゼーション誘因切断剤）と結合体化され得る。
【００８４】
あるいは、細胞株または微生物内の内因性ＳＬＩＣ−１遺伝子の発現特性は、安定細胞株のゲノムまたはクローニングされた微生物のゲノム中に異種ＤＮＡ調節エレメントを挿入することによって改変され得、その結果、挿入された調節エレメントは、内因性ＳＬＩＣ−１遺伝子と作動可能に連結する。例えば、通常「転写的にサイレント」である内因性ＳＬＩＣ−１遺伝子（すなわち、通常、細胞株または微生物において発現されないかまたは非常に低いレベルでのみ発現されるＳＬＩＣ−１遺伝子）は、その細胞株または微生物において通常発現される遺伝子産物の発現を促進し得る調節エレメントの挿入によって活性化され得る。あるいは、転写的にサイレントである内因性ＳＬＩＣ−１遺伝子は、複数の細胞型にわたって機能する無差別的な調節エレメントの挿入によって活性化され得る。
【００８５】
異種調節エレメントは、安定な細胞株またはクローニングされた微生物中に挿入され得、その結果、当業者に周知であり、そして例えば、Ｃｈａｐｐｅｌの米国特許第５，２７２，０７１号；１９９１年５月１６日に公開されたＰＣＴ公開番号ＷＯ９１／０６６６７に記載される技術（例えば、標的化相同組換え）を用いて内因性ＳＬＩＣ−１遺伝子と作動可能に連結される。
【００８６】
（ＩＩ．単離されたＳＬＩＣ−１タンパク質および抗ＳＬＩＣ−１抗体）
本発明の１つの局面は、単離されたＳＬＩＣ−１タンパク質およびその生物学的に活性な部分、ならびに抗ＳＬＩＣ−１抗体を惹起するための免疫原としての使用に適切なポリペプチドフラグメントに関する。１つの実施形態において、ネイティブなＳＬＩＣ−１タンパク質は、標準的タンパク質精製技術を用いて適切な精製スキームによって細胞または組織供給源から単離され得る。別の実施形態において、ＳＬＩＣ−１タンパク質は、組み換えＤＮＡ技術によって産生され得る。組み換え発現に代えて、ＳＬＩＣ−１タンパク質またはポリペプチドは、標準的ペプチド合成技術を用いて、化学的に合成され得る。
【００８７】
「単離された」または「精製された」タンパク質またはその生物学的に活性な部分は、ＳＬＩＣ−１タンパク質が由来する細胞源もしくは組織源に由来する細胞物質もしくは他の夾雑タンパク質を実質的に含まないか、または化学的合成される場合に、化学前駆体もしくは他の化学物質を実質的に含まない。用語「細胞物質を実質的に含まない」とは、タンパク質が、それが単離されるかまたは組換え産生される細胞の細胞成分から分離されている、ＳＬＩＣ−１タンパク質の調製物を含む。１つの実施形態では、用語「細胞物質を実質的に含まない」とは、非ＳＬＩＣ−１タンパク質（本明細書中で「夾雑タンパク質」ともいう）を約３０％未満（乾燥重量）、より好ましくは、非ＳＬＩＣ−１タンパク質を約２０％未満、なおより好ましくは、非ＳＬＩＣ−１タンパク質を約１０％未満、そして最も好ましくは、非ＳＬＩＣ−１タンパク質を約５％未満有するＳＬＩＣ−１タンパク質の調製物を含む。ＳＬＩＣ−１タンパク質またはその生物学的に活性な部分が、組換え産生される場合、これらはまた、好ましくは、培養培地を実質的に含まない（すなわち、培養培地は、タンパク質調製物の容量の、約２０％未満、より好ましくは、約１０％未満、そして最も好ましくは、約５％未満を表す）。
【００８８】
用語「化学前駆体または他の化学物質を実質的に含まない」とは、タンパク質がタンパク質の合成に関与する化学前駆体または他の化学物質から分離されている、ＳＬＩＣ−１タンパク質の調製物を含む。１つの実施形態では、用語「化学前駆体または他の化学物質を実質的に含まない」とは、化学前駆体または非ＳＬＩＣ−１化学物質を約３０％未満（乾燥重量）、より好ましくは、化学前駆体または非ＳＬＩＣ−１化学物質を約２０％未満、なおより好ましくは、化学前駆体または非ＳＬＩＣ−１化学物質を約１０％未満、そして最も好ましくは、化学前駆体または非ＳＬＩＣ−１化学物質を約５％未満有するＳＬＩＣ−１タンパク質の調製物を含む。
【００８９】
本明細書中で使用される場合、ＳＬＩＣ−１タンパク質の「生物学的に活性な部分」は、ＳＬＩＣ−１分子と非ＳＬＩＣ−１分子との間の相互作用に関与するＳＬＩＣ−１タンパク質のフラグメントを含む。ＳＬＩＣ−１タンパク質の生物学的に活性な部分は、ＳＬＩＣ−１タンパク質のアミノ酸配列と十分に同一であるかまたはＳＬＩＣ−１タンパク質のアミノ酸配列に由来するアミノ酸配列（例えば、配列番号２に示されるアミノ酸配列）を含むペプチドを含み、これは、全長のＳＬＩＣ−１タンパク質よりも少ないアミノ酸を含み、そしてＳＬＩＣ−１タンパク質の少なくとも１つの活性を示す。代表的に、生物学的に活性な部分は、ＳＬＩＣ−１タンパク質の少なくとも１つの活性を有する（例えば、シグナル伝達、細胞骨格関連ＰＳＧＬ−１、または細胞接着を調節する）ドメインまたはモチーフを含む。ＳＬＩＣ−１タンパク質の生物学的に活性な部分は、例えば、２５、３０、３５、４０、４５、５０、７５、８８、１００、１２５、１５０、１６０、１７５、２００、２２６以上のアミノ酸長であるポリペプチドであり得る。ＳＬＩＣ−１タンパク質の生物学的に活性な部分は、ＳＬＩＣ−１媒介活性（例えば、シグナル伝達、細胞骨格関連ＰＳＧＬ−１、または細胞接着の調節）を調節する因子を発生させるための標的として用いられ得る。
【００９０】
１つの実施形態において、ＳＬＩＣ−１タンパク質の生物学的活性な部分は、少なくとも１つの免疫レセプターチロシンベースの活性化モチーフを含む。さらに、他の生物学的活性な部分（ここで、このタンパク質の他の領域が欠失される）は、組換え技術によって調製され得、そしてネイティブなＳＬＩＣ−１タンパク質の機能的活性の１つ以上について評価され得る。
【００９１】
好ましい実施形態において、ＳＬＩＣ−１タンパク質は、配列番号２に示されるアミノ酸配列を有する。他の実施形態において、ＳＬＩＣ−１タンパク質は、配列番号２と実質的に同一であり、上の小節Ｉに詳細に記載されるように、天然の対立遺伝子改変体または突然変異誘発に起因してアミノ酸配列を異にするが、配列番号２のタンパク質の機能的活性を保持している。従って、別の実施形態において、ＳＬＩＣ−１タンパク質は、配列番号２と少なくとも約５０％、５５％、６０％、６５％、７０％、７５％、８０％、８５％、９０％、９５％、９６％、９７％、９８％、９９％以上同一のアミノ酸配列を含むタンパク質である。
【００９２】
２つのアミノ酸配列または２つの核酸配列の間の同一性パーセントを決定するため、この配列を至適比較目的で整列させる（例えば、ギャップは、至適アライメントのために第一および第二のアミノ酸配列または第一および第二の核酸配列の１つまたは両方において導入され得、そして同一でない配列は、比較目的のために無視され得る）。好ましい実施形態において、比較目的のために整列された参照配列の長さは、参照配列の長さの少なくとも３０％、好ましくは少なくとも４０％、より好ましくは少なくとも５０％、なおより好ましくは少なくとも６０％、そしてなおより好ましくは少なくとも７０％、８０％、または９０％の長さである（例えば、３１６個のアミノ酸残基を有する配列番号２のＳＬＩＣ−１アミノ酸配列に対して第二の配列を整列する場合、少なくとも９５個、好ましくは少なくとも１２６個、より好ましくは１５８個、なおより好ましくは少なくとも１９０個、そしてなおより好ましくは２２１個以上のアミノ酸残基が整列される）。次いで、対応するアミノ酸の位置またはヌクレオチドの位置で、アミノ酸残基またはヌクレオチドを比較する。第一の配列における位置が、第二の配列における対応する位置と同じアミノ酸残基またはヌクレオチドによって占有される場合、この分子は、その位置で同一である（本明細書中で用いられる場合、アミノ酸または核酸の「同一性」は、アミノ酸または核酸の「相同性」と等価である）。２つの配列の間の同一性パーセントは、ギャップの数および各ギャップの長さを考慮した、これらの配列によって共有される同一の位置の数の関数である（ギャップの数および各ギャップの長さは、２つの配列の至適アラインメントのために導入される必要がある）。
【００９３】
配列の比較および２つの配列間の同一性パーセントの決定は、数学アルゴリズムを使って達成され得る。好ましい実施形態では、２つのアミノ酸配列間の同一性パーセントを決定するにあたり、ＧＣＧソフトウェアパッケージ（ｈｔｔｐ：／／ｗｗｗ．ｇｃｇ．ｃｏｍで入手可能）中のＧＡＰプログラムに組みこまれたＮｅｅｄｌｅｍａｎおよびＷｕｎｓｃｈ（Ｊ．Ｍｏｌ．Ｂｉｏｌ．（４８）：４４４〜４５３（１９７０））のアルゴリズムを使用し、Ｂｌｏｓｕｍ６２マトリックスまたはＰＡＭ２５０マトリックスのいずれかを使用し、かつギャップ量を１６、１４、１２、１０、８、６または４とし、長さ量を１、２、３、４、５または６にしている。さらに別の好ましい実施形態で、２つのヌクレオチド配列間の同一性パーセントを決定するにあたり、ＧＡＰプログラムをＧＣＧソフトウェアパッケージ（ｈｔｔｐ：／／ｗｗｗ．ｇｃｇ．ｃｏｍで入手可能）で使用し、ＮＷＳｇａｐｄｎａ、ＣＭＰマトリックスを使用し、かつギャップ重量を４０、５０、６０、７０または８０とし、長さ重量を１、２、３、４、５または６にしている。別の実施形態において、２つのアミノ酸配列間または２つのヌクレオチド配列間の同一性パーセントは、Ｅ．ＭｅｙｅｒｓおよびＷ．Ｍｉｌｌｅｒ（（１９８８）Ｃｏｍｐｕｔ．Ａｐｐｌ．Ｂｉｏｓｃｉ．４：１１〜１７）のアルゴリズムを用いて決定され、このアルゴリズムは、ＡＬＩＧＮプログラム（バージョン２．０）中に組み込まれており、ＰＡＭ１２０ウェイト残基表（ｗｅｉｇｈｔ　ｒｅｓｉｄｕｅ　ｔａｂｌｅ）、ギャップ長ペナルティー１２、およびギャップペナルティー４が使用される。
【００９４】
本発明の核酸およびタンパク質配列を「問合せ配列」としてさらに使用して公的データベースを検索すれば、例えば他のファミリーメンバーあるいは関連配列を同定することができる。このような検索は、Ａｌｔｓｃｈｕｌ，ら（１９９０）Ｊ．Ｍｏｌ．Ｂｉｏｌ．２１５：４０３−１０のＮＢＬＡＳＴおよびＸＢＬＡＳＴプログラム（ｖｅｒｓｉｏｎ２．０）を使用して実行できる。ＢＬＡＳＴヌクレオチド探索をＮＢＬＡＳＴプログラム、ｓｃｏｒｅ＝１００、ｗｏｒｄｌｅｎｇｔｈ＝１２で実行すれば、本発明のＳＬＩＣ−１核酸分子に相同なヌクレオチド配列を得ることができる。ＢＬＡＳＴタンパク質探索をＸＢＬＡＳＴプログラム、ｓｃｏｒｅ＝１００、ｗｏｒｄｌｅｎｇｔｈ＝３で実行すれば、本発明のＳＬＩＣ−１タンパク質分子に相同なアミノ酸配列を得ることができる。Ｇａｐｐｅｄ　ＢＬＡＳＴをＡｌｔｓｃｈｕｌら（１９９７）Ｎｕｃｌｅｉｃ　Ａｃｉｄｓ　Ｒｅｓ．２５（１７）：３３８９−３４０２に記載のように利用すれば、比較目的のための隙間整列を得ることができる。ＢＬＡＳＴおよびＧａｐｐｅｄＢＬＡＳＴプログラムを利用する際に、各プログラムの（例えば、ＸＢＬＡＳＴおよびＮＢＬＡＳＴ）デフォルトパラメータを使用できる。ｈｔｔｐ／／ｗｗｗ．ｎｃｂｉ．ｎｌｍ．ｎｉｈ．ｇｏｖ．参照。
【００９５】
本発明はまた、ＳＬＩＣ−１キメラタンパク質または融合タンパク質を提供する。本明細書において使用される、ＳＬＩＣ−１「キメラタンパク質」または「融合タンパク質」は、非ＳＬＩＣ−１ポリペプチドに作動可能に結合されたＳＬＩＣ−１ポリペプチドを含む。「ＳＬＩＣ−１ポリペプチド」は、ＳＬＩＣ−１ポリペプチドに対応するアミノ酸配列を有するポリペプチドをいうが、「非ＳＬＩＣ−１ポリペプチド」は、ＳＬＩＣ−１タンパク質に実質的に相同ではないタンパク質（例えば、ＳＬＩＣ−１タンパク質と異なり、かつ同一または異なる生物から誘発したタンパク質）に対応するアミノ酸配列を有するポリペプチドをいう。ＳＬＩＣ−１融合タンパク質の範囲内で、ＳＬＩＣ−１ポリペプチドは、ＳＬＩＣ−１タンパク質の全てまたは一部に対応し得る。好ましい実施形態で、ＳＬＩＣ−１融合タンパク質は、ＳＬＩＣ−１タンパク質の少なくとも２つの生化学的活性部分を含む。融合タンパク質の範囲内で、用語「作動可能に結合された」は、ＳＬＩＣ−１ポリペプチドおよび非ＳＬＩＣ−１ポリペプチドが相互にインフレームで融合することを意味することが意図される。非ＳＬＩＣ−１ポリペプチドは、ＳＬＩＣ−１ポリペプチドのＮ末端またはＣ末端に融合され得る。
【００９６】
例えば、１つの実施形態において、融合タンパク質は、ＧＳＴ−ＳＬＩＣ−１の融合タンパク質であり、ここでＳＬＩＣ−１配列は、ＧＳＴ配列のＣ末端に融合されている。
【００９７】
別の実施形態において、この融合タンパク質は、Ｔ７−ＳＬＩＣ−１融合タンパク質であり、ここでＳＬＩＣ−１配列は、Ｔ７タンパク質タグのようなＴ７配列に融合されている（実施例４を参照のこと）。このような融合タンパク質は、組み換えＳＬＩＣ−１の精製および／または検出を容易にし得る。
【００９８】
本発明のＳＬＩＣ−１融合タンパク質は、薬学的組成物中にとり込まれ、そしてインビボで被験体に投与され得る。ＳＬＩＣ−１融合タンパク質を用いて、ＳＬＩＣ−１基質の生物学的利用能に影響を与え得る。ＳＬＩＣ−１融合タンパク質の使用は、例えば、以下によって生じる障害の処置に治療上有用であり得る：（ｉ）ＳＬＩＣ−１タンパク質をコードする遺伝子の異常な改変または変異；（ｉｉ）ＳＬＩＣ−１遺伝子の誤った調節；および（ｉｉｉ）ＳＬＩＣ−１タンパク質の異常な翻訳後の修飾。
【００９９】
さらに、本発明のＳＬＩＣ−１融合タンパク質を、免疫原として用いて、被験体中で抗ＳＬＩＣ−１抗体を産生し得、ＳＬＩＣ−１リガンドを精製し得、そしてスクリーニングアッセイにおいてＳＬＩＣ−１基質とＳＬＩＣ−１との相互作用を阻害する分子を同定し得る。
【０１００】
好ましくは、本発明のＳＬＩＣ−１キメラタンパク質または融合タンパク質は、標準的組み換えＤＮＡ技術によって生成され得る。例えば、異なるポリペプチド配列をコードするＤＮＡフラグメントは、例えば、連結のための平滑末端またはずれた末端、適切な末端を得るための制限酵素消化、必要に応じて粘着性末端の充填、所望されない接続を回避するためのアルカリホスファターゼ処理、および酵素的ライゲーション（連結）を使用して、従来の技術に従ってインフレームで一緒に連結される。別の実施形態では、融合遺伝子は、自動ＤＮＡ合成器を含む従来の技術によって合成され得る。あるいは、遺伝子フラグメントのＰＣＲ増幅は、２つの保存的遺伝子フラグメントの間の相補的オーバーハングを生じる、アンカープライマーを用いて実行され得る。この遺伝子フラグメントは、引き続いてキメラ遺伝子配列を生成するためにアニーリングおよび再増幅され得る（例えば、Ｃｕｒｒｅｎｔ　Ｐｒｏｔｏｃｏｌｓ　ｉｎ　Ｍｏｌｅｃｕｌａｒ　Ｂｉｏｌｏｇｙ、編、Ａｕｓｕｂｅｌら、Ｊｏｈｎ　Ｗｉｌｅｙ　＆　Ｓｏｎｓ：１９９２、を参照のこと）。さらに、既に融合部分をコードしている多くの発現ベクターが、市販されている（例えば、ＧＳＴポリペプチド）。ＳＬＩＣ−１コード核酸は、融合部分がＳＬＩＣ−１タンパク質にインフレームで連結されるように、このような発現ベクター中にクローニングされ得る。
【０１０１】
本発明はまた、ＳＬＩＣ−１アゴニスト（模倣物）またはＳＬＩＣ−１アンタゴニストのいずれかとして機能する、ＳＬＩＣ−１タンパク質の改変体に関する。ＳＬＩＣ−１タンパク質の改変体は、変異誘発（例えば、別個の点変異またはＳＬＩＣ−１タンパク質の短縮）によって生成し得る。ＳＬＩＣ−１タンパク質のアゴニストは、天然に存在する形態のＳＬＩＣ−１タンパク質の生物学的活性と実質的に同じか、またはそのサブセットの活性を維持し得る。ＳＬＩＣ−１タンパク質のアンタゴニストは、例えば、ＳＬＩＣ−１タンパク質の細胞活性を競合的に調節することによって、天然に存在する形態のＳＬＩＣ−１タンパク質の活性の１つ以上を阻害し得る。従って、特定の生物学的効果が、制限された機能の改変体での処理によって、惹起され得る。１つの実施形態において、天然に存在する形態のタンパク質の生物学的活性のサブセットを有する改変体での、被検体の処置は、天然に存在する形態のＳＬＩＣ−１タンパク質での処置と比較して、被験体における副作用がより少ない。
【０１０２】
１つの実施形態において、ＳＬＩＣ−１アゴニスト（模倣物）またはＳＬＩＣ−１アンタゴニストのいずれかとして機能する、ＳＬＩＣ−１タンパク質の改変体は、ＳＬＩＣ−１タンパク質の変異体（例えば、短縮変異体）のコンビナトリアルライブラリーを、ＳＬＩＣ−１タンパク質のアゴニスト活性またはアンタゴニスト活性についてスクリーニングすることによって、同定され得る。１つの実施形態において、ＳＬＩＣ−１改変体の異型ライブラリーが、核酸レベルでのコンビナトリアル変異誘発によって生成され、そして異型遺伝子ライブラリーによってコードされる。ＳＬＩＣ−１改変体の異型ライブラリーは、例えば、合成オリゴヌクレオチドの混合物を遺伝子配列に酵素的に連結し、その結果、潜在的なＳＬＩＣ−１配列の変性のセットが、個々のポリペプチドとしてか、またはＳＬＩＣ−１配列のセットを含むより大きな融合タンパク質（例えば、ファージディスプレイに関して）のセットとして表現可能であるようにすることによって、作製され得る。変性オリゴヌクレオチド配列から潜在的なＳＬＩＣ−１改変体のライブラリーを作製するために使用され得る、種々の方法が存在する。変性遺伝子配列の化学合成が、自動化ＤＮＡ合成機において実施され得、次いで合成遺伝子が、適切な発現ベクターに連結され得る。遺伝子の変性セットを使用することによって、１つの混合物において、所望のセットの潜在的なＳＬＩＣ−１配列をコードする配列の全てを提供することが、可能となる。変性オリゴヌクレオチドを合成するための方法は、当該分野において公知である（例えば、Ｎａｒａｎｇ，Ｓ．Ａ．，１９８３、Ｔｅｔｒａｈｅｄｒｏｎ　３９：３；Ｉｔａｋｕｒａら、１９８４，Ａｎｎｕ．Ｒｅｖ．Ｂｉｏｃｈｅｍ．５３：３２３；Ｉｔａｋｕｒａら、１９８４，Ｓｃｉｅｎｃｅ　１９８４：１０５６；Ｉｋｅら、１９８３，Ｎｕｃｌｅｉｃ　Ａｃｉｄ　Ｒｅｓ．１１：４７７を参照のこと）。
【０１０３】
さらに、ＳＬＩＣ−１タンパク質コード配列のフラグメントのライブラリーを使用して、ＳＬＩＣ−１タンパク質の改変体のスクリーニングおよび引き続く選択のための、ＳＬＩＣ−１フラグメントの異型集団を生成し得る。１つの実施形態において、コード配列フラグメントのライブラリーは、ＳＬＩＣ−１コード配列の二本鎖ＰＣＲフラグメントを、ヌクレアーゼで、ニックが１分子あたり約１回のみ起こる条件下で処理し、この二本鎖ＤＮＡを変性し、このＤＮＡを再生して異なるニック産物由来のセンス／アンチセンス対を含み得る二本鎖ＤＮＡを形成し、Ｓ１ヌクレアーゼでの処理によって、再形成した二重鎖から一本鎖部分を除去し、そして得られるフラグメントライブラリーを発現ベクターに連結することによって、生成され得る。この方法によって、ＳＬＩＣ−１タンパク質のＮ末端、Ｃ末端、および種々の大きさの内部フラグメントをコードする、発現ライブラリーが誘導され得る。
【０１０４】
点変異または短縮によって作製したコンビナトリアルライブラリーの遺伝子産物をスクリーニングするため、および選択された特性を有する遺伝子産物についてｃＤＮＡライブラリーをスクリーニングするための、いくつかの技術が当該分野において公知である。このような技術は、ＳＬＩＣ−１タンパク質のコンビナトリアル変異誘発によって生成した遺伝子ライブラリーの迅速なスクリーニングのために、適合可能である。高スループット分析に耐え得る、大きな遺伝子ライブラリーをスクリーニングするために最も広く使用される技術は、代表的に、この遺伝子ライブラリーを複製可能な発現ベクターにクローニングする工程、適切な細胞を得られるベクターのライブラリーで形質転換する工程、およびこのコンビナトリアル遺伝子を、以下の条件で発現させる工程を包含する：所望の活性の検出が、産物が検出された遺伝子をコードするベクターの単離を容易にする条件。反復的な集団変異誘発（ＲＥＭ）（ライブラリーにおける機能的な変異体の頻度を増強する技術）を、スクリーニングアッセイと組み合わせて使用して、ＳＬＩＣ−１改変体を同定し得る（ＡｒｋｉｎおよびＹｏｕｒｖａｎ，１９９２，Ｐｒｏｃ．Ｎａｔｌ．Ａｃａｄ．Ｓｃｉ．ＵＳＡ　８９：７８１１−７８１５；Ｄｅｌｇｒａｖｅら、１９９３，Ｐｒｏｔｅｉｎ　Ｅｎｇｉｎｅｅｒｉｎｇ　６（３）：３２７−３３１）。
【０１０５】
１つの実施形態において、細胞に基づくアッセイを開発して、異型のＳＬＩＣ−１ライブラリーを分析し得る。例えば、発現ベクターのライブラリーが、特定のＳＬＩＣ−１リガンドに依存する様式でＳＬＩＣ−１リガンドに通常応答する細胞株（例えば、造血細胞株）にトランスフェクトされ得る。次いで、トランスフェクトされた細胞を、ＳＬＩＣ−１リガンドに接触させ、そして例えば、シグナル伝達、細胞骨格とのＰＳＧＬ−１会合、または細胞接着に対する変異体の発現の効果が検出され得る。次いで、プラスミドＤＮＡが、ＳＬＩＣ−１リガンドによるシグナル伝達の阻害または増幅に関してスコア付けされた細胞から収集され得、そして個々のクローンがさらに特徴付けられ得る。
【０１０６】
単離されたＳＬＩＣ−１タンパク質またはその部分もしくはこれらのフラグメントを免疫原として使用して、ポリクローナル抗体およびモノクローナル抗体の製造についての標準的な技術を用いてＳＬＩＣ−１を結合する抗体を生成し得る。完全長のＳＬＩＣ−１タンパク質は、免疫原として使用され得るか、あるいは本発明により、免疫原として使用するためのＳＬＩＣ−１の抗原性ペプチドフラグメントが提供され得る。ＳＬＩＣ−１ポリペプチドの抗原性ペプチドフラグメントは、配列番号２に示されるアミノ酸配列の少なくとも８個のアミノ酸残基を含み、そしてＳＬＩＣ−１ポリペプチドのエピトープを含み、その結果、そのペプチドに対して惹起された抗体は、ＳＬＩＣ−１と特定の免疫複合体を形成する。好ましくは、抗原性ペプチドには、少なくとも約１０個のアミノ酸残基、より好ましくは少なくとも約１５個のアミノ酸残基、さらにより好ましくは少なくとも約２０個のアミノ酸残基、そして最も好ましくは少なくとも約３０個のアミノ酸残基を含む。
【０１０７】
抗原性ペプチドによって含まれる好ましいエピトープは、タンパク質表面に位置するＳＬＩＣ−１の領域（例えば、親水性領域）および高い抗原性を有する領域である。
【０１０８】
典型的には、ＳＬＩＣ−１免疫原を使用して、この免疫原で適切な対象体（例えば、ウサギ、ヤギ、マウス、または他の哺乳動物）を免疫することによって抗体を調製する。適切な免疫原調製物には、例えば、組換えＳＬＩＣ−１タンパク質、または化学的に合成されたＳＬＩＣ−１ポリペプチドを含み得る。この調製物はさらに、フロイント完全アジュバントまたは不完全アジュバントのようなアジュバント、あるいは同様の免疫刺激性因子を含み得る。適切な対象体の免疫原性ＳＬＩＣ−１調製物での免疫は、ポリクローナル抗ＳＬＩＣ−１抗体の応答が誘導する。
【０１０９】
したがって、本発明の別の局面は、抗ＳＬＩＣ−１抗体に関する。本明細書中で用いられる場合、用語「抗体」は、免疫グロブリン分子および免疫グロブリン分子の免疫学的に活性部分（すなわち、抗原（例えば、ＳＬＩＣ−１）に特異的に結合する（免疫反応する）抗原結合部位を含む分子）をいう。免疫グロブリン分子の免疫学的に活性な部分の例は、抗体を酵素（例えば、ペプシン）によって処理することによって生成され得るＦ（ａｂ）およびＦ（ａｂ’）２フラグメントを含む。本発明は、ＳＬＩＣ−１に結合するポリクローナル抗体およびモノクローナル抗体を提供する。用語「モノクローナル抗体」および「モノクローナル抗体組成物」は、本明細書中で用いられる場合、ＳＬＩＣ−１の特定のエピトープと免疫反応し得る抗原結合部位の１つの種のみを含む、抗体分子の集団をいう。従って、モノクローナル抗体組成物は、代表的には、免疫反応する特定のＳＬＩＣ−１タンパク質に対する単一の結合親和性を表する。
【０１１０】
ポリクローナル抗ＳＬＩＣ−１抗体は、前記のごとく適切な対象体をＳＬＩＣ−１免疫原で免疫することにより調製され得る。免疫化被験体における抗ＳＬＩＣ−１抗体の力価は、標準的な方法、例えば、固定化ＳＬＩＣ−１ポリペプチドを使用する酵素結合免疫吸着検定法（ＥＬＩＳＡ）で長期にわたりモニターされ得る。所望であれば、ＳＬＩＣ−１ポリペプチドに対する抗体分子は、哺乳動物（例えば、血液）から単離され得、さらに周知の方法（例えば、ＩｇＧ画分を得るためのプロテインＡクロマトグラフィー）で精製され得る。免疫化後の適切な時点で、例えば、抗ＳＬＩＣ−１抗体力価が最高の場合に、抗体産生細胞が、被験体から取得され得、そしてこれを使用して標準的技術（例えば、ＫｏｈｌｅｒおよびＭｉｌｓｔｅｉｎ（１９７５，Ｎａｔｕｒｅ　２５６：４９５−４９７）によって初めて記載されたハイブリドーマ技術（Ｂｒｏｗｎら（１９８１）Ｊ．Ｉｍｍｕｎｏｌ．１２７：５３９−４６；Ｂｒｏｗｎら（１９８０）Ｊ　Ｂｉｏｌ．Ｃｈｅｍ．２５５：４９８０−８３；Ｙｅｈら（１９７６）Ｐｒｏｃ．Ｎａｔｌ．Ａｃａｄ．Ｓｃｉ．ＵＳＡ　７６：２９２７−３１；およびＹｅｈら（１９８２）Ｉｎｔ．Ｊ．Ｃａｎｃｅｒ　２９：２６９−７５もまた参照のこと）、より最近のヒトＢ細胞ハイブリドーマ技術（Ｋｏｚｂｏｒら（１９８３）Ｉｍｍｕｎｏｌ　Ｔｏｄａｙ　４：７２）、ＥＢＶハイブリドーマ技術（Ｃｏｌｅら（１９８５），Ｍｏｎｏｃｌｏｎａｌ　Ａｎｔｉｂｏｄｉｅｓ　ａｎｄ　Ｃａｎｃｅｒ　Ｔｈｅｒａｐｙ，Ａｌａｎ　Ｒ．Ｌｉｓｓ，Ｉｎｃ．，ｐｐ７７−９６）、あるいはトリオーマ技術によってモノクローナル抗体を調製し得る。モノクローナル抗体ハイブリドーマを生産する方法は、周知である（概して、Ｒ．Ｈ．Ｋｅｎｎｅｔｈ，ｉｎ　Ｍｏｎｏｃｌｏｎａｌ　Ａｎｔｉｂｏｄｉｅｓ：Ａ　Ｎｅｗ　Ｄｉｍｅｎｓｉｏｎ　Ｉｎ　Ｂｉｏｌｏｇｉｃａｌ　Ａｎａｌｙｓｅｓ，Ｐｌｅｎｕｍ　Ｐｕｂｌｉｓｈｉｎｇ　Ｃｏｒｐ．，Ｎｅｗ　Ｙｏｒｋ，Ｎｅｗ　Ｙｏｒｋ（１９８０）；Ｅ．Ａ．Ｌｅｒｎｅｒ（１９８１）Ｙａｌｅ　Ｊ．Ｂｉｏｌ．Ｍｅｄ．，５４：３８７−４０２；Ｍ．Ｌ．Ｇｅｆｔｅｒら（１９７７）Ｓｏｍａｔｉｃ　Ｃｅｌｌ　Ｇｅｎｅｔ．，３：２３１−３６を参照のこと）。概略すれば、不死化細胞株（典型的には、ミエローマ）は、上記のＳＬＩＣ−１免疫原で免疫された哺乳動物由来のリンパ球（典型的には、脾細胞）に融合され、そして生じたハイブリドーマ細胞の培養上清をスクリーニングして、ＳＬＩＣ−１に結合するモノクローナル抗体を産生するハイブリドーマを同定する。
【０１１１】
リンパ球と不死化細胞株を融合するのに使用される多数の周知のプロトコールのいずれかは、抗ＳＬＩＣ−１モノクローナル抗体を生成する目的に適用され得る（例えば、Ｇ．Ｇａｌｆｒｅら（１９７７）Ｎａｔｕｒｅ　２６６：５５０５２；Ｇｅｆｔｅｒら、Ｓｏｍａｔｉｃ　Ｃｅｌｌ　Ｇｅｎｅｔ．，上記で引用；Ｌｅｒｎｅｒ，Ｙａｌｅ　Ｊ．Ｂｉｏｌ．Ｍｅｄ．，上記で引用；Ｋｅｎｎｅｔｈ，Ｍｏｎｏｃｌｏｎａｌ　Ａｎｔｉｂｏｄｉｅｓ，上記で引用、を参照のこと）。さらに当業者は、このような方法の変型で有用なものが多数存在することを理解する。典型的には、不死化細胞株（例えば、ミエローマ細胞株）は、リンパ球と同一の哺乳動物種から誘導される。例えば、マウスのハイブリドーマが、本発明の免疫原性調製物で免疫されたマウス由来のリンパ球を不死化マウス細胞株と融合することによって作製され得る。好ましい不死化細胞株は、ヒポキサンチン、アミノプテリンおよびチミジン含有の培養培地（「ＨＡＴ培地」）に感受性であるマウスのミエローマ細胞株である。多数のミエローマ細胞株（例えば、Ｐ３−ＮＳ１／１−Ａｇ４−１、Ｐ３−ｘ６３−Ａｇ８．６５３、あるいはＳｐ２／Ｏ−Ａｇ１４ミエローマ系のいずれか）は、標準的な技術に従って融合パートナーとして使用され得る。これらのミエローマ株はＡＴＣＣから入手可能である。典型的には、ＨＡＴ感受性マウスミエローマ細胞は、ポリエチレングリコール（「ＰＥＧ」）を使用してマウス脾細胞に融合される。次いで、融合により得られたハイブリドーマ細胞は、ＨＡＴ培地を使用して選択される。この培地は、非融合ミエローマ細胞、および産生性のない融合ミエローマ細胞を殺滅する（非融合の脾細胞は形質転換されていないので、数日後に死滅する）。本発明のモノクローナル抗体を産生するハイブリドーマ細胞は、例えば標準的なＥＬＩＳＡアッセイを使用して、ＳＬＩＣ−１分子を結合する抗体についてハイブリドーマ培養上清をスクリーニングすることによって検出される。
【０１１２】
モノクローナル抗体−スクリーニング（ｓｅｃｒｅｔｉｎｇ）ハイブリドーマを調製するための代わりとして、モノクローナル抗−ＳＬＩＣ−１抗体は、組換えコンビナトリアル免疫グロブリンライブラリー（例えば、抗体ファージディスプレイライブラリー）をＳＬＩＣ−１を用いてスクリーニングすることによって、同定および単離して、これにより、ＳＬＩＣ−１と結合する免疫グロブリンライブラリーメンバーを単離し得る。ファージディスプレイライブラリーを生成およびスクリーニングするためのキットは、市販されている（例えば、ｔｈｅ　Ｐｈａｒｍａｃｉａ　Ｒｅｃｏｍｂｉｎａｎｔ　Ｐｈａｇｅ　Ａｎｔｉｂｏｄｙ　Ｓｙｓｔｅｍ，Ｃａｔａｌｏｇ　Ｎｏ．２７−９４００−０１；およびｔｈｅ　Ｓｔｒａｔａｇｅｎｅ　ＳｕｒｆＺＡＰＴＭ　Ｐｈａｇｅ　Ｄｉｓｐｌａｙ　Ｋｉｔ，Ｃａｔａｌｏｇ　Ｎｏ．２４０６１２）。さらに、抗体ディスプレイライブラリーを生成およびスクリーニングするのに使用するために特に受け入れ可能な方法および薬剤の例としては、例えば、以下に見出され得る：Ｌａｄｎｅｒら、米国特許第５，２２３，４０９号；Ｋａｎｇら、ＰＣＴ国際出願ＷＯ９２／１８６１９；Ｄｏｗｅｒら、ＰＣＴ国際出願ＷＯ９１／１７２７１；Ｗｉｎｔｅｒら、ＰＣＴ国際出願ＷＯ９２／２０７９１；Ｍａｒｋｌａｎｄら、ＰＣＴ国際出願ＷＯ９２／１５６７９；Ｂｒｅｉｔｌｉｎｇら、ＰＣＴ国際出願ＷＯ９３／０１２８８；ＭｃＣａｆｆｅｒｔｙら、ＰＣＴ国際出願ＷＯ９２／０１０４７；Ｇａｒｒａｒｄら、ＰＣＴ国際出願ＷＯ９２／０９６９０；Ｌａｄｎｅｒら、ＰＣＴ国際出願ＷＯ９０／０２８０９；Ｆｕｃｈら、（１９９１）Ｂｉｏ／Ｔｅｃｈｎｏｌｏｇｙ　９：１３７０−１３７２；Ｈａｙら、（１９９２）Ｈｕｍ．Ａｎｔｉｂｏｄ．Ｈｙｂｒｉｄｏｍａｓ　３：８１−８５；Ｈｕｓｅら、（１９８９）Ｓｃｉｅｎｃｅ　２４６：１２７５−１２８１；Ｇｒｉｆｆｉｔｈｓら、（１９９３）ＥＭＢＯ　Ｊ　１２：７２５−７３４；Ｈａｗｋｉｎｓら、（１９９２）Ｊ．Ｍｏｌ．Ｂｉｏｌ．２２６：８８９−８９６；Ｃｌａｒｋｓｏｎら、（１９９１）Ｎａｔｕｒｅ　３５２：６２４−６２８；Ｇｒａｍら、（１９９２）Ｐｒｏｃ．Ｎａｔｌ．Ａｃａｄ．Ｓｃｉ　ＵＳＡ　８９：３５７６−３５８０；Ｇａｒｒａｄら、（１９９１）Ｂｉｏ／Ｔｅｃｈｎｏｌｏｇｙ　９：１３７３−１３７７；Ｈｏｏｇｅｎｂｏｏｍら、（１９９１）Ｎｕｃ．Ａｃｉｄ．Ｒｅｓ．１９：４１３３−４１３７；Ｂａｒｂａｓら、（１９９１）Ｐｒｏｃ．Ｎａｔｌ．Ａｃａｄ．Ｓｃｉ．ＵＳＡ　８８：７９７８−７９８２；およびＭｃＣａｆｆｅｒｔｙら、Ｎａｔｕｒｅ（１９９０）３４８：５５２−５５４。
【０１１３】
さらに、ヒトおよび非ヒト部分の両方を含む、組換え抗−ＳＬＩＣ−１抗体（例えば、キメラモノクローナル抗体およびヒト化モノクローナル抗体）（これは、組換えＤＮＡの標準的な技術を使用して作製され得る）は、本発明の範囲内である。このようなキメラモノクローナル抗体およびヒト化モノクローナル抗体は、例えば、以下に記載される方法を使用して、当該分野で公知の組換えＤＮＡ技術によって産生され得る：Ｒｏｂｉｎｓｏｎら、国際出願ＰＣＴ／ＵＳ８６／０２２６９；Ａｋｉｒａら、欧州特許出願１８４，１８７；Ｔａｎｉｇｕｃｈｉ，Ｍ．，欧州特許出願１７１，４９６；Ｍｏｒｒｉｓｏｎら、欧州特許出願１７３，４９４；Ｎｅｕｂｅｒｇｅｒら、ＰＣＴ出願ＷＯ８６／０１５３３；Ｃａｂｉｌｌｙら、米国特許第４，８１６，５６７号；Ｃａｂｉｌｌｙら、欧州特許出願１２５，０２３；Ｂｅｔｔｅｒら、（１９８８）Ｓｃｉｅｎｃｅ　２４０：１０４１−１０４３；Ｌｉｕら、（１９８７）Ｐｒｏｃ．Ｎａｔｌ．Ａｃａｄ．Ｓｃｉ．ＵＳＡ　８４：３４３９−３４４３；Ｌｉｕら、（１９８７）Ｊ．Ｉｍｍｕｎｏｌ．１３９．３５２１−３５２６；Ｓｕｎら、（１９８７）Ｐｒｏｃ．Ｎａｔｌ．Ａｃａｄ．Ｓｃｉ．ＵＳＡ　８４：２１４−２１８；Ｎｉｓｈｉｍｕｒａら、（１９８７）Ｃａｎｃ．Ｒｅｓ．４７：９９９−１００５；Ｗｏｏｄら、（１９８５）Ｎａｔｕｒｅ　３１４：４４６−４４９；およびＳｈａｗら、（１９８８）Ｊ．Ｎａｔｌ．Ｃａｎｃｅｒ　Ｉｎｓｔ．８０：１５５３−１５５９）；Ｍｏｒｒｉｓｏｎ，Ｓ．Ｌ．（１９８５）Ｓｃｉｅｎｃｅ　２２９：１２０２−１２０７；Ｏｉら、（１９８６）ＢｉｏＴｅｃｈｎｉｑｕｅｓ　４：２１４；Ｗｉｎｔｅｒ　米国特許第５，２２５，５３９号；Ｊｏｎｅｓら、（１９８６）Ｎａｔｕｒｅ　３２１：５５２−５２５；Ｖｅｒｈｏｅｙａｎら、（１９８８）Ｓｃｉｅｎｃｅ　２３９：１５３４；ならびにＢｅｉｄｌｅｒら、（１９８８）Ｊ．Ｉｉｎｉｎｕｎｏｌ．１４１：４０５３−４０６０。
【０１１４】
抗−ＳＬＩＣ−１抗体（例えば、モノクローナル抗体）を使用して、標準技術（例えば、親和性クロマトグラフィーまたは免疫沈降）により、ＳＬＩＣ−１を単離し得る。抗ＳＬＩＣ−１抗体は、細胞からの天然のＳＬＩＣ−１の精製および宿主細胞中で発現された組換えにより産生されたＳＬＩＣ−１の精製を容易にし得る。さらに、抗ＳＬＩＣ−１抗体を使用して、ＳＬＩＣ−１タンパク質（例えば、細胞溶解物または細胞上清）を検出して、ＳＬＩＣ−１タンパク質発現の発現量およびパターンを評価し得る。抗−ＳＬＩＣ−１抗体を診断において使用して、組織におけるタンパク質レベルを臨床試験手順の一部としてモニタリングし、例えば、所定の処置療法の効力を決定し得る。検出は、抗体を検出可能な物質に結合する（すなわち、物理学的に連結する）ことにより容易となり得る。従って、１実施形態において、本発明の抗ＳＬＩＣ−１は、検出可能な物質で標識され得る。検出可能な物質の例としては、種々の酵素、補欠分子族、蛍光物質、発光物質、生物発光物質および放射活性物質が挙げられる。適切な酵素の例としては、ホースラディシュペルオキシダーゼ、アルカリホスファターゼ、β−ガラクトシラーゼ、またはアセチルコリンエステラーゼが挙げられ；適切な補欠分子族の複合体の例としては、ストレプトアビジン／ビオチンおよびアビジン／ビオチンが挙げられ；適切な蛍光物質の例としては、ウンベリフェロン（ｕｍｂｅｌｌｉｆｅｒｏｎｅ）、フルオレセイン、フルオレセインイソシオシアネート、ローダミン、ジクロロトリアジニルアミンフルオレセイン、ダンシルクロリドまたはフィコエリトリンが挙げられ；発光物質の例としては、ルミノールが挙げられ；生物発光物質の例としては、ルシフェラーゼ、ルシフェリンおよびエクオリンが挙げられ、そして適切な放射活性物質の例としては、１２５Ｉ、１３１Ｉ、３５Ｓまたは３Ｈが挙げられる。
【０１１５】
（ＩＩＩ．組換え発現ベクターおよび宿主細胞）
本発明の別の局面は、ベクター、好ましくは、ＳＬＩＣ−１タンパク質（またはその一部）をコードする核酸を含む、発現ベクターに関する。本明細書中で用いられる場合、用語「ベクター」とは、連結されている別の核酸を輸送し得る核酸分子をいう。ベクターの１つの型は、「プラスミド」であり、これは、さらなるＤＮＡセグメントが連結され得る環状二重鎖ＤＮＡループをいう。ベクターの別の型は、ウイルスベクターであり、ここで、さらなるＤＮＡセグメントが、ウイルスゲノムへと連結され得る。特定のベクターは、導入される宿主細胞内で自動的に複製し得る（例えば、細菌の複製起点を有する細菌ベクターおよびエピソーム哺乳動物ベクター）。他のベクター（例えば、非エピソーム哺乳動物ベクター）は、宿主細胞へと導入される際に宿主細胞のゲノムへと組み込まれ、そしてそれによって、宿主ゲノムと共に複製される。さらに、特定のベクターは、作動可能に連結される遺伝子の発現を指向し得る。このようなベクターは、本明細書中で、「発現ベクター」といわれる。一般に、組換えＤＮＡ技術において有用な発現ベクターは、しばしば、プラスミドの形態である。本明細書中で、「プラスミド」および「ベクター」は、交換可能に用いられ得る。なぜならば、プラスミドがベクターの最も一般に用いられる形態であるからである。しかし、本発明は、ウイルスベクター（例えば、複製欠損レトロウイルス、アデノウィルス、およびアデノ随伴ウイルス）（これらは、等価な機能を果たす）のような、発現ベクターの他の形態を含むことを意図する。
【０１１６】
本発明の組換え発現ベクターは、宿主細胞における核酸の発現に適切な形態で本発明の核酸を含み、これは、この組換え発現ベクターが、発現のために使用される宿主細胞に基づいて選択された１つ以上の調節配列を含むことを意味し、これは発現される核酸配列に作動可能に連結される。組換え発現ベクター内において、「作動可能に連結された」とは、目的のヌクレオチド配列が、そのヌクレオチド配列の発現を可能にする様式で調節配列（単数または複数）に連結されることを意味することが意図される（例えば、インビトロ転写／翻訳系において、またはベクターが宿主細胞に導入される場合には、宿主細胞において）。用語「調節配列」は、プロモーター、エンハンサーおよび他の発現制御エレメント（例えば、ポリアデニル化シグナル）を含むことが意図される。このような調節配列は、例えば、Ｇｏｅｄｄｅｌ；Ｇｅｎｅ　Ｅｘｐｒｅｓｓｉｏｎ　Ｔｅｃｈｎｏｌｏｇｙ：Ｍｅｔｈｏｄｓ　ｉｎ　Ｅｎｚｙｍｏｌｏｇｙ　１８５，Ａｃａｄｅｍｉｃ　Ｐｒｅｓｓ，Ｓａｎ　Ｄｉｅｇｏ，ＣＡ（１９９０）に記載される。調節配列としては、多くのタイプの宿主細胞におけるヌクレオチド配列の構成的発現を指向する配列、および特定の宿主細胞のみにおいてヌクレオチド配列の発現を指向する配列（例えば、組織特異的調節配列）が挙げられる。発現ベクターの設計は、形質転換される宿主細胞の選択、所望のタンパク質の発現レベルなどのような因子に依存し得ることが当業者によって理解される。本発明の発現ベクターは、宿主細胞に導入され得、それにより、本明細書中で記載されるような核酸によってコードされるタンパク質またはペプチド（融合タンパク質または融合ペプチドを含む）（例えば、ＳＬＩＣ−１タンパク質、ＳＬＩＣ−１タンパク質の変異形態、融合タンパク質など）を産生し得る。
【０１１７】
本発明の組換え発現ベクターは、原核生物細胞または真核生物細胞におけるＳＬＩＣ−１タンパク質の発現のために設計され得る。例えば、ＳＬＩＣ−１タンパク質は、細菌細胞（例えば、Ｅ．ｃｏｌｉ）、昆虫細胞（バキュロウイルス発現ベクターを使用する）、酵母細胞または哺乳動物細胞において発現され得る。適切な宿主細胞は、Ｇｏｅｄｄｅｌ，Ｇｅｎｅ　Ｅｘｐｒｅｓｓｉｏｎ　Ｔｅｃｈｎｏｌｏｇｙ：Ｍｅｔｈｏｄｓ　ｉｎ　Ｅｎｚｙｍｏｌｏｇｙ　１８５，Ａｃａｄｅｍｉｃ　Ｐｒｅｓｓ，Ｓａｎ　Ｄｉｅｇｏ，ＣＡ（１９９０）でさらに議論される。あるいは、組換え発現ベクターは、例えば、Ｔ７プロモーター調節配列およびＴ７ポリメラーゼを使用して、インビトロで転写および翻訳され得る。
【０１１８】
原核生物におけるタンパク質の発現は、融合タンパク質または非融合タンパク質のいずれかの発現を指向する構成的プロモーターまたは誘導性プロモーターを含むベクターを用いて、Ｅ．ｃｏｌｉにおいて最も頻繁に行われる。融合ベクターは、多数のアミノ酸を、ここでコードされるタンパク質、通常は、組換えタンパク質のアミノ末端に付加する。このような融合ベクターは、代表的には、以下の３つの目的を果たす：１）組換えタンパク質の発現の増加；２）組換えタンパク質の溶解性の増加；および３）親和性精製においてリガンドとして作用することによる組換えタンパク質の精製の補助。しばしば、融合発現ベクターにおいて、融合タンパク質の精製に続いて融合部分から組換えタンパク質を分離することを可能にするために、タンパク質分解切断部位が融合部分および組換えタンパク質の接合部に導入される。このような酵素、およびそれらの同族認識配列としては、第Ｘａ因子、トロンビンおよびエンテロキナーゼが挙げられる。代表的な融合発現ベクターとしては、ｐＧＥＸ（Ｐｈａｒｍａｃｉａ　Ｂｉｏｔｅｃｈ　Ｉｎｃ；Ｓｍｉｔｈ，Ｄ．Ｂ．およびＪｏｈｎｓｏｎ，Ｋ．Ｓ．（１９８８）Ｇｅｎｅ　６７：３１−４０）、ｐＭＡＬ（Ｎｅｗ　Ｅｎｇｌａｎｄ　Ｂｉｏｌａｂｓ，Ｂｅｖｅｒｌｙ，ＭＡ）、およびグルタチオンＳ−トランスフェラーゼ（ＧＳＴ）を融合するｐＲＩＴ５（Ｐａｒｍａｃｉａ，Ｐｉｓｃａｔａｗａｙ，ＮＪ）、マルトースＥ結合タンパク質、またはタンパク質Ａ（それぞれ、標的組換えタンパク質に対する）が挙げられる。
【０１１９】
精製された融合タンパク質は、例えば、ＳＬＩＣ−１活性アッセイ（例えば、直接アッセイまたは以下に詳述される競合アッセイ）において、またはＳＬＩＣ−１タンパク質に特異的な抗体を作製するために使用され得る。好ましい実施形態において、本発明のレトロウイルス発現ベクターにおいて発現されるＳＬＩＣ−１融合タンパク質を使用して、骨髄細胞に感染させ、引き続いて照射されたレシピエント内に移植し得る。次いで、この被験体レシピエントの病理学は、十分な時間（例えば、６週間）が経過した後、検査される。
【０１２０】
適切な誘導性非融合Ｅ．ｃｏｌｉ発現ベクターの例としては、ｐＴｒｃ（Ａｍａｎｎら、（１９８８）Ｇｅｎｅ　６９：３０１−３１５）、およびｐＥＴ　１１ｄ（Ｓｔｕｄｉｅｒら、Ｇｅｎｅ　Ｅｘｐｒｅｓｓｉｏｎ　Ｔｅｃｈｎｏｌｏｇｙ：Ｍｅｔｈｏｄｓ　ｉｎ　Ｅｎｚｙｍｏｌｏｇｙ　１８５，Ａｃａｄｅｍｉｃ　Ｐｒｅｓｓ，Ｓａｎ　Ｄｉｅｇｏ，Ｃａｌｉｆｏｒｎｉａ（１９９０）６０−８９）が挙げられる。ｐＴｒｃベクターからの標的遺伝子発現は、ハイブリッドｔｒｐ−ｌａｃ融合プロモーターからの宿主ＲＮＡポリメラーゼの転写に依存する。ｐＥＴ　１１ｄベクターからの標的遺伝子発現は、同時発現されたウイルスＲＮＡポリメラーゼ（Ｔ７　ｇｎ１）により媒介されるＴ７　ｇｎ１０−ｌａｃ融合プロモーターからの転写に依存する。このウイルスポリメラーゼは、ｌａｃＵＶ　５プロモーターの転写制御下で、Ｔ７　ｇｎ１遺伝子を含む常在性プロファージ由来の宿主株のＢＬ２１（ＤＥ３）またはＨＭＳ１７４（ＤＥ３）によって供給される。
【０１２１】
Ｅ．ｃｏｌｉにおける組換えタンパク質発現を最大にするための１つの方法は、組換えタンパク質をタンパク質分解的に切断する障害性能力を有する宿主細菌においてタンパク質を発現することである（Ｇｏｔｔｅｓｍａｎ，Ｓ．，Ｇｅｎｅ　Ｅｘｐｒｅｓｓｉｏｎ　Ｔｅｃｈｎｏｌｏｇｙ：Ｍｅｔｈｏｄｓ　ｉｎ　Ｅｎｚｙｍｏｌｏｇｙ　１８５，Ａｃｅｄｅｍｉｃ　Ｐｒｅｓｓ，Ｓａｎ　Ｄｉｅｇｏ，Ｃａｌｉｆｏｒｎｉａ（１９９０）１１９−１２８）。別の方法は、発現ベクターに挿入される核酸の核酸配列を、各アミノ酸の個々のコドンがＥ．ｃｏｌｉにおいて優勢に利用されるように変更することである（Ｗａｄａら、（１９９２）Ｎｕｃｌｅｉｃ　Ａｃｉｄｓ　Ｒｅｓ．２０：２１１１−２１１８）。本発明の核酸配列のこのような変更は、標準的なＤＮＡ合成技術によって行われ得る。
【０１２２】
別の実施形態において、ＳＬＩＣ−１発現ベクターは、酵母発現ベクターである。酵母のＳ．ｃｅｒｅｖｉｓｉａｅにおける発現のためのベクターの例としては、ｐＹｅｐＳｅｃ１（Ｂａｌｄａｒｉら、（１９８７）ＥＭＢＯ　Ｊ．６：２２９−２３４）、ｐＭＦａ（ＫｕｒｊａｎおよびＨｅｒｓｋｏｗｉｔｚ、（１９８２）Ｃｅｌｌ　３０：９３３−９４３）、ｐＪＲＹ８８（Ｓｃｈｕｌｔｚら、（１９８７）Ｇｅｎｅ　５４：１１３−１２３）、ｐＹＥＳ２（Ｉｎｖｉｔｒｏｇｅｎ　Ｃｏｒｐｏｒａｔｉｏｎ，Ｓａｎ　Ｄｉｅｇｏ，ＣＡ）、およびｐｉｃＺ（Ｉｎ　Ｖｉｔｒｏｇｅｎ　Ｃｏｒｐ，Ｓａｎ　Ｄｉｅｇｏ，ＣＡ）が挙げられる。
【０１２３】
あるいは、ＳＬＩＣ−１タンパク質は、バキュロウイルス発現ベクターを使用して、昆虫細胞において発現され得る。培養された昆虫細胞（例えば、Ｓｆ　９細胞）におけるタンパク質の発現のために利用可能なバキュロウイルスベクターとしては、ｐＡｃ系（Ｓｍｉｔｈら、（１９８３）Ｍｏｌ．Ｃｅｌｌ　Ｂｉｏｌ．３：２１５６−２１６５）、およびｐＶＬ系（ＬｕｃｋｌｏｗおよびＳｕｍｍｅｒｓ（１９８９）Ｖｉｒｏｌｏｇｙ　１７０：３１−３９）が挙げられる。
【０１２４】
さらに別の実施形態において、本発明の核酸は、哺乳動物発現ベクターを使用して、哺乳動物細胞において発現される。哺乳動物発現ベクターの例としては、ｐＣＤＭ８（Ｓｅｅｄ，Ｂ．（１９８７）Ｎａｔｕｒｅ　３２９：８４０）、およびｐＭＴ２ＰＣ（Ｋａｕｆｍａｎら、（１９８７）ＥＭＢＯ　Ｊ．６：１８７−１９５）が挙げられる。哺乳動物細胞において使用する場合、この発現ベクターの制御機能は、しばしば、ウイルス調節エレメントによって提供される。例えば、一般的に使用されるプロモーターは、ポリオーマ、アデノウィルス２、サイトメガロウイルスおよびシミアンウイルス４０由来である。原核生物細胞および真核生物細胞の両方に適切な他の発現系については、Ｓａｍｂｒｏｏｋ，Ｊ．，Ｆｒｉｔｓｈ，Ｅ．Ｆ．の第１６および１７章、ならびにＭａｎｉａｔｉｓ，Ｔ．Ｍｏｌｅｃｕｌａｒ　Ｃｌｏｎｉｎｇ：Ａ　Ｌａｂｏｒａｔｏｒｙ　Ｍａｎｕａｌ．第２版、Ｃｏｌｄ　Ｓｐｒｉｎｇ　Ｈａｒｂｏｒ　Ｌａｂｏｒａｔｏｒｙ，Ｃｏｌｄ　Ｓｐｒｉｎｇ　Ｈａｒｂｏｒ　Ｌａｂｏｒａｔｏｒｙ　Ｐｒｅｓｓ，Ｃｏｌｄ　Ｓｐｒｉｎｇ　Ｈａｒｂｏｒ，ＮＹ，１９８９を参照のこと。
【０１２５】
別の実施形態において、組換え哺乳動物発現ベクターは、特定の細胞型において優先的に核酸の発現を指向し得る（例えば、組織特異的調節エレメントは、核酸を発現するために使用される）。組織特異的調節エレメントは、当該分野で公知である。適切な組織特異的プロモーターの非限定的な例としては、アルブミンプロモーター（肝臓特異的；Ｐｉｎｋｅｒｔら、（１９８７）Ｇｅｎｅｓ　Ｄｅｖ．１：２６８−２７７）、リンパ球特異的プロモーター（ＣａｌａｍｅおよびＥａｔｏｎ（１９８８）Ａｄｖ．Ｉｍｍｕｎｏｌ．４３：２３５−２７５）、特に、Ｔ細胞レセプターのプロモーター（ＷｉｎｏｔｏおよびＢａｌｔｉｍｏｒｅ（１９８９）ＥＭＢＯ　Ｊ．８：７２９−７３３）、および免疫グロブリン（Ｂａｎｅｒｊｉら、（１９８３）Ｃｅｌｌ　３３：７２９−７４０；ＱｕｅｅｎおよびＢａｌｔｉｍｏｒｅ（１９８３）Ｃｅｌｌ　３３：７４１−７４８）、ニューロン特異的プロモーター（例えば、神経フィラメントプロモーター；ＢｙｒｎｅおよびＲｕｄｄｌｅ（１９８９）Ｐｒｏｃ．Ｎａｔｌ．Ａｃａｄ．Ｓｃｉ．ＵＳＡ　８６：５４７３−５４７７）、膵臓特異的プロモーター（Ｅｄｌｕｎｄら、（１９８５）Ｓｃｉｅｎｃｅ　２３０：９１２−９１６）、ならびに哺乳動物腺特異的プロモーター（例えば、乳清プロモーター；米国特許第４，８７３，３１６および欧州出願公開第２６４，１６６）が挙げられる。発生的に調節されたプロモーター（例えば、マウスｈｏｘプロモーター（ＫｅｓｓｅｌおよびＧｒｕｓｓ（１９９０）Ｓｃｉｅｎｃｅ　２４９：３７４−３７９）およびαフェトプロテインプロモーター（ＣａｍｐｅｓおよびＴｉｌｇｈｍａｎ（１９８９）Ｇｅｎｅｓ　Ｄｅｖ．３：５３７−５４６））もまた包含される。
【０１２６】
本発明はさらに、アンチセンス配向で発現ベクター中にクローン化された本発明のＤＮＡ分子を含む組換え発現ベクターを提供する。すなわち、このＤＮＡ分子は、ＳＬＩＣ−１　ｍＲＮＡに対してアンチセンスであるＲＮＡ分子の（このＤＮＡ分子の転写による）発現を可能にする様式で調節配列に作動可能に連結される。アンチセンス配向でクローン化された核酸に作動可能に連結された調節配列が選択され得、これらは、種々の細胞型におけるアンチセンスＲＮＡ分子の連続的発現を指向する。例えば、アンチセンスＲＮＡの構成的、組織特異的または細胞型特異的な発現を指向する、ウイルスプロモーターおよび／もしくはエンハンサー、または調節配列が選択され得る。アンチセンス発現ベクターは、組換えプラスミド、ファージミドまたは弱毒化ウイルスの形態であり得、ここでアンチセンス核酸は、高効率調節領域の制御下で産生され、その活性は、ベクターが導入される細胞型により決定され得る。アンチセンス遺伝子を使用する遺伝子発現の調節の考察については、Ｗｅｉｎｔｒａｕｂ，Ｈ．ら，Ａｎｔｉｓｅｎｓｅ　ＲＮＡ　ａｓ　ａ　ｍｏｌｅｃｕｌａｒ　ｔｏｏｌ　ｆｏｒ　ｇｅｎｅｔｉｃ　ａｎａｌｙｓｉｓ，Ｒｅｖｉｅｗｓ−Ｔｒｅｎｄｓ　ｉｎ　Ｇｅｎｅｔｉｃｓ，第１巻（１）　１９８６を参照のこと。
【０１２７】
本発明の別の局面は、本発明のＳＬＩＣ−１核酸分子が導入された宿主細胞に関する（例えば、組換え発現ベクターまたは宿主細胞のゲノムの特異的な部位に相同的に組換わることを可能にする配列を含むＳＬＩＣ−１核酸分子中のＳＬＩＣ−１核酸分子）。用語「宿主細胞」および「組換え宿主細胞」は、本明細書中において交換可能に使用される。このような用語は、特定の対象細胞だけでなく、このような細胞の子孫または潜在的な子孫をいうことが理解される。変異または環境の影響のいずれかに起因して、特定の改変が継承世代において起こり得るので、このような子孫は、実際、親細胞と同一でなくてもよいが、本明細書において使用される場合の用語の範囲内には含まれる。
【０１２８】
宿主細胞は、任意の原核生物細胞または真核生物細胞であり得る。例えば、ＳＬＩＣ−１タンパク質は、Ｅ．ｃｏｌｉのような細菌細胞、昆虫細胞、酵母または哺乳動物細胞（例えば、チャイニーズハムスター卵巣細胞（ＣＨＯ）またはＣＯＳ細胞）において発現され得る（実施例３および４を参照のこと）。他の適切な宿主細胞は、当業者に公知である。
【０１２９】
ベクターＤＮＡは、従来の形質転換技術またはトランスフェクション技術により原核生物細胞または真核生物細胞に導入され得る。本明細書で使用される場合、用語「形質転換」および「トランスフェクション」は、種々の当該分野で認識される、外来核酸（例えば、ＤＮＡ）を宿主細胞に導入するための技術（リン酸カルシウムまたは塩化カルシウム共沈降、ＤＥＡＥ−デキストラン媒介トランスフェクション、リポフェクション、またはエレクトロポレーションを含む）をいうことが意図される。宿主細胞を形質転換またはトランスフェエクトするための適切な方法は、Ｓａｍｂｒｏｏｋら（Ｍｏｌｅｃｕｌａｒ　Ｃｌｏｎｉｎｇ：Ａ　Ｌａｂｏｒａｔｏｒｙ　Ｍａｎｕａｌ．第２版，Ｃｏｌｄ　Ｓｐｒｉｎｇ　Ｈａｒｂｏｒ　Ｌａｂｏｒａｔｏｒｙ，Ｃｏｌｄ　Ｓｐｒｉｎｇ　Ｈａｒｂｏｒ　Ｌａｂｏｒａｔｏｒｙ　Ｐｒｅｓｓ，Ｃｏｌｄ　Ｓｐｒｉｎｇ　Ｈａｒｂｏｒ，ＮＹ，１９８９）、およびその他の実験マニュアルに見出され得る。
【０１３０】
哺乳動物細胞の安定なトランスフェクションのために、使用される発現ベクターおよびトランフェクション技術に依存して、細胞のわずかな画分しか外来ＤＮＡをそのゲノムに組み込み得ないことが公知である。これらの成分を同定かつ選択するために、選択マーカー（例えば、抗生物質に対する耐性）をコードする遺伝子は、一般的に目的の遺伝子と共に宿主細胞中に導入される。好ましい選択マーカーとしては、薬物（例えば、Ｇ４１８、ハイグロマイシン（ｈｙｄｒｏｍｙｃｉｎ）およびメトトレキセート）に対する耐性を付与する選択マーカーが挙げられる。選択マーカーをコードする核酸は、ＳＬＩＣ−１タンパク質をコードするベクターと同じベクターで宿主細胞中に導入され得るか、または別個のベクターで導入され得る。導入された核酸で安定にトランスフェクトされる細胞は、薬物選択により同定され得る（例えば、選択マーカー遺伝子を組み込んだ細胞は生き残るが、他の細胞は死ぬ）。
【０１３１】
培養物中の本発明の宿主細胞（例えば、原核生物宿主細胞または真核生物宿主細胞）を使用して、ＳＬＩＣ−１タンパク質を産生（すなわち、発現）し得る。従って、本発明はさらに、本発明の宿主細胞を使用して、ＳＬＩＣ−１タンパク質を産生するための方法を提供する。１つの実施形態において、この方法は、ＳＬＩＣ−１タンパク質が産生されるように、本発明の宿主細胞（この細胞にＳＬＩＣ−１タンパク質をコードする組換え発現ベクターが導入されている）を適切な培地中で培養する工程を包含する。別の実施形態において、この方法は、この培地または宿主細胞からＳＬＩＣ−１タンパク質を単離する工程をさらに包含する。
【０１３２】
本発明の特定の宿主細胞をまた使用して、非ヒトトランスジェニック動物を産生し得る。例えば、１つの実施形態において、本発明の宿主細胞は、ＳＬＩＣ−１コード配列が導入されている、受精卵母細胞または胚性幹細胞である。次いでこのような宿主細胞を使用して、外因性ＳＬＩＣ−１配列がそのゲノムに導入されている非ヒトトランスジェニック動物、または内因性ＳＬＩＣ−１配列が変更されている相同組換え動物を作製し得る。このような動物は、ＳＬＩＣ−１ポリペプチドの機能および／または活性を研究するため、ならびにＳＬＩＣ−１活性のモジュレーターを同定および／または評価するために有用である。本明細書中で使用される場合、「トランスジェニック動物」は、非ヒト動物、好ましくは哺乳動物、より好ましくは齧歯動物（例えば、ラットまたはマウス）であり、ここでこの動物の１つ以上の細胞が、導入遺伝子を含む。トランスジェニック動物の他の例としては、非ヒト霊長類、ヒツジ、イヌ、ウシ、ヤギ、ニワトリ、両生類などが挙げられる。導入遺伝子は、トランスジェニック動物が発生する細胞のゲノム中に組み込まれ、かつ成熟動物のゲノムに残っており、それにより、このトランスジェニック動物の１つ以上の細胞型または組織においてコードされる遺伝子産物の発現を指向する外因性ＤＮＡである。本明細書中で使用される場合、「相同組換え動物」は、非ヒト動物、好ましくは、哺乳動物、より好ましくはマウスであり、この動物において、内因性ＳＬＩＣ−１遺伝子は、内因性遺伝子とこの動物の発生の前にこの動物の細胞（例えば、この動物の胎児性細胞）中に導入された外因性ＤＮＡ分子との間の相同組換えにより変更されている。
【０１３３】
本発明のトランスジェニック動物は、ＳＬＩＣ−１をコードする核酸を受精卵母細胞の雄性前核に、例えば、マイクロインジェクション、レトロウイルス感染により導入し、そしてその卵母細胞を偽妊娠雌性養育動物において発生させることにより作製され得る。配列番号１のＳＬＩＣ−１　ｃＤＮＡ配列は、非ヒト動物のゲノム中に導入遺伝子として導入され得る。あるいは、ＳＬＩＣ−１遺伝子の非ヒトホモログ（例えば、マウスＳＬＩＣ−１遺伝子またはラットＳＬＩＣ−１遺伝子）は、導入遺伝子として使用され得る。あるいは、ＳＬＩＣ−１遺伝子ホモログ（例えば、別のＳＬＩＣ−１ファミリーメンバー）は、配列番号１のＳＬＩＣ−１ファミリーｃＤＮＡ配列または登録番号＿＿＿（上記の小節Ｉにおいてさらに記載される）としてＡＴＣＣに寄託されたプラスミドのＤＮＡ挿入物へのハイブリダイゼーションに基づいて単離され得、そして導入遺伝子として使用され得る。イントロン配列およびポリアデニル化シグナルもまた、この導入遺伝子に含まれて、導入遺伝子の発現効率を増加させ得る。組織特異的調節配列は、ＳＬＩＣ−１導入遺伝子に作動可能に連結されて、ＳＬＩＣ−１タンパク質の発現を特定の細胞に指向する。胚操作およびマイクロインジェクションを介してトランスジェニック動物（特にマウスのような動物）を作製するための方法は、当該分野で慣例となっており、そして例えば、米国特許第４，７３６，８６６号および同第４，８７０，００９号（両方ともＬｅｄｅｒらによる）、米国特許第４，８７３，１９１号（Ｗａｇｎｅｒらによる）ならびにＨｏｇａｎ，Ｂ．，Ｍａｎｉｐｕｌａｔｉｎｇ　ｔｈｅ　Ｍｏｕｓｅ　Ｅｍｂｒｙｏ，（Ｃｏｌｄ　Ｓｐｒｉｎｇ　Ｈａｒｂｏｒ　Ｌａｂｏｒａｔｏｒｙ　Ｐｒｅｓｓ，Ｃｏｌｄ　Ｓｐｒｉｎｇ　Ｈａｒｂｏｒ，Ｎ．Ｙ．，１９８６）に記載される。同様の方法は、他のトランスジェニック動物の産生のために使用される。トランスジェニック創始（ｆｏｕｎｄｅｒ）動物は、そのゲノムにおけるＳＬＩＣ−１導入遺伝子の存在および／またはその動物の組織または細胞におけるＳＬＩＣ−１　ｍＲＮＡの発現に基づいて同定され得る。次いで、トランスジェニック創始動物を使用して、導入遺伝子を保有するさらなる動物を生産し得る。さらに、ＳＬＩＣ−１タンパク質をコードする導入遺伝子を保有するトランスジェニック動物は、他の導入遺伝子を保有する他のトランスジェニック動物へとさらに育成され得る。
【０１３４】
相同組換え動物を作製するために、ＳＬＩＣ−１遺伝子の少なくとも一部を含有するベクターが調製され、このＳＬＩＣ−１遺伝子には、欠失、付加または置換が導入されて、それによりＳＬＩＣ−１遺伝子を変更（例えば、機能的に破壊する）する。ＳＬＩＣ−１遺伝子は、ヒト遺伝子（例えば、配列番号１のｃＤＮＡ　）であり得るが、より好ましくは、ヒトＳＬＩＣ−１遺伝子　の非ヒトホモログ（例えば、配列番号１のヌクレオチド配列とストリンジェントなハイブリダイゼーションによって単離された）である。例えば、マウスＳＬＩＣ−１遺伝子を使用して、マウスゲノムにおける内因性ＳＬＩＣ−１遺伝子を変更するために適切な相同組換え核酸分子（例えば、ベクター）を構築し得る。好ましい実施形態において、この相同組換え核酸分子は、相同組換えの際に、内因性ＳＬＩＣ−１遺伝子が機能的に破棄されるように（すなわち、もはや機能的タンパク質をコードしない；「ノックアウト」ベクターとも呼ばれる）設計される。あるいは、この相同組換え核酸分子は、相同組換えの際に、内因性ＳＬＩＣ−１遺伝子が変異誘発されるか、そうでなければ変更されるが機能的タンパク質を依然としてコードするように設計され得る（例えば、上流調節領域を変更して、それにより内因性ＳＬＩＣ−１タンパク質の発現を変更し得る）。相同組換え核酸分子において、ＳＬＩＣ−１遺伝子の変更された部分は、ＳＬＩＣ−１遺伝子のさらなる核酸配列によりその５’末端および３’末端に隣接されて、相同組換えを、相同組換え核酸分子において保有される外因性ＳＬＩＣ−１遺伝子と細胞（例えば、胚性幹細胞）中の内因性ＳＬＩＣ−１遺伝子との間で起こさせる。さらなる隣接ＳＬＩＣ−１核酸配列は、内因性遺伝子との首尾良い相同組換えのために十分な長さである。代表的には、数キロベースの隣接ＤＮＡ（５’末端および３’末端の両方）がこの相同組換え核酸分子に含まれる（例えば、相同組換えベクターの説明については、Ｔｈｏｍａｓ，Ｋ．Ｒ．およびＣａｐｅｃｃｈｉ，Ｍ．Ｒ．，１９８７，Ｃｅｌｌ　５１：５０３を参照のこと）。この相同組換え核酸分子は、細胞（例えば、胚性幹細胞株）中に（例えば、エレクトロポレーションにより）導入され、そしてこの導入されたＳＬＩＣ−１遺伝子が内因性ＳＬＩＣ−１遺伝子で相同組換えされた細胞が、選択される（例えば、Ｌｉ，Ｅ．ら，（１９９２）Ｃｅｌｌ　６９：９１５を参照のこと）。選択された細胞は、次いで動物（例えば、マウス）の胚盤胞に注入されて凝集キメラを形成し得る（例えば、Ｂｒａｄｌｅｙ，Ａ．、Ｔｅｒａｔｏｃａｒｃｉｎｏｍａｓ　ａｎｄ　Ｅｍｂｒｙｏｎｉｃ　Ｓｔｅｍ　Ｃｅｌｌｓ：Ａ　Ｐｒａｃｔｉｃａｌ　Ａｐｐｒｏａｃｈ，Ｅ．Ｊ．Ｒｏｂｅｒｔｓｏｎ編（ＩＲＬ，Ｏｘｆｏｒｄ，１９８７）１１３−１５２頁を参照のこと）。キメラ胚は、次いで適切な偽妊娠雌性代理動物中に移植され得、そしてその胚が分娩される。その生殖細胞中に相同組換えＤＮＡを保有する子孫を使用して、導入遺伝子の生殖細胞系伝達により、全ての細胞が相同組換えＤＮＡを含む動物を育て得る。相同組換え核酸分子（例えば、ベクター）または相同組換え動物を構築するための方法は、Ｂｒａｄｌｅｙ，Ａ．（１９９１）Ｃｕｒｒｅｎｔ　Ｏｐｉｎｉｏｎ　ｉｎ　Ｂｉｏｔｅｃｈｎｏｌｏｇｙ　２：８２３−８２９およびＰＣＴ国際公開番号：ＷＯ　９０／１１３５４（Ｌｅ　Ｍｏｕｅｌｌｅｃら）；ＷＯ　９１／０１１４０（Ｓｍｉｔｈｉｅｓら）；ＷＯ　９２／０９６８（Ｚｉｊｌｓｔｒａら）；およびＷＯ　９３／０４１６９（Ｂｅｒｎｓら）にさらに記載される。
【０１３５】
別の実施形態において、導入遺伝子の調節された発現を可能にする選択された系を含むトランスジェニック非ヒト動物が、産生され得る。このような系の一例は、バクテリオファージのＰ１ｃｒｅ／ｌｏｘＰリコンビナーゼ系である。ｃｒｅ／ｌｏｘＰリコンビナーゼ系の説明については、例えば、Ｌａｋｓｏら（１９９２）Ｐｒｏｃ．Ｎａｔｌ．Ａｃａｄ．Ｓｃｉ．ＵＳＡ　８９：６２３２−６２３６を参照のこと。リコンビナーゼ系の別の例は、Ｓａｃｃｈａｒｏｍｙｃｅｓ　ｃｅｒｅｖｉｓｉａｅのＦＬＰリコンビナーゼ系である（Ｏ’Ｇｏｒｍａｎら，（１９９１）Ｓｃｉｅｎｃｅ　２５１：１３５１−１３５５）。ｃｒｅ／ｌｏｘＰリコンビナーゼ系が導入遺伝子の発現を調節するために使用される場合、Ｃｒｅリコンビナーゼおよび選択されたタンパク質の両方をコードする導入遺伝子を含む動物が必要とされる。このような動物は、例えば、２つのトランスジェニック動物（一方は、選択されたタンパク質をコードする導入遺伝子を含み、他方がリコンビナーゼをコードする導入遺伝子を含む）を交配することによる「二重（ｄｏｕｂｌｅ）」トランスジェニック動物の構築により提供され得る。
【０１３６】
本明細書中に記載される非ヒトトランスジェニック動物のクローンはまた、Ｗｉｌｍｕｔ，Ｉ．ら，（１９９７）Ｎａｔｕｒｅ　３８５：８１０−８１３ならびにＰＣＴ国際公開番号ＷＯ９７／０７６６８およびＷＯ９７／０７６６９に記載される方法に従って産生され得る。手短に言うと、トランスジェニック動物由来の細胞（例えば、体細胞）が単離され得、そして増殖周期を終了し、そしてＧＯ期に入るように誘導され得る。次いで、休止細胞は、例えば、電気パルスの使用により、その休止細胞が単離された動物と同じ種由来の摘出された卵母細胞に融合され得る。次いで、再構築された卵母細胞は、培養され、その結果その細胞は、桑実胚または胚盤胞へと発達し、次いで偽妊娠雌性代理動物に移される。この雌性代理動物由来の子孫は、細胞（例えば、体細胞）が単離される動物のクローンである。
【０１３７】
（ＩＶ．薬学的組成物）
本発明のＳＬＩＣ−１核酸分子、ＳＬＩＣ−１タンパク質のフラグメント、および抗ＳＬＩＣ−１抗体（本明細書中で、「活性化合物」ともまたいわれる）は、投与に適切な薬学的組成物中に組み込まれ得る。このような組成物は、代表的には、核酸分子、タンパク質、または抗体、および薬学的に受容可能なキャリアを含む。本明細書中で使用される場合において、「薬学的に受容可能なキャリア」という用語は、薬学的な投与と適合性である、任意のおよび全ての溶媒、分散媒体、コーティング、抗菌剤および抗真菌剤、等張剤、ならびに吸収遅延剤などを含むように意図される。薬学的に活性な物質についてのこのような媒体および薬剤の使用は、当該分野で既知である。任意の従来の媒体または薬剤が活性化合物と不適合である範囲を除いて、組成物中でのそれらの使用が意図される。追加の活性化合物もまた、組成物中に組み込まれ得る。
【０１３８】
本発明の薬学的組成物は、その意図される投与経路と適合性であるように処方される。ｉ投与経路の例として、非経口投与（例えば、静脈内投与）、皮内投与、皮下投与、経口投与（例えば、吸入）、経皮投与（局所的）、経粘膜投与、および直腸投与が挙げられる。非経口、皮内、または皮下での適用のために使用される溶液または懸濁物は、以下の成分を含有し得る：滅菌の希釈剤（例えば、注射のための水、生理食塩溶液、不揮発性油、ポリエチレングリコール、グリセリン、プロピレングリコール、または他の合成の溶媒）；抗菌剤（例えば、ベンジルアルコール、またはメチルパラベン）；酸化防止剤（例えば、アスコルビン酸、または亜硫酸水素ナトリウム）；キレート化剤（例えば、エチレンジアミン四酢酸）；緩衝液（例えば、アセテート、シトレート、またはホスフェート）、および張性の調整のための薬剤（例えば、塩化ナトリウム、またはデキストロース）。ｐＨは、酸または塩基（例えば、塩酸、または水酸化ナトリウム）を用いて調整され得る。非経口的な調製物は、ガラスまたはプラスチックで作られた、アンプル、使い捨てのシリンジ、または複数用量バイアル中に封入され得る。
【０１３９】
注射可能な用途に適切な薬学的組成物として、滅菌の水溶液（水溶性である場合）、または滅菌の注射用溶液もしくは分散剤の即座の調製のための分散剤および滅菌散剤が挙げられる。静脈内投与については、適切なキャリアとして、生理食塩水、静菌性水、Ｃｒｅｍｏｐｈｏｒ　ＥＬＴＭ（ＢＡＳＦ，Ｐａｒｓｉｐｐａｎｙ，ＮＪ）、またはリン酸緩衝化生理食塩水（ＰＢＳ）が挙げられる。全ての場合において、組成物は滅菌でなければならず、そして容易な注射可能性が存在する程度に流動性であるべきである。これは、製造および貯蔵の条件下で安定でなければならず、そして細菌および真菌のような微生物の混入作用に対して保護されなければならない。キャリアは、例えば、水、エタノール、ポリオール（例えば、グリセロール、プロピレングリコール、および液体のポリエチレングリコールなど）、およびそれらの適切な混合物を含有している、溶媒または分散媒体であり得る。適切な流動性は、例えば、レシチンのようなコーティングの使用によって、分散の場合においては必要とされる粒子の大きさの維持によって、そして界面活性剤の使用によって、維持され得る。微生物の作用の防止は、種々の抗菌剤および抗真菌剤（例えば、パラベン、クロロブタノール、フェノール、アスコルビン酸、チメロサールなど）によって達成され得る。多くの場合においては、組成物中に等張剤（例えば、糖、ポリアルコール（例えば、マンニトール）、ソルビトール、塩化ナトリウム））を含むことが、好ましい。注射用組成物の持効性吸収は、吸収を遅らせる試薬（例えば、モノステアリン酸アルミニウムおよびゼラチン）を組成物中に含むことによって、もたらされ得る。
【０１４０】
滅菌の注射用溶液は、上記に列挙される成分の１つまたは組合せを有する適切な溶媒中に、必要とされる量の活性化合物（例えば、ＳＬＩＣ−１タンパク質のフラグメントまたは抗ＳＬＩＣ−１抗体）を組み込み、必要に応じて、続いて濾過滅菌することによって調製され得る。一般的には、分散剤は、活性化合物を、塩基性分散媒体および上記に列挙されているもの由来の必要な他の成分を含有している滅菌のビヒクル中に組み込むことによって、調製される。滅菌の注射用溶液の調製のための滅菌粉末剤の場合においては、好ましい調製方法は、真空乾燥および凍結乾燥であり、これによって、活性成分およびその予め滅菌濾過された溶液から任意のさらなる所望の成分の粉末剤を生じる。
【０１４１】
経口組成物は、一般的には、不活性な希釈剤または食用キャリアを含む。これらは、ゼラチンカプセル中に封入され得るか、または錠剤に圧縮され得る。経口的な治療の投与の目的のためには、活性化合物は、賦形剤とともに組み込まれ、そして錠剤、トローチ、またはカプセルの形態で使用され得る。経口組成物はまた、口内洗浄剤としての使用のための流体のキャリアを使用して調製され得、ここで、流体のキャリア中の化合物は、経口的に適用され、そして舐め回され（ｓｗｉｓｈｅｄ）、そして吐き出されるか、または飲みこまれ得る。薬学的に適合性の結合剤、および／またはアジュバント材料は、組成物の一部として含まれ得る。錠剤、丸剤、カプセル、トローチなどは、以下の成分のいずれか、または同様の性質の化合物を含有し得る：　結合剤（例えば、微晶質セルロース、トラガカントガム、またはゼラチン）；賦形剤（例えば、デンプン、またはラクトース）、崩壊剤（例えば、アルギン酸、Ｐｒｉｍｏｇｅｌ、またはコーンスターチ）；滑沢剤（例えば、ステアリン酸マグネシウム、またはＳｔｅｒｏｔｅｓ）；滑沢剤（ｇｌｉｄａｎｔ）（例えば、コロイド状の二酸化ケイ素）；甘味剤（例えば、スクロース、またはサッカリン）；あるいは香料（例えば、ペパーミント、サリチル酸メチル、またはオレンジ香料）。
【０１４２】
吸入による投与のためには、化合物は、適切な推進剤（例えば、二酸化炭素のような気体）を含有している加圧された容器またはディスペンサー、あるいはネブライザーからのエアゾルスプレーの形態で送達される。
【０１４３】
全身的な投与はまた、経粘膜または経皮的な手段により得る。経粘膜または経皮的な投与については、浸透されるバリアに対する適切な浸透剤が、処方物中で使用される。このような浸透剤は、一般的には、当該分野で公知であり、例えば、経粘膜的な投与については、界面活性剤、胆汁酸塩、およびフシジン酸誘導体が挙げられる。経粘膜的な投与は、鼻腔スプレーまたは坐剤の使用を介して達成され得る。経皮的な投与については、活性化合物は、当該分野で一般的に公知であるように、軟膏、膏薬、ゲル、またはクリームに処方される。
【０１４４】
この化合物はまた、坐剤（例えば、ココアバターおよび他のグリセリドのような従来の坐剤基剤を用いる）または直腸送達のための保持浣腸剤の形態に、調製され得る。
【０１４５】
１つの実施形態においては、活性化合物は、体からの迅速な排泄に対して化合物を防御するキャリアを用いて調製される（例えば、インプラントおよび微小カプセル化送達システムを含む、制御放出処方物）。生体分解性の、生体適合性のポリマー（例えば、エチレンビニルアセテート、ポリ無水物、ポリグリコール酸、コラーゲン、ポリオルトエステル、およびポリ乳酸）が、使用され得る。このような処方物の調製のための方法は、当業者に明らかである。材料はまた、Ａｌｚａ　Ｃｏｒｐｏｒａｔｉｏｎ　ａｎｄ　Ｎｏｖａ　Ｐｈａｒｍａｃｅｕｔｉｃａｌｓ，Ｉｎｃ．から商業的に入手可能である。リポソーム懸濁物（ウイルス抗原に対するモノクローナル抗体で感染させられた細胞に対して標的化されたリポソームを含む）もまた、薬学的に受容可能なキャリアとして使用され得る。これらは、例えば、米国特許第４，５２２，８１１号に記載されているように、当業者に既知の方法に従って調製され得る。
【０１４６】
投与の容易さおよび投与量の均質性のために、投薬量単位形態で、経口または非経口組成物を処方することが、特に有利である。本明細書中で使用される投薬量単位形態は、処置される被験体についての単位投薬量として適切な、物理的に独立した単位をいう；それぞれの単位は、必要な薬学的なキャリアと関係して、所望の治療効果を生じるように計算された予め決定された量の活性化合物を含有している。本発明の投薬量単位形態についての説明は、活性化合物の特有の特徴、および達成される特定の治療効果、ならびに個体の処置のための活性化合物のような調剤の分野に固有の限定によって指示され、そしてそれらに直接依存する。
【０１４７】
このような化合物の毒性および治療効力は、細胞培養物または、実験動物における標準的な薬学的手順によって決定され得る（例えば、ＬＤ５０（集団の５０％が致死の量）およびＥＤ５０（集団の５０％において治療的に有効な量）を決定する）。毒性と治療効力の間の用量比は、治療指数であり、これはＬＤ５０／ＥＤ５０の比として現れされ得る。大きな治療指数を示す化合物が、好まれる。毒性の副作用を有する化合物が用いられ得る場合、非感染細胞への潜在的損傷を最小にし、副作用を減少するため、このような化合物を発症した組織部位に標的化する送達システムを設計することに関心が持たれる。
【０１４８】
細胞培養アッセイおよび動物実験から得られたデータは、ヒトにおける使用のための用量範囲を処方することに利用され得る。この化合物の用量は、好ましくは、毒性がほとんどないか、まったくないＥＤ５０を含む循環中濃度の範囲にある。用量は、用いられる用量形態および利用される投与経路に依存する範囲内で変化し得る。本発明の方法において使用される任意の化合物について、治療有効量は、細胞培養アッセイからはじめに推定される。用量は、ＩＣ５０（すなわち、症状の阻害を最大の半分にする試験化合物の濃度）を含む循環血漿濃度範囲に達するように、動物モデルにおいて計算され得る。このような情報は、ヒトにおける使用用量をより正確に決定するために使用され得る。血漿中のレベルは、例えば、高性能液体クロマトグラフィーによって測定され得る。
【０１４９】
本明細書中で定義される場合には、タンパク質またはポリペプチドの治療有効量（すなわち、有効用量）は、約０．００１から３０ｍｇ／ｋｇ体重まで、好ましくは約０．０１から２５ｍｇ／ｋｇ体重まで、より好ましくは約０．１から２０ｍｇ／ｋｇ体重まで、およびさらにより好ましくは約１から１０ｍｇ／ｋｇまで、２から９ｍｇ／ｋｇまで、３から８ｍｇ／ｋｇまで、４から７ｍｇ／ｋｇまで、または５から６ｍｇ／ｋｇ体重までの範囲である。疾患または障害の重篤度、事前の処置、被験体の一般的な健康状態および／または年齢、ならびに他の疾患の存在を含むがこれらに限定されない特定の因子が、被験体を有効に処置するために必要な投与量に影響を与え得ることが、当業者に明らかである。さらに、治療有効量のタンパク質、ポリペプチド、または抗体での被験体の処置は、単回の処置を含み得るか、または好ましくは、一連の処置を含み得る。
【０１５０】
好ましい例においては、被験体は、約０．１から２０ｍｇ／ｋｇ体重の間の範囲の抗体、タンパク質またはポリペプチドを用いて、約１から１０週間の間、好ましくは２から８週間の間、より好ましくは約３から７週間の間、およびさらにより好ましくは約４、５、または６週間の間、１週間に１回、処置される。処置のために使用される抗体、タンパク質またはポリペプチドの有効投与量が、特定の処置の経過にわたって増大し得るかまたは減少し得ることもまた、明らかである。投与量の変更は、本明細書中に記載されているような診断アッセイの結果から生じ得、そして明らかとなり得る。
【０１５１】
本発明は、発現または活性を調節する因子を包含する。因子とは、例えば、低分子であり得る。例えば、このような低分子としては、１モルあたり約１０，０００グラム未満の分子量を有する、ペプチド、ペプチド模倣物、アミノ酸、アミノ酸アナログ、ポリヌクレオチド、ポリヌクレオチドアナログ、ヌクレオチド、ヌクレオチドアナログ、有機化合物または無機化合物（すなわち、異種有機化合物および有機金属化合物を含む）、１モルあたり約５，０００グラム未満の分子量を有する有機化合物または無機化合物、１モルあたり約１，０００グラム未満の分子量を有する有機化合物または無機化合物、１モルあたり約５００グラム未満の分子量を有する有機化合物または無機化合物、ならびにこのような化合物の塩、エステルおよび他の薬学的に受容可能な形態が挙げられるがこれらに限定されない。低分子因子の適切な用量は、当該分野の医師、獣医師または研究者の理解の範囲内の多数の因子に依存することが理解される。低分子の用量は、例えば、処理されている被験体またはサンプルの同一性、サイズおよび条件に依存して、さらに、該当する場合、この組成物が投与される経路、そして実施者が、本発明の核酸またはポリペプチドに対してこの低分子が有することを所望する効果に依存して、変化する。
【０１５２】
例示的な用量としては、被験体重量またはサンプル重量のキログラムあたり、ミリグラムまたはマイクログラムの量の低分子が挙げられる（例えば、約１μｇ／ｋｇ〜約５００ｍｇ／ｋｇ、約１００μｇ／ｋｇ〜約５ｍｇ／ｋｇ、または約１μｇ／ｋｇ〜約５０μｇ／ｋｇ）。低分子の適切な用量は、調節されるべき発現または活性に関して、低分子の力価に依存することがさらに理解される。このような適切な用量は、本明細書で記載のアッセイを用いて決定され得る。本発明のポリペプチドまたは核酸の発現または活性を調節するため、動物（例えば、ヒト）に対して、これらの低分子の１つ以上が投与されるべき場合、医師、獣医師または研究者は、例えば、最初は、比較的低用量を処方し、適切な応答が得られるまで、用量を徐々に増加させることができる。さらに、任意の特定の動物被験体について特定の用量レベルは、使用される特定の化合物の活性、被験体の年齢、体重、健康状態、加齢、および食餌、投与時間、投与経路、排泄速度、なんらかの薬物併用、ならびに調節されるべき発現または活性の程度を含む、種々の因子に依存することが理解される。
【０１５３】
さらに、抗体（またはそのフラグメント）は、細胞毒素、治療剤、または放射性金属イオンのような治療部分と結合体化され得る。細胞毒素または細胞毒素剤としては、細胞に有害である任意の薬剤が挙げられる。例としては、以下が挙げられる：タキソール、サイトカラシンＢ、ガラミシジンＤ、臭化エチジウム、エメチン、マイトマイシン、エトポシド、テノポシド、ビンクリスチン、ビンブラスチン、コルヒチン、ドキソルビシン、ダウノルビシン、ジヒドロキシアントラシンジオン、ミトキサントロン、ミトラマイシン、アクチノマイシンＤ、１−デヒドロテストステロン、グルココルチコイド、プロカイン、テトラカイン、リドカイン、プロプラノロール、およびプロマイシンおよびそれらのアナログまたはホモログ。治療剤としては、代謝拮抗剤（例えば、メトトレキセート、６−メルカプトプリン、６−チオグアニン、シタラビン、５−フルオロウラシルデカルバジン）、アルキル化剤（例えば、メクロレタミン、チオエパクロラムブシル、メルファラン、カルムスチン（ＢＳＮＵ）およびロムスチン（ＣＣＮＵ）、シクロホスファミド、ブスルファン、ジブロモマンニトール、ストレプトゾトシン、マイトマイシンＣ、およびシス−白金（ＩＩ）ジクロロジアミン（ＤＤＰ）シスプラチン）、アントラサイクリン（例えば、ダウノルビシン（以前はダウノマイシン）、およびドキソルビシン）、抗生物質（例えば、ダクチノマイシン（以前はアクチノマイシン）、ブレオマイシン、ミトラマイシン、およびアントラマイシン（ＡＭＣ））、ならびに抗分裂剤（例えば、ビンクリスチンおよびビンブラスチン）が挙げられるがこれらに限定されない。
【０１５４】
本発明の結合体は、所定の生物学的応答を改変するために用いられ得る。この薬物部分は、古典的な化学的治療剤に限定されると解釈されるべきではない。例えば、この薬物部分は、所望の生物学的活性を処理するタンパク質またはポリペプチドであり得る。このようなタンパク質としては、例えば、以下が挙げられる：毒素（例えば、アブリン、リシンＡ、シュードモナス外毒素、またはジフテリア毒素）；タンパク質（例えば、腫瘍壊死因子）、αインターフェロン、βインターフェロン、神経成長因子、血小板由来増殖因子、組織プラスミノゲン活性化因子）；または生物学的応答改変因子（例えば、リンホカイン、インターロイキン−１（「ＩＬ−１」）、インターロイキン−２（「ＩＬ−２」）、インターロイキン−６（「ＩＬ−６」）、顆粒球マクロファージコロニー刺激因子（「ＧＭ−ＣＳＦ」）、顆粒球コロニー刺激因子（「Ｇ−ＣＳＦ」）、もしくは他の増殖因子。
【０１５５】
抗体に対してこのような治療部分を結合体化するための技術は、周知である。例えば、Ａｒｎｏｎら「Ｍｏｎｏｃｌｏｎａｌ　Ａｎｔｉｂｏｄｉｅｓ　Ｆｏｒ　Ｉｍｍｕｎｏｔａｒｇｅｔｉｎｇ　Ｏｆ　Ｄｒｕｇｓ　Ｉｎ　Ｃａｎｃｅｒ　Ｔｈｅｒａｐｙ」ｉｎ　Ｍｏｎｏｃｌｏｎａｌ　Ａｎｔｉｂｏｄｉｅｓ　Ａｎｄ　Ｃａｎｃｅｒ　Ｔｈｅｒａｐｙ，Ｒｅｉｓｆｅｌｄら編，（１９８５）Ａｌａｎ　Ｒ．Ｌｉｓｓ，Ｉｎｃ．ｐｐ．２４３−２５６；Ｈｅｌｌｓｔｒｏｍら（１９８７）「Ａｎｔｉｂｏｄｉｅｓ　Ｆｏｒ　Ｄｒｕｇ　Ｄｅｌｉｖｅｒｙ」ｉｎ　Ｃｏｎｔｒｏｌｌｅｄ　Ｄｒｕｇ　Ｄｅｌｉｖｅｒｙ、第２版、Ｒｏｂｉｎｓｏｎら編，ｐｐ．６２３−６５３（Ｍａｒｃｅｌ　Ｄｅｋｋｅｒ，Ｉｎｃ．１９８７）；Ｔｈｏｒｐｅ「Ａｎｔｉｂｏｄｙ　Ｃａｒｒｉｅｒｓ　Ｏｆ　Ｃｙｔｏｔｏｘｉｃ　Ａｇｅｎｔｓ　Ｉｎ　Ｃａｎｃｅｒ　Ｔｈｅｒａｐｙ：Ａ　Ｒｅｖｉｅｗ」ｉｎ　Ｍｏｎｏｃｌｏｎａｌ　Ａｎｔｉｂｏｄｉｅｓ　’８４：Ｂｉｏｌｏｇｉｃａｌ　Ａｎｄ　Ｃｌｉｎｉｃａｌ　Ａｐｐｌｉｃａｔｉｏｎｓ，Ｐｉｎｃｈｅｒａら編，ｐｐ．４７５−５０６（１９８５）；「Ａｎａｌｙｓｉｓ，Ｒｅｓｕｌｔｓ，Ａｎｄ　Ｆｕｔｕｒｅ　Ｐｒｏｓｐｅｃｔｉｖｅ　Ｏｆ　Ｔｈｅ　Ｔｈｅｒａｐｅｕｔｉｃ　Ｕｓｅ　Ｏｆ　Ｒａｄｉｏｌａｂｅｌｅｄ　Ａｎｔｉｂｏｄｙ　Ｉｎ　Ｃａｎｃｅｒ　Ｔｈｅｒａｐｙ」ｉｎ　Ｍｏｎｏｃｌｏｎａｌ　Ａｎｔｉｂｏｄｉｅｓ　Ｆｏｒ　Ｃａｎｃｅｒ　Ｄｅｔｅｃｔｉｏｎ　Ａｎｄ　Ｔｈｅｒａｐｙ，Ｂａｌｄｗｉｎら編，ｐｐ．３０３−３１６（Ａｃａｄｅｍｉｃ　Ｐｒｅｓｓ　１９８５）；およびＴｈｏｒｐｅら、「Ｔｈｅ　Ｐｒｅｐａｒａｔｉｏｎ　Ａｎｄ　Ｃｙｔｏｔｏｘｉｃ　Ｐｒｏｐｅｒｔｉｅｓ　Ｏｆ　Ａｎｔｉｂｏｄｙ−Ｔｏｘｉｎ　Ｃｏｎｊｕｇａｔｅｓ」Ｉｍｍｕｎｏｌ．Ｒｅｖ．６２：１１９−１５８（１９８２）を参照のこと。あるいは、抗体は、Ｓｅｇａｌの米国特許出願第４，６７６，９８０号に記載のように、二次抗体と結合体化されて、抗体異種結合体を形成し得る。
【０１５６】
本発明の核酸分子は、ベクター中に挿入されて、遺伝子治療ベクターとして用いられ得る。遺伝子治療ベクターは、例えば、静脈注射、局所投与（米国特許第５，３２８，４７０号を参照のこと）によって、または定位注入（例えば、Ｃｈｅｎら（１９９４）Ｐｒｏｃ．Ｎａｔｌ．Ａｃａｄ．Ｓｃｉ．ＵＳＡ　９１：３０５４〜３０５７を参照のこと）によって、被験体に送達され得る。遺伝子治療ベクターの薬学的調製物は、受容可能な希釈剤中に遺伝子治療ベクターを含み得るか、または徐放性マトリックス（ここに遺伝子送達ビヒクルが含まれる）を含み得る。あるいは、完全な遺伝子送達ベクターが、組み換え細胞からインタクトで生成され得る場合（例えば、レトロウイルスベクター）、薬学的調製物は、遺伝子送達系を生成する１つ以上の細胞を含み得る。
【０１５７】
薬学的組成物は、投与のための説明書とともに容器、パックまたはディスペンサー中に含まれ得る。
【０１５８】
（Ｖ．本発明の使用および方法）
本明細書中に記載される核酸分子、タンパク質、タンパク質ホモログ、および抗体は、以下の１つ以上の方法において用いられ得る：ａ）スクリーニングアッセイ；ｂ）予測的な医薬（例えば、診断アッセイ、予後アッセイ、モニタリング臨床試験、または薬理遺伝学）；ならびにｃ）処置方法（例えば、治療剤および予防剤）。本明細書において記載するように、本発明のＳＬＩＣ−１タンパク質は、以下の１つ以上の活性を有する：（１）非ＳＬＩＣ−１タンパク質分子と相互作用する；（２）ＳＬＩＣ−１依存性シグナル伝達経路を活性化する；（３）ＰＳＧＬ−１−依存性シグナル伝達経路を調節する；（４）細胞内接着を調節する；（５）細胞骨格とのＰＳＧＬ−１の会合を調節する；（６）細胞活性化合物および／または増殖を調節する；そして（７）細胞遊走を調節する。
【０１５９】
本発明の単離された核酸分子は、例えば、ＳＬＩＣ−１タンパク質（例えば、遺伝子治療の適用において宿主細胞における組み換え発現ベクターを介して）を発現させるために、ＳＬＩＣ−１　ｍＲＮＡ（例えば、生物学的サンプル中の）またはＳＬＩＣ−１遺伝子中の遺伝的変化を検出するために、および本明細書でさらに以下で記載されるようなＳＬＩＣ−１活性を調節するために、用いられ得る。ＳＬＩＣ−１タンパク質は、ＳＬＩＣ−１基質の不十分な産生かまたは過剰な産生か、あるいはＳＬＣ−１インヒビターの不十分な産生かまたは過剰な産生により特徴付けられる障害を処置するために用いられ得る。さらに、ＳＬＩＣ−１タンパク質は、天然に存在するＳＬＩＣ−１基質をスクリーニングするために、ＳＬＩＣ−１活性を調節する薬物または化合物をスクリーニングするために、ならびに、ＳＬＩＣ−１タンパク質の不十分かもしくは過剰な産生か、またはＳＬＩＣ−１野生型タンパク質と比較して減少した活性か異常な活性か、もしくは読もうされない活性を有するＳＬＩＣ−１タンパク質形態の不十分かもしくは過剰な産生により特徴付けられる、障害（例えば、炎症性または免疫系の障害（例えば、炎症性腸疾患、潰瘍性大腸炎、クローン病、ＩＩ型白血球接着不全症候群、腹膜炎、肺の炎症、喘息、急性虫垂炎、敗血性ショック、腎炎、アミロイドーシス、慢性関節リウマチ、サルコイドーシス、強皮症、狼瘡、多発性筋炎、レイター症候群、乾癬、骨盤炎症疾患、炎症性乳房疾患、眼窩炎症性疾患、免疫不全障害（例えば、ＨＩＶ、分類不能型免疫不全、重症複合型免疫不全、自己免疫障害）、および神経変性性疾患（例えば、アルツハイマー病）；造血障害または血栓性障害（例えば、播種性血管内凝固症候群、貧血、リンパ腫、白血病、好中球増加症、好中球減少症、骨髄増殖性障害、血小板増多症、血小板減少症、フォンビルブラント病、および血友病）；心血管系障害（例えば、動脈硬化症、虚血再灌流傷害、炎症性心疾患、再狭窄、動脈炎、血管壁再構築、冠血管微小塞栓、うっ血性心不全、心筋症、冠動脈結紮、心臓血管疾患、アンギナ、高血圧、心筋梗塞、冠動脈疾患、およびアテローム性動脈硬化症）；および細胞の増殖、活性化、接着、成長、分化または遊走の障害（例えば、癌、肉腫、または白血病；腫瘍脈管形成および転移；ならびに造血障害および／または骨髄増殖性障害））のようなＰ−セレクチン糖タンパク質リガンド関連障害）を処置するために用いられ得る。
【０１６０】
１つの実施形態において、本発明は、ＳＬＩＣ−１を発現する細胞の活性化を調節する治療分子を同定するためのＳＬＩＣ−１の核酸およびタンパク質分子の使用を提供する。別の実施形態において、本発明は、例えば、新規な外因性遺伝子送達または遺伝子治療後、細胞の増殖を調節するための、ＳＬＩＣ−１核酸およびタンパク質分子の改変体（例えば、ドミナントネガティブなＳＬＩＣ−１分子）の使用を提供する。
【０１６１】
さらに、本発明の抗ＳＬＩＣ−１抗体は、ＳＬＩＣ−１タンパク質を検出および単離するため、ＳＬＩＣ−１タンパク質の生物学的利用能を調節するために、そしてＳＬＩＣ−１活性を調節するために用いられ得る。
【０１６２】
（Ａ．スクリーニングアッセイ）
本発明は、モジュレーター（すなわち、候補化合物もしくは試験化合物または因子（例えば、ペプチド、ペプチド模倣物、低分子またはその他の薬物））を同定するための方法（本明細書中では「スクリーニングアッセイ」とも呼ばれる）を提供し、このモジュレーターは、ＳＬＩＣ−１に結合し、例えば、ＳＬＩＣ−１発現またはＳＬＩＣ−１活性に対して刺激効果または阻害効果を有するか、または例えば、ＳＬＩＣ−１基質の発現または活性に対して刺激効果または阻害効果を有する。
【０１６３】
１つの実施形態において、本発明は、ＳＬＩＣ−１タンパク質もしくはポリペプチドまたはその生物学的に活性な部分の基質である、候補化合物または試験化合物をスクリーニングするためのアッセイを提供する。別の実施形態において、本発明は、ＳＬＩＣ−１タンパク質もしくはポリペプチドまたはその生物学的に活性な部分の活性に結合するかまたはその活性を調節する、候補化合物または試験化合物をスクリーニングするためのアッセイを提供する。本発明の試験化合物は、当該分野で公知のコンビナトリアルライブラリー方法における多数のアプローチのいずれかを使用して得られ得る。これらのライブラリーとしては、以下が挙げられる：生物学的ライブラリー；空間的にアドレス可能な並行固相または溶液相ライブラリー；逆重畳を必要とする合成ライブラリー方法；「１ビーズ１化合物」ライブラリー法；およびアフィニティクロマトグラフィー選択を使用する合成ライブラリー方法。生物学的ライブラリーアプローチは、ペプチドライブラリーに限定されるが、その他の４つのアプローチは、ペプチド、非ペプチドオリゴマーまたは化合物の低分子ライブラリーに適用可能である（Ｌａｍ，Ｋ．Ｓ．，１９９７，Ａｎｔｉｃａｎｃｅｒ　Ｄｒｕｇ　Ｄｅｓ．１２：１４５）。
【０１６４】
分子ライブラリーの合成のための方法の例は、当該分野において例えば、ＤｅＷｉｔｔら，（１９９３）Ｐｒｏｃ．Ｎａｔｌ．Ａｃａｄ．Ｓｃｉ．Ｕ．Ｓ．Ａ．９０：６９０９；Ｅｒｂら（１９９４）Ｐｒｏｃ．Ｎａｔｌ．Ａｃａｄ．Ｎｃｉ．ＵＳＡ　９１：１１４２２；Ｚｕｃｋｅｒｍａｎｎら（１９９４）Ｊ　Ｍｅｄ．Ｃｈｅｍ．３７：２６７８；Ｃｈｏら（１９９３）Ｓｃｉｅｎｃｅ　２６１：１３０３；Ｃａｒｒｅｌｌら（１９９４）Ａｎｇｅｗ．Ｃｈｅｍ．Ｉｎｔ．Ｅｄ．Ｅｎｇｌ．３３：２０５９；Ｃａｒｅｌｌら（１９９４）Ａｎｇｅｗ．Ｃｈｅｍ．Ｉｎｔ．Ｅｄ．Ｅｎｇｌ．３３：２０６１；およびＧａｌｌｏｐら，（１９９４）Ｊ．Ｍｅｄ．Ｃｈｅｍ．３７：１２３３に見出され得る。
【０１６５】
化合物のライブラリーは、溶液で（例えば、Ｈｏｕｇｈｔｅｎ（１９９２）Ｂｉｏｔｅｃｈｎｉｑｕｅｓ　１３：４１２−４２１）、またはビーズ上（Ｌａｍ，（１９９１）Ｎａｔｕｒｅ　３５４：８２−８４）、チップ上（Ｆｏｄｏｒ（１９９３）Ｎａｔｕｒｅ　３６４：５５５−５５６）、細菌（Ｌａｄｎｅｒ　ＵＳＰ　５，２２３，４０９）、胞子（Ｌａｄｎｅｒ　ＵＳＰ　’４０９）、プラスミド（Ｃｕｌｌら（１９９２）Ｐｒｏｃ　Ｎａｔｌ　Ａｃａｄ　Ｓｃｉ　ＵＳＡ　８９：１８６５−１８６９）またはファージ上（ＳｃｏｔｔおよびＳｍｉｔｈ，（１９９０）Ｓｃｉｅｎｃｅ　２４９：３８６−３９０；Ｄｅｖｌｉｎ（１９９０）Ｓｃｉｅｎｃｅ　２４９：４０４−４０６；Ｃｗｉｒｌａら（１９９０）Ｐｒｏｃ．Ｎａｔｌ．Ａｃａｄ．Ｓｃｉ．８７：６３７８−６３８２；Ｆｅｌｉｃｉ（１９９１）Ｊ．Ｍｏｌ．Ｂｉｏｌ．２２２：３０１−３１０；Ｌａｄｎｅｒ前出）に存在し得る。
【０１６６】
１つの実施形態において、アッセイは細胞ベースのアッセイであり、ここではＳＬＩＣ−１タンパク質またはその生物学的に活性な部分を発現する細胞は、試験化合物と接触されて、そしてこの試験化合物がＳＬＩＣ−１活性を調節する能力が決定される。この試験化合物がＳＬＩＣ−１活性を調節する能力を決定することは、例えば、ＳＬＩＣ−１を発現する細胞におけるＰＳＧＬ−１のプロテインチロシンリン酸化および／または細胞骨格会合のパターンをモニタリングすることによって達成され得る。例えば、この細胞は、哺乳動物起源の細胞、例えば、造血細胞であり得る。
【０１６７】
試験化合物が基質に対するＳＬＩＣ−１結合を調節する能力またはＳＬＩＣ−１に結合する能力もまた決定され得る。試験化合物が基質に対するＳＬＩＣ−１結合を調節する能力を決定することは、例えば、ＳＬＩＣ−１基質のＳＬＩＣ−１に対する結合が、複合体中の標識ＳＬＩＣ−１基質を検出することによって決定され得るように、ＳＬＩＣ−１基質を放射性同位体または酵素標識とカップリングさせることによって達成され得る。あるいは、ＳＬＩＣ−１は、試験化合物が複合体中のＳＬＩＣ−１基質に対するＳＬＩＣ−１結合を調節する能力をモニタリングするために放射性同位体または酵素標識にカップリングされ得る。試験化合物がＳＬＩＣ−１を結合する能力を決定することは、例えば、ＳＬＩＣ−１に対するこの化合物の結合が、複合体中の標識ＳＬＩＣ−１化合物を検出することによって決定され得るように、この化合物を放射性同位体または酵素標識とカップリングさせることによって達成され得る。例えば、化合物（例えば、ＳＬＩＣ−１基質）は、１２５Ｉ、３５Ｓ、１４Ｃ、または３Ｈを用いて直接的または間接的のいずれかで標識され得、そしてこれらの放射性同位体は、電波放出の直接計数またはシンチレーション計数によって検出され得る。あるいは、化合物は、例えば、西洋ワサビペルオキシダーゼ、アルカリホスファターゼまたはルシフェラーゼを用いて酵素的に標識され得、そして酵素標識は、適切な基質の産物への転化を決定することで検出され得る。
【０１６８】
どの相互作用因子の標識も行うこともなく、化合物（例えば、ＳＬＩＣ−１基質）がＳＬＩＣ−１と相互作用する能力を決定することもまた、本発明の範囲内である。例えば、化合物もＳＬＩＣ−１もいずれも標識することなく、マイクロフィジオメーター（ｍｉｃｒｏｐｈｙｓｉｏｍｅｔｅｒ）を使用して、化合物とＳＬＩＣ−１との相互作用を検出し得る（ＭｃＣｏｎｎｅｌｌ，Ｈ．Ｍ．ら（１９９２）Ｓｉｅｎｃｅ　２５７：１９０６−１９１２）。本明細書中で使用される場合、「マイクロフィジオメーター」（例えば、Ｃｙｔｏｓｅｎｓｏｒ）は、細胞がその環境を酸性化する速度を、光位置付け可能電位差センサー（ｌｉｇｈｔ−ａｄｄｒｅｓｓａｂｌｅ　ｐｏｔｅｎｔｉｏｍｅｔｒｉｃ　ｓｅｎｓｏｒ）（ＬＡＰＳ）を使用して測定する分析機器である。この酸性化速度における変化は、化合物とＳＬＩＣ−１との間の相互作用の指標として使用され得る。
【０１６９】
別の実施形態において、アッセイは、ＳＬＩＣ−１標的分子（例えば、ＳＬＩＣ−１基質）を発現する細胞を試験化合物と接触させること、およびこの試験化合物がＳＬＩＣ−１標的分子の活性を調節（例えば、刺激または阻害）する能力を決定することを含む、細胞ベースのアッセイである。試験化合物がＳＬＩＣ−１標的分子の活性を調節する能力を決定することは、例えば、ＳＬＩＣ−１タンパク質がＳＬＩＣ−１標的分子と結合または相互作用する能力を決定することによって達成され得る。
【０１７０】
ＳＬＩＣ−１タンパク質またはその生物学的に活性なフラグメントが、ＳＬＩＣ−１標的分子と結合または相互作用する能力を決定することは、直接結合を決定することに関する上記の方法のうちの１つによって達成され得る。好ましい実施形態では、ＳＬＩＣ−１タンパク質がＳＬＩＣ−１標的分子と結合または相互作用する能力を決定することは、標的分子の活性を決定することによって達成され得る。例えば、標的分子の活性は、細胞応答（すなわち、細胞内タンパク質のチロシンリン酸化パターンの変化；ＭＡＰキナーゼまたはＲａｓ　ＧＴＰａｓｅの活性の変化；ＩＬ−８の分泌）の誘導を検出することによって、適切な基質に対する標的の触媒活性／酵素活性を検出することによって、レポーター遺伝子（検出可能なマーカー（例えば、ルシフェラーゼ）をコードする核酸に作動可能に連結された標的応答性調節エレメントを含む）の誘導を検出することによって、または標的によって調節される細胞応答を検出することによって、決定され得る。
【０１７１】
なお別の実施形態では、本発明のアッセイは、ＳＬＩＣ−１タンパク質またはその生物学的に活性な部分を試験化合物と接触させ、そして試験化合物がＳＬＩＣ−１タンパク質またはその生物学的に活性な部分に結合する能力を決定する、無細胞アッセイである。本発明のアッセイにおいて使用される、ＳＬＩＣ−１タンパク質の好ましい生物学的に活性な部分としては、非ＳＬＩＣ−１分子との相互作用に関係するフラグメント（例えば、免疫レセプターチロシンベース活性化モチーフを含むフラグメント）が挙げられる。ＳＬＩＣ−１タンパク質に対する試験化合物の結合は、上記の通りに直接的または間接的のいずれかで決定され得る。好ましい実施形態では、アッセイは、ＳＬＩＣ−１タンパク質またはその生物学的に活性な部分を、ＳＬＩＣ−１と結合する既知化合物と接触させてアッセイ混合物を形成させ、このアッセイ混合物を試験化合物と接触させ、そして試験化合物がＳＬＩＣ−１タンパク質と相互作用する能力を検出することを含み、ここで、試験化合物がＳＬＩＣ−１タンパク質と相互作用する能力を決定することは、試験化合物が、既知化合物と比較して、ＳＬＩＣ−１タンパク質またはその生物学的に活性な部分と優先的に結合する能力を決定することを含む。
【０１７２】
別の実施形態では、アッセイは、ＳＬＩＣ−１タンパク質またはその生物学的に活性な部分を試験化合物と接触させ、そして試験化合物がＳＬＩＣ−１タンパク質またはその生物学的に活性な部分の活性を調節（例えば、刺激または阻害）する能力が決定される、無細胞アッセイである。試験化合物が、ＳＬＩＣ−１タンパク質の活性を調節する能力を決定することは、例えば、直接結合を決定することに関する上記の方法のうちの１つによってＳＬＩＣ−１タンパク質がＳＬＩＣ−１標的分子に結合する能力を決定することによって達成され得る。ＳＬＩＣ−１タンパク質がＳＬＩＣ−１標的分子に結合する能力を決定することはまた、リアルタイムＢｉｏｍｏｌｅｃｕｌａｒ　Ｉｎｔｅｒａｃｔｉｏｎ　Ａｎａｌｙｓｉｓ（ＢＩＡ）のような技術を用いて達成され得る（Ｓｊｏｌａｎｄｅｒ，Ｓ．およびＵｒｂａｎｉｃｚｋｙ，Ｃ．（１９９１）Ａｎａｌ．Ｃｈｅｍ．６３：２３３８−２３４５およびＳｚａｂｏら（１９９５）Ｃｕｒｒ．Ｏｐｉｎ．Ｓｔｒｕｃｔ．Ｂｉｏｌ．５：６９９−７０５）。本明細書中で使用される場合、「ＢＩＡ」は、いずれの反応体（例えば、ＢＩＡｃｏｒｅ）も標識することなく、リアルタイムで生物特異的相互作用を研究するための技術である。表面プラズモン共鳴（ＳＰＲ）の光学的現象における変化は、生物学的分子間のリアルタイム反応の指標として使用され得る。
【０１７３】
代替的な実施形態では、試験化合物がＳＬＩＣ−１タンパク質の活性を調節する能力を決定することは、ＳＬＩＣ−１タンパク質がＳＬＩＣ−１標的分子の下流のエフェクターの活性をさらに調節する能力を決定することによって達成され得る。例えば、適切な標的に対するエフェクター分子の活性が決定され得るか、または適切な標的に対するエフェクターの結合が、以前に記載されたように決定され得る。
【０１７４】
なお別の実施形態では、無細胞アッセイは、ＳＬＩＣ−１タンパク質またはその生物学的に活性な部分を、ＳＬＩＣ−１タンパク質を結合する既知化合物と接触させてアッセイ混合物を形成させること、アッセイ混合物を試験化合物と接触させること、および試験化合物がＳＬＩＣ−１タンパク質と相互作用する能力を決定することを含み、ここで、試験化合物がＳＬＩＣ−１タンパク質と相互作用する能力を決定することは、ＳＬＩＣ−１タンパク質がＳＬＩＣ−１標的分子と優先的に結合するかまたはこの活性を優先的に調節する能力を決定することを含む。
【０１７５】
本発明の方法の上記のアッセイ方法の１より多くの実施形態では、ＳＬＩＣ−１またはその標的分子のいずれかを固定して、一方または両方のタンパク質の非複合体化形態からの複合体化形態の分離を容易にすること、ならびにアッセイの自動化に適応させることが所望され得る。候補化合物の存在下または非存在下でのＳＬＩＣ−１タンパク質に対する試験化合物の結合またはＳＬＩＣ−１タンパク質と標的分子との相互作用は、反応物を接触させるに適した任意の容器中で達成され得る。このような容器の例としては、マイクロタイタープレート、試験管および微量遠心管が挙げられる。１つの実施形態では、一方または両方のタンパク質がマトリクスに結合するのを可能にするドメインを付加する融合タンパク質が提供され得る。例えば、グルタチオン−Ｓ−トランスフェラーゼ／ＳＬＩＣ−１融合タンパク質またはグルタチオン−Ｓ−トランスフェラーゼ／標的融合タンパク質は、グルタチオンセファロースビーズ（Ｓｉｇｍａ　Ｃｈｅｍｉｃａｌ，Ｓｔ．Ｌｏｕｉｓ，ＭＯ）またはグルタチオン誘導体化マイクロタイタープレート上に吸着され得、次いでこれらは試験化合物または試験化合物および非吸着標的タンパク質またはＳＬＩＣ−１タンパク質のいずれかと合わされ、そしてこの混合物は、複合体形成に有利な条件下（例えば、塩およびｐＨに関して生理学的な条件）でインキュベートされる。インキュベーション後、ビーズまたはマイクロタイタープレートウェルを洗浄して、あらゆる未結合成分を除去し、ビーズの場合はマトリクスを固定し、複合体を例えば上記のように直接的または間接的のいずれかで決定する。あるいは、複合体は、マトリクスから解離され得、そしてＳＬＩＣ−１結合またはＳＬＩＣ−１活性のレベルが標準的技術を用いて決定され得る。
【０１７６】
タンパク質をマトリクスに固定するための他の技術もまた本発明のスクリーニングアッセイにおいて用いられ得る。例えば、ＳＬＩＣ−１タンパク質またはＳＬＩＣ−１標的分子のいずれかは、ビオチンおよびストレプトアビジンの結合体化を利用して固定され得る。ビオチン化したＳＬＩＣ−１タンパク質またはＳＬＩＣ−１標的分子は、ビオチン−ＮＨＳ（Ｎ−ヒドロキシ−スクシンイミド）から、当該分野で公知の技術（例えば、ビオチン化キット、Ｐｉｅｒｃｅ　Ｃｈｅｍｉｃａｌｓ，Ｒｏｃｋｆｏｒｄ，ＩＬ）を用いて調製され得、そしてストレプトアビジンでコーティングした９６ウェルプレート（Ｐｉｅｒｃｅ　Ｃｈｅｍｉｃａｌ）のウェルに固定され得る。あるいは、ＳＬＩＣ−１タンパク質またはその標的分子と反応性であるがＳＬＩＣ−１タンパク質のＳＬＩＣ−１標的分子に対する結合を妨害しない抗体は、このプレートのウェルに誘導体化され得、そしてウェルに未結合の標的またはＳＬＩＣ−１タンパク質が抗体結合体化によってウェルに捕獲され得る。このような複合体を決定するための方法としては、ＧＳＴ固定化複合体に関する上記の方法に加えて、ＳＬＩＣ−１タンパク質またはＳＬＩＣ−１標的分子と反応性である抗体を用いた複合体の免疫検出、ならびにＳＬＩＣ−１タンパク質または標的分子に関連した酵素活性を検出することによる酵素結合アッセイが挙げられる。
【０１７７】
別の実施形態では、ＳＬＩＣ−１発現のモジュレーターは、細胞を候補化合物と接触させ、そしてその細胞におけるＳＬＩＣ−１のｍＲＮＡまたはタンパク質の発現を決定する方法において同定される。候補化合物の存在下でのＳＬＩＣ−１のｍＲＮＡまたはタンパク質の発現レベルは、候補化合物の非存在下でのＳＬＩＣ−１のｍＲＮＡまたはタンパク質の発現レベルと比較される。次いで、この候補化合物は、この比較に基づいてＳＬＩＣ−１発現のモジュレーターとして同定され得る。例えば、ＳＬＩＣ−１のｍＲＮＡまたはタンパク質の発現が、候補化合物の存在下ではその非存在下でよりも多い（統計的に有意に多い）場合、この候補化合物は、ＳＬＩＣ−１のｍＲＮＡまたはタンパク質の発現の刺激因子として同定される。あるいは、ＳＬＩＣ−１のｍＲＮＡまたはタンパク質の発現が、候補化合物の存在下ではその非存在下でよりも少ない（統計的に有意に少ない）場合、この候補化合物は、ＳＬＩＣ−１のｍＲＮＡまたはタンパク質の発現のインヒビターとして同定される。細胞中でのＳＬＩＣ−１のｍＲＮＡまたはタンパク質の発現レベルは、ＳＬＩＣ−１のｍＲＮＡまたはタンパク質を検出することに関して本明細書中に記載された方法によって決定され得る。
【０１７８】
本発明のなお別の局面では、ＳＬＩＣ−１タンパク質をツーハイブリッドアッセイまたはスリーハイブリッドアッセイ（例えば、米国特許第５，２８３，３１７号；Ｚｅｒｖｏｓら（１９９３）Ｃｅｌｌ　７２：２２３−２３２；Ｍａｄｕｒａら（１９９３）Ｊ．Ｂｉｏｌ．Ｃｈｅｍ．２６８：１２０４６−１２０５４；Ｂａｒｔｅｌら（１９９３）Ｂｉｏｔｅｃｈｎｉｑｕｅｓ　１４：９２０−９２４；Ｉｗａｂｕｃｈｉら（１９９３）Ｏｎｃｏｇｅｎｅ　８：１６９３−１６９６；およびＢｒｅｎｔ　ＷＯ９４／１０３００を参照のこと）において「ベイト（ｂａｉｔ）タンパク質」として使用して、ＳＬＩＣ−１に結合もしくは相互作用し、そしてＳＬＩＣ−１活性に関与する他のタンパク質（「ＳＬＩＣ−１結合タンパク質」または「ＳＬＩＣ−１−ｂｐ」）を同定し得る。このようなＳＬＩＣ−１結合タンパク質もまた、例えば、ＳＬＩＣ−１媒介シグナル伝達経路の下流エレメントとして、ＳＬＩＣ−１タンパク質またはＳＬＩＣ−１標的によるシグナルの増幅に関与するようである。あるいは、このようなＳＬＩＣ−１結合タンパク質はＳＬＩＣ−１インヒビターであるようである。
【０１７９】
ツーハイブリッドシステムは、大部分の転写因子のモジュラーとしての性質に基づき、これらの因子は、分離可能なＤＮＡ結合ドメインと活性化ドメインとからなる。手短には、このアッセイは、２つの異なるＤＮＡ構築物を利用する。一方の構築物において、ＳＬＩＣ−１タンパク質をコードする遺伝子は、既知の転写因子（例えば、ＧＡＬ−４）のＤＮＡ結合ドメインをコードする遺伝子に融合される。他方の構築物では、未同定のタンパク質（「プレイ（ｐｒｅｙ）」または「サンプル」）をコードする、ＤＮＡ配列のライブラリー由来のＤＮＡ配列は、その既知の転写因子の活性化ドメインをコードする遺伝子に融合される。「ベイト」タンパク質と「プレイ」タンパク質とがインビボで相互作用してＳＬＩＣ−１依存性複合体を形成し得る場合、その転写因子のＤＮＡ結合ドメインと活性化ドメインとは、極めて接近することになる。この接近することによって、この転写因子に応答性である転写調節部位に作動可能に連結されたレポーター遺伝子（例えば、ＬａｃＺ）の転写が可能になる。レポーター遺伝子の発現が検出され得、そして機能的な転写因子を含む細胞コロニーが単離され得、そしてこれを用いて、ＳＬＩＣ−１タンパク質と相互作用するタンパク質をコードするクローン化遺伝子が獲得され得る。
【０１８０】
別の局面では、本発明は、本明細書中に記載されるアッセイのうちの２つ以上の組合せに関する。例えば、モジュレーターは、細胞ベースのアッセイまたは無細胞アッセイを用いて同定され得、そしてこの因子がＳＬＩＣ−１タンパク質の活性を調節する能力がインビボで（例えば、炎症についての動物モデルのような動物において）確認され得る。
【０１８１】
本発明はさらに、上記のスクリーニングアッセイによって同定された新規の因子に関する。従って、適切な動物モデルにおいて本明細書中に記載された通りに同定された因子をさらに使用することは本発明の範囲内である。例えば、本明細書中に記載の通りに同定された因子（例えば、ＳＬＩＣ−１モジュレーター、アンチセンスＳＬＩＣ−１核酸分子、ＳＬＩＣ−１特異抗体またはＳＬＩＣ−１結合パートナー）を動物モデルにおいて用いて、このような因子を用いた処置の効力、毒性または副作用を決定し得る。あるいは、本明細書中に記載された通りに同定された因子を動物モデルにおいて用いて、このような因子の作用機構を決定し得る。さらに、本発明は、本明細書中に記載の通りの処置に関する上記のスクリーニングアッセイによって同定された新規因子の使用に関する。
【０１８２】
（Ｂ．検出アッセイ）
本明細書中で同定されたｃＤＮＡ配列（および対応する完全な遺伝子配列）の一部分またはフラグメントは、多数の方法においてポリヌクレオチド試薬として用いられ得る。例えば、これらの配列を用いて、以下のことを行い得る：（ｉ）それらのそれぞれの遺伝子を染色体にマッピングし、従って、遺伝性疾患に関連した遺伝子領域を突き止めること；（ｉｉ）微量な生物学的サンプルから個体を同定すること（組織タイピング）；および（ｉｉｉ）生物学的サンプルの法医学的同定を補助すること。これらの適用は、以下のサブセクションに記載される。
【０１８３】
（１．染色体マッピング）
一旦、遺伝子の配列（または配列の一部分）が同定されたら、この配列を用いて、この遺伝子の位置を染色体上にマッピングし得る。このプロセスは、染色体マッピングと呼ばれる。従って、本明細書中に記載されるＳＬＩＣ−１ヌクレオチド配列の一部分またはフラグメントを用いて、このＳＬＩＣ−１遺伝子の位置を染色体上にマッピングし得る。染色体へのＳＬＩＣ−１配列のマッピングは、これらの配列を、疾患に関連した遺伝子と関連付けることにおいて重要な第一段階である。
【０１８４】
手短には、ＳＬＩＣ−１遺伝子は、ＳＬＩＣ−１ヌクレオチド配列からＰＣＲプライマー（好ましくは１５〜２５ｂｐ長）を調製することによって染色体にマッピングされ得る。ＳＬＩＣ−１配列のコンピューター分析を用いて、ゲノムＤＮＡの１より多くのエキソンにまたがらない、従って、増幅プロセスを複雑にする、プライマーを予測し得る。次いで、これらのプライマーは、個々のヒト染色体を含む体細胞ハイブリッドのＰＣＲスクリーニングに用いられ得る。ＳＬＩＣ−１配列に対応するヒト遺伝子を含むハイブリッドのみが増幅フラグメントを生じる。
【０１８５】
体細胞ハイブリッドは、異なる哺乳動物由来の体細胞（例えば、ヒト細胞とマウス細胞と）を融合させることによって調製される。ヒト細胞とマウス細胞とのハイブリッドが増殖し、そして分裂するにつれて、これらは徐々にヒト染色体をランダムな順番で失っていくが、マウス染色体は残っている。マウス細胞は特定の酵素を欠いているのでその細胞は増殖できないがヒト細胞は増殖し得る培地を用いることによって、必要とされる酵素をコードする遺伝子を含む１つのヒト染色体が残る。種々の培地を用いることによって、ハイブリッド細胞株のパネルが確立され得る。パネル中の各細胞株は、１つのヒト染色体または少数のヒト染色体のいずれかおよび完全セットのマウス染色体を含み、特定のヒト染色体への個々の遺伝子の容易なマッピングを可能にする（Ｄ’Ｅｕｓｔａｃｈｉｏ　Ｐ．ら（１９８３）Ｓｃｉｅｎｃｅ　２２０：９１９−９２４）。ヒト染色体のフラグメントのみを含む体細胞ハイブリッドもまた、転座および欠失がおきたヒト染色体を用いることによって生成され得る。
【０１８６】
体細胞ハイブリッドのＰＣＲマッピングは、特定の配列を特定の染色体に割り当てるための迅速な手順である。１台のサーマルサイクラーを用いて１日あたり３以上の配列が割り当てられ得る。オリゴヌクレオチドプライマーを設計するためにＳＬＩＣ−１ヌクレオチド配列を用いると、半位置決定（ｓｕｂｌｏｃａｌｉｚａｔｉｏｎ）は、特定の染色体由来のフラグメントのパネルを用いて達成され得る。ＳＬＩＣ−１配列をその染色体にマッピングするために同様に用いられ得る他のマッピングストラテジーとしては、インサイチュハイブリダイゼーション（Ｆａｎ，Ｙ．ら（１９９０）Ｐｒｏｃ．Ｎａｔｌ．Ａｃａｄ．Ｓｃｉ．ＵＳＡ，８７：６２２３−２７に記載される）、標識されたフロー選別染色体を用いたプレスクリーニング、および染色体特異的ｃＤＮＡライブラリーへのハイブリダイゼーションによるプレ選択が挙げられる。
【０１８７】
中期染色体展開物へのＤＮＡ配列の蛍光インサイチュハイブリダイゼーション（ＦＩＳＨ）をさらに用いて、一工程で正確な染色体位置を提供し得る。染色体展開物は、化学物質（例えば、有糸分裂紡錘体を破壊するコルセミド）によって分裂が中期でブロックされた細胞を用いて作製され得る。染色体は、トリプシンを用いて短時間処理され得、次いでギームザを用いて染色され得る。明るいバンドと暗いバンドとのパターンが各染色体上に現れ、その結果、染色体が個々に同定され得る。ＦＩＳＨ技術は、５００塩基または６００塩基程度の短いＤＮＡ配列とともに用いられ得る。しかし、１，０００塩基よりも長いクローンは、簡便な検出のために十分なシグナル強度で独特の染色体位置に結合する可能性がより高い。合理的な時間で良好な結果を得るためには、好ましくは１，０００塩基、より好ましくは２，０００塩基が十分である。この技術の総説については、Ｖｅｒｍａら，Ｈｕｍａｎ　Ｃｈｒｏｍｏｓｏｍｅｓ：Ａ　Ｍａｎｕａｌ　ｏｆ　Ｂａｓｉｃ　Ｔｅｃｈｎｉｑｕｅｓ（Ｐｅｒｇａｍｏｎ　Ｐｒｅｓｓ，Ｎｅｗ　Ｙｏｒｋ　１９８８）を参照のこと。
【０１８８】
染色体マッピングのための試薬を、その染色体上の単一の染色体もしくは単一の部位を個々に標識するために使用し得るか、または試薬のパネルを、複数の部位および／もしくは複数の染色体を標識するために使用し得る。この遺伝子の非コード領域に対応する試薬は、マッピングの目的のために実際に好ましい。コード配列は、遺伝子ファミリー内でより保存されるようであり、従って、染色体マッピングの間の交差ハイブリダイゼーションの可能性を増加させる。ヒトＳＬＩＣ−１遺伝子は、第１６染色体に局在している。
【０１８９】
一旦、配列が正確な染色体位置にマッピングされると、染色体上の配列の物理的な位置は、遺伝地図データと関連付けられ得る。（このようなデータは、例えば、Ｊｏｈｎｓ　Ｈｏｐｋｉｎｓ　Ｕｎｉｖｅｒｓｉｔｙ　Ｗｅｌｃｈ　Ｍｅｄｉｃａｌ　Ｌｉｂｒａｒｙを介したオンラインで利用可能である、Ｖ．ＭｃＫｕｓｉｃｋ，Ｍｅｎｄｅｌｉａｎ　Ｉｎｈｅｒｉｔａｎｃｅ　ｉｎ　Ｍａｎにおいて見出される）。次いで、同じ染色体領域にマッピングされた遺伝子と疾患との関係は、例えば、Ｅｇｅｌａｎｄ，Ｊ．ら（１９８７）Ｎａｔｕｒｅ，３２５：７８３−７８７に記載される、連鎖解析（物理的に隣接した遺伝子の同時遺伝）を通して同定され得る。
【０１９０】
さらに、ＳＬＩＣ−１遺伝子に関連した疾患に罹患した個体と罹患していない個体との間のＤＮＡ配列における差異が、決定され得る。変異が、罹患した個体のいくつかまたは全てに認められるが、罹患していない個体どれにおいても認められない場合は、その変異がその特定の疾患の原因である可能性がある。罹患した個体および罹患してない個体の比較は、一般的に染色体中の構造的改変（例えば、染色体スプレッド（ｃｈｒｏｍｏｓｏｍｅ　ｓｐｒｅａｄ）から可視化されるか、またはそのＤＮＡ配列に基づいたＰＣＲを用いて検出可能である、欠失または転位）をまず探すこと含む。最終的に、いくつかの個体由来の遺伝子の完全な配列決定を実施して、変異の存在を確認し得、そして多型から変異を識別し得る。
【０１９１】
（２．組織タイピング）
本発明のＳＬＩＣ−１配列をまた用いて、微量の生物学的サンプルから個体を同定し得る。例えば、米国軍は、その職員の同定のために制限断片長多型（ＲＦＬＰ）の使用を検討している。この技術において、個体のゲノムＤＮＡは、１つ以上の制限酵素を用いて消化され、そして同定のために固有のバンドを得るサザンブロットで探索される。この方法は、なくされたり、交換されたり、または盗まれたりし得る「ドッグタグ」の現在の制限（絶対的な同定を難しくさせる）に悩まされない。本発明の配列は、ＲＦＬＰのためのさらなるＤＮＡマーカーとして有用である（米国特許第５，２７２，０５７号に記載される）。
【０１９２】
さらに、本発明の配列を用いて、個体のゲノムの選択された部分の実際の塩基ごとのＤＮＡ配列を決定する代替技術を提供し得る。従って、本明細書中に記載されるＳＬＩＣ−１ヌクレオチド配列を用いて、その配列の５’末端および３’末端から２つのＰＣＲプライマーを調製し得る。次いで、これらのプライマーを用いて、個体のＤＮＡを増幅し得、そして続けてそれを配列決定し得る。
【０１９３】
個体由来の対応するＤＮＡ配列のパネル（この様式において調製された）は、各個体が対立遺伝子の差に起因してこのようなＤＮＡ配列の固有のセットを有するので、固有の個体の同定を提供し得る。本発明の配列を用いて、個体由来および組織由来のこのような同定配列を獲得し得る。本発明のＳＬＩＣ−１ヌクレオチド配列は、ヒトゲノムの部分を固有に示す。対立遺伝子の変異は、これらの配列のコード領域においてある程度まで生じ、そして非コード領域においてより多くの程度まで生じると推定される。個々のヒト間での対立遺伝子の変異は、各５００塩基あたり約１回の頻度で生じると推定される。本明細書中に記載される配列のそれぞれは、個体由来のＤＮＡが同定の目的のために比較され得る基準として（ある程度まで）用いられ得る。より多数の多型は非コード領域で生じるので、ほとんどの配列は個体を識別するために必要とされない。ＳＬＩＣ−１遺伝子の非コード配列は、１００塩基の非コード増幅配列をそれぞれ生じる、およそ１０から１，０００プライマーのパネルを用いて絶対的な個体同定を十分に提供し得る。推定コード配列（例えば、配列番号１における配列）を用いる場合、絶対的な個体同定のためのプライマーのより適切な数は、５００〜２，０００である。
【０１９４】
本明細書中に記載されるＳＬＩＣ−１ヌクレオチド配列由来の試薬のパネルを用いて、個体について固有の同定データベースを作成する場合、これらの同じ試薬を用いて、後でその個体からの組織を同定し得る。この固有の同定データベースを用いて、個体の絶対的同定（生存または死）が非常に小さな組織サンプルからなされ得る。
【０１９５】
（３．法医学的生物学（Ｆｏｒｅｎｓｉｃ　Ｂｉｏｌｏｇｙ）におけるＳＬＩＣ−１配列の使用）
ＤＮＡベースの同定技術はまた、法医学的生物学において用いられ得る。法医学的生物学は、犯罪現場で、例えば、犯罪の加害者を正確に同定するための手段として発見された生物学的証拠の遺伝子タイピングを利用する科学の一分野である。このような同定を行うために、ＰＣＲ技術を用いて、犯罪現場で発見された非常に小さな生物学的サンプル（例えば、組織（例えば、髪もしくは皮膚）、または体液（例えば、血液、唾液、もしくは精液））から得られたＤＮＡ配列を増幅し得る。次いで、増幅された配列を標準として比較し得、これによって生物学的サンプルの起源の同定を可能にする。
【０１９６】
本発明の配列を用いて、ポリヌクレオチド試薬を提供し得る。このポリヌクレオチド試薬は、例えば、ヒトゲノム中の特定の遺伝子座を標的にするＰＣＲプライマーであり、これは、例えば、別の「同定マーカー」（すなわち、特定の個体に固有である別のＤＮＡ配列）を提供することによってＤＮＡベースの法医学的同定の信頼度を増強し得る。上述のように、実際の塩基配列の情報は、制限酵素によって生成されるフラグメントにより形成されるパターンに正確に代わるものとして同定のために用いら得る。ＳＬＩＣ−１遺伝子の非コード領域を標的にする配列は、多数の多型が非コード領域に生じるので、この使用に特に適切であり、この技術を用いて個体を識別することをより容易にさせる。ポリヌクレオチド試薬の例としては、ＳＬＩＣ−１ヌクレオチド配列またはその部分（例えば、少なくとも２０塩基長、好ましくは少なくとも３０塩基長を有する、配列番号１もしくはＳＬＩＣ−１遺伝子の非コード領域由来のフラグメント）が挙げられる。
【０１９７】
本明細書中に記載されるＳＬＩＣ−１ヌクレオチド配列をさらに用いて、ポリヌクレオチド試薬を提供し得る。このポリヌクレオチド試薬は、例えば、標識されたプローブまたは標識可能なプローブであり、これらは、特定の組織（例えば、造血組織および／またはリンパ系組織）を同定するために、例えば、インサイチュハイブリダイゼーション技術において用いられ得る。これは、法医学の病理学者が未知の起源の組織を提示される場合に非常に有用であり得る。このようなＳＬＩＣ−１プローブのパネルを用いて、種および／または器官型によって組織を同定し得る。
【０１９８】
類似の様式で、これらの試薬、例えば、ＳＬＩＣ−１プライマーまたはプローブを用いて、夾雑について組織培養物をスクリーニングし得る（すなわち、培養物中の細胞の種々の型の混合の存在についてスクリーニングし得る）。
【０１９９】
（Ｃ．予測医学）
本発明はまた、診断アッセイ、予後アッセイ、および臨床試験のモニタリングが予後（予測）目的で用いられ、これによって個体を予防的に処置するための予測医学の分野に関する。従って、本発明の１つの局面は、生物学的サンプル（例えば、血液、血清、細胞、組織）の状況から、ＳＬＩＣ−１タンパク質および／または核酸の発現ならびにＳＬＩＣ−１活性を決定し、これによって、個体が、異常かもしくは望ましくないＳＬＩＣ−１の発現もしくは活性に関連する、疾患もしくは障害に罹患しているか、または障害を発症する危険性があるか否かを決定するための診断アッセイに関する。本発明はまた、個体が、ＳＬＩＣ−１タンパク質、核酸の発現または活性に関連する、障害を発症する危険性があるか否かを決定するための予後（または予測）アッセイを提供する。例えば、ＳＬＩＣ−１遺伝子における変異は、生物学的サンプルにおいてアッセイされ得る。このようなアッセイは、予後または予測の目的のために用いられ、これによってＳＬＩＣ−１タンパク質、核酸の発現または活性によって特徴付けられるかまたはこれらに関連する障害の発症前に個体を予防的に処置し得る。
【０２００】
本発明の別の局面は、臨床試験においてＳＬＩＣ−１の発現または活性に対する薬剤（例えば、薬物、化合物）の影響をモニタリングすることに関する。
【０２０１】
これらの薬剤および他の薬剤は、以下の節でさらに詳細に記載される。
【０２０２】
（１．診断アッセイ）
生物学的サンプルにおいてＳＬＩＣ−１タンパク質または核酸の存在または非存在を検出するための例示的な方法は、試験被験体由来の生物学的サンプルを得る工程、および生物学的サンプルと、ＳＬＩＣ−１タンパク質またはＳＬＩＣ−１タンパク質をコードする核酸（例えば、ｍＲＮＡまたはゲノムＤＮＡ）を検出し得る化合物または薬剤とを接触させ、その結果、ＳＬＩＣ−１タンパク質または核酸の存在を生物学的サンプル中で検出する工程を包含する。ＳＬＩＣ−１　ｍＲＮＡまたはゲノムＤＮＡを検出するための好ましい薬剤は、ＳＬＩＣ−１　ｍＲＮＡまたはゲノムＤＮＡとハイブリダイズし得る標識核酸プローブである。核酸プローブは、例えば、配列番号１に示されるＳＬＩＣ−１核酸、または受託番号　としてＡＴＣＣに寄託されたプラスミドのＤＮＡインサート、またはそれらの部分（例えば、少なくとも１５、３０、５０、１００、２５０または５００ヌクレオチド長であり、かつストリンジェントな条件下でＳＬＩＣ−１　ｍＲＮＡまたはゲノムＤＮＡに特異的にハイブリダイズするのに十分なオリゴヌクレオチド）であり得る。本発明の診断アッセイにおける使用のための他の適切なプローブが、本明細書中に記載される。
【０２０３】
ＳＬＩＣ−１タンパク質を検出するための好ましい薬剤は、ＳＬＩＣ−１タンパク質に結合し得る抗体であり、好ましくは検出可能な標識を有する抗体である。抗体は、ポリクローナル、またはより好ましくは、モノクローナルであり得る。インタクトな抗体、またはそのフラグメント（例えば、ＦａｂまたはＦ（ａｂ’）２）が用いられ得る。プローブまたは抗体に関して、用語「標識された」とは、検出可能な基質をプローブまたは抗体に結合すること（すなわち、物理的に連結すること）によって、プローブまたは抗体を直接標識すること、および直接標識された別の試薬との反応性によってそのプローブまたは抗体を間接的に標識することを包含することを意図する。間接的な標識の例としては、蛍光標識された二次抗体を用いた一次抗体の検出および蛍光標識されたストレプトアビジンを用いて検出され得るようなビオチンを用いたＤＮＡプローブの末端標識化が挙げられる。用語「生物学的サンプル」とは、被験体から単離された組織、細胞および生物学的体液、ならびに被験体内に存在する組織、細胞および体液を含むことを意図する。すなわち、本発明の検出方法は、インビトロおよびインビボでの生物学的サンプル中のＳＬＩＣ−１　ｍＲＮＡ、タンパク質、またはゲノムＤＮＡ検出するために用いられる。例えば、ＳＬＩＣ−１　ｍＲＮＡの検出のためのインビトロの技術としては、ノーザンハイブリダイゼーションおよびインサイチュハイブリダイゼーションが挙げられる。ＳＬＩＣ−１タンパク質の検出のためのインビトロの技術としては、固相酵素免疫検定法（ＥＬＩＳＡ）、ウェスタンブロット、免疫沈降法および免疫蛍光法が挙げられる。ＳＬＩＣ−１ゲノムＤＮＡの検出のためのインビトロの技術としては、サザンハイブリダイゼーションが挙げられる。さらに、ＳＬＩＣ−１タンパク質の検出のためのインビボの技術は、標識された抗ＳＬＩＣ−１抗体を被験体中に導入することを含む。例えば、抗体は、被験体中の存在および位置が標準的なイメージング技術によって検出され得る放射性マーカーを用いて標識され得る。
【０２０４】
１つの実施形態において、生物学的サンプルは、タンパク質を含む。あるいは、生物学的サンプルは、試験被験体由来のｍＲＮＡ分子または試験被験体由来のゲノムＤＮＡを含み得る。好ましい生物学的サンプルは、被験体から慣用的な手段によって単離される血清サンプルである。
【０２０５】
別の実施形態において、これらの方法はさらに、コントロール被験体からコントロールの生物学的サンプルを得る工程、このコントロールサンプルを、ＳＬＩＣ−１タンパク質、ｍＲＮＡ、またはゲノムＤＮＡを検出し得る化合物または薬剤と接触させ、その結果、ＳＬＩＣ−１タンパク質、ｍＲＮＡまたはゲノムＤＮＡの存在がこの生物学的サンプル中で検出される、工程、およびこのコントロールサンプル中のＳＬＩＣ−１タンパク質、ｍＲＮＡ、またはゲノムＤＮＡの存在と、この試験サンプル中のＳＬＩＣ−１タンパク質、ｍＲＮＡまたはゲノムＤＮＡの存在とを比較する工程、を包含する。
【０２０６】
本発明はまた、生物学的サンプルにおけるＳＬＩＣ−１の存在を検出するためのキットを包含する。例えば、このキットは、生物学的サンプル中のＳＬＩＣ−１タンパク質またはｍＲＮＡを検出し得る標識された化合物または薬剤；このサンプル中のＳＬＩＣ−１の量を決定するための手段；およびこのサンプル中のＳＬＩＣ−１の量を基準と比較するための手段を備え得る。この化合物または薬剤は、適切な容器中にパッケージングされ得る。このキットは、ＳＬＩＣ−１タンパク質または核酸を検出するためにこのキットを使用するための指示書をさらに備え得る。
【０２０７】
（２．診断アッセイ）
本明細書中に記載される診断方法をさらに利用して、異常かまたは望ましくないＳＬＩＣ−１の発現または活性に関連する、疾患または障害を有する被験体または発症する危険性のある被験体を同定し得る。本明細書中で使用される場合、用語「異常」とは、野生型ＳＬＩＣ−１の発現または活性から逸脱するＳＬＩＣ−１の発現または活性を含む。異常な発現または活性は、増加したかまたは減少した発現または活性、および発現の野生型発生パターンまたは発現の細胞下のパターンに従わない発現または活性を含む。例えば、異常なＳＬＩＣ−１の発現または活性とは、ＳＬＩＣ−１遺伝子における変異がＳＬＩＣ−１遺伝子の過少発現または過剰発現を引き起こす場合、およびこのような変異が、非機能的ＳＬＩＣ−１タンパク質または野生型の様式において機能しないタンパク質（例えば、ＳＬＩＣ−１基質と相互作用しないタンパク質、または非ＳＬＩＣ−１基質と相互作用するタンパク質）を生じる状況を含むことを意図する。本明細書中で使用される場合、用語「望ましくない」とは、生物学的応答（例えば、細胞の増殖）に関連した望ましくない現象を含む。例えば、望ましくないという用語は、被験体中の望ましくないＳＬＩＣ−１の発現または活性を含む。
【０２０８】
本明細書中に記載されるアッセイ（例えば、前述の診断アッセイまたは以下のアッセイ）を利用して、ＳＬＩＣ−１タンパク質の活性または核酸の発現における調節不全に関連する障害（例えば、炎症または免疫系の障害；心臓血管障害；細胞の増殖（ｐｒｏｌｉｆｅｒａｔｉｏｎ）、活性化、接着、増殖（ｇｒｏｗｔｈ）、分化、または移動の障害；あるいは造血障害または血栓障害）を有する被験体またはこのような障害を発症する危険性のある被験体を同定し得る。あるいは、予後アッセイを利用して、ＳＬＩＣ−１タンパク質の活性または核酸の発現における調節不全に関連する障害（例えば、炎症または免疫系の障害；心臓血管障害；細胞の増殖（ｐｒｏｌｉｆｅｒａｔｉｏｎ）、活性化、接着、増殖（ｇｒｏｗｔｈ）、分化、または移動の障害；あるいは造血障害または血栓障害）を有する被験体またはこのような障害を発症する危険性のある被験体を同定し得る。従って、本発明は、異常かまたは望ましくないＳＬＩＣ−１の発現または活性に関連する、疾患または障害を同定するための方法を提供する。この方法において、試験サンプルは、被験体から得られ、そしてＳＬＩＣ−１タンパク質または核酸（例えば、ｍＲＮＡまたはゲノムＤＮＡ）が検出され、ここで、ＳＬＩＣ−１タンパク質または核酸の存在は、異常かまたは望ましくないＳＬＩＣ−１の発現または活性に関連する、疾患または障害を有する被験体またはこのような疾患または障害を発症する危険性のある被験体についての診断となる。本明細書中で使用される場合、「試験サンプル」とは、目的の被験体から得られた生物学的サンプルをいう。例えば、試験サンプルは、生物学的液体（例えば、脳脊髄液または血清）、細胞のサンプル、または組織であり得る。
【０２０９】
さらに、本明細書中に記載される予後アッセイを用いて、被験体が薬剤（例えば、アゴニスト、アンタゴニスト、ペプチド模倣物、タンパク質、ペプチド、核酸、低分子、または他の薬物候補）を、異常かまたは望ましくないＳＬＩＣ−１の発現または活性に関連する、疾患または障害を処置するために投与され得るか否かを決定し得る。例えば、このような方法を用いて、被験体が炎症または免疫系の障害；心臓血管障害；細胞の増殖（ｐｒｏｌｉｆｅｒａｔｉｏｎ）、活性化、接着、増殖（ｇｒｏｗｔｈ）、分化、または移動の障害；あるいは造血障害または血栓障害のための薬剤を用いて有効に処置され得るか否かを決定し得る。従って、本発明は、被験体が異常かまたは望ましくないＳＬＩＣ−１の発現または活性に関連する障害のための薬剤を用いて有効に処置され得るか否かを決定するための方法を提供する。この方法において、試験サンプルが得られ、そしてＳＬＩＣ−１タンパク質または核酸の発現または活性が検出される（例えば、ここで、大量のＳＬＩＣ−１タンパク質または核酸の発現または活性は、異常かまたは望ましくないＳＬＩＣ−１の発現または活性に関連する障害を処置するための薬剤を投与し得る被験体についての診断となる）。
【０２１０】
本発明の方法を用いてまた、ＳＬＩＣ−１遺伝子における遺伝的改変を検出し得、これによって、改変された遺伝子を有する被験体が、ＳＬＩＣ−１タンパク質の活性または核酸の発現における調節不全によって特徴付けられる障害（例えば、炎症または免疫系の障害；心臓血管障害；細胞の増殖（ｐｒｏｌｉｆｅｒａｔｉｏｎ）、活性化、接着、増殖（ｇｒｏｗｔｈ）、分化、または移動の障害；あるいは造血障害または血栓障害）を発症する危険性を有する被験体であるか否かを決定し得る。好ましい実施形態において、これらの方法は、被験体由来の細胞のサンプル中において、ＳＬＩＣ−１タンパク質をコードする遺伝子の完全性に影響する少なくとも１つの改変によって特徴付けられる遺伝的改変の存在または非存在、あるいはＳＬＩＣ−１遺伝子の発現不全を検出することを含む。例えば、このような遺伝的改変は、以下の少なくとも１つの存在を確かめることによって検出され得る：１）ＳＬＩＣ−１遺伝子からの１つ以上のヌクレオチドの欠失；２）ＳＬＩＣ−１遺伝子への１つ以上のヌクレオチドの付加；３）ＳＬＩＣ−１遺伝子の１つ以上のヌクレオチドの置換；４）ＳＬＩＣ−１遺伝子の染色体の再構築；５）ＳＬＩＣ−１遺伝子のメッセンジャーＲＮＡ転写のレベルの変更；６）ＳＬＩＣ−１遺伝子の異常な改変（例えば、ゲノムＤＮＡのメチル化パターンの異常な改変）；７）ＳＬＩＣ−１遺伝子のメッセンジャーＲＮＡの転写の非野生型スプライシングパターンの存在；８）ＳＬＩＣ−１タンパク質の非野生型レベル；９）ＳＬＩＣ−１遺伝子の対立遺伝子の欠失；および１０）ＳＬＩＣ−１タンパク質の不適切な翻訳後修飾。本明細書中で記載されるように、ＳＬＩＣ−１遺伝子中の改変を検出するために用いられ得る当該分野で公知の多数のアッセイが存在する。好ましい生物学的サンプルは、被験体から慣用的な手段によって単離される組織、血清サンプルである。
【０２１１】
特定の実施形態において、この変化の検出は、ポリメラーゼ連鎖反応（ＰＣＲ）（例えば、米国特許第４，６８３，１９５号および第４，６８３，２０２号を参照のこと）（例えば、アンカーＰＣＲまたはＲＡＣＥ　ＰＣＲ）あるいは連結（ｌｉｇａｔｉｏｎ）連鎖反応（ＬＣＲ）（例えば、Ｌａｎｄｅｇｒａｎら（１９８８）Ｓｃｉｅｎｃｅ　２４１：１０７７〜１０８０；およびＮａｋａｚａｗａら（１９９４）Ｐｒｏｃ．Ｎａｔｌ．Ａｃａｄ．Ｓｃｉ．ＵＳＡ　９１：３６０〜３６４を参照のこと）におけるプローブ／プライマーの使用を包含し、この後者は、ＳＬＩＣ−１遺伝子（Ａｂｒａｖａｙａら（１９９５）Ｎｕｃｌｅｉｃ　Ａｃｉｄｓ　Ｒｅｓ．２３：６７５〜６８２を参照のこと）において点変異を検出するために特に有用であり得る。この方法は、被験体から細胞のサンプルを収集する工程、そのサンプルの細胞から核酸（例えば、ゲノム、ｍＲＮＡまたはその両方）を単離する工程、その核酸サンプルを、ＳＬＩＣ−１遺伝子に特異的にハイブリダイズする１つ以上プライマーと、（存在する場合に）そのＳＬＩＣ−１遺伝子のハイブリダイゼーションおよび増幅が生じるような条件下で接触させる工程、および増幅産物の存在もしくは非存在を検出する工程か、またはその増幅産物のサイズを検出しそしてコントロールサンプルと長さを比較する工程を包含する。ＰＣＲおよび／またはＬＣＲは、本明細書中に記載される変異を検出するために使用される技術のうちのいずれかと組み合わせる、予備増幅工程として使用することが望ましくあり得る。
【０２１２】
別の増幅法としては、自己持続性配列の複製（Ｇｕａｔｅｌｌｉ，Ｊ．Ｃ．ら（１９９０）Ｐｒｏｃ．Ｎａｔｌ．Ａｃａｄ．Ｓｃｉ．ＵＳＡ　８７：１８７４〜１８７８）、転写増幅系（Ｋｗｏｈ，Ｄ．Ｙ．ら（１９８９）Ｐｒｏｃ．Ｎａｔｌ．Ａｃａｄ．Ｓｃｉ．ＵＳＡ　８６：１１７３〜１１７７）、Ｑ−βレプリカーゼ（Ｌｉｚａｒｄｉ，Ｐ．Ｍ．ら（１９８８）Ｂｉｏ−Ｔｅｃｈｎｏｌｏｇｙ　６：１１９７）または他の任意の核酸増幅法が挙げられ、その後、その増幅した分子が、当業者に周知の技術を使用して検出される。これらの検出スキームは、そのような分子が非常に少数で存在する場合の核酸分子の検出のために特に有用である。
【０２１３】
別の実施形態において、サンプル細胞由来のＳＬＩＣ−１遺伝子における変異は、制限酵素切断パターンにおける変化によって同定され得る。例えば、サンプルＤＮＡおよびコントロールＤＮＡが、単離され、そして（必要に応じて）増幅され、１つ以上の制限エンドヌクレアーゼにより消化され、そしてフラグメント長サイズが、ゲル電気泳動により決定され、そして比較される。サンプルＤＮＡとコントロールＤＮＡとの間のフラグメント長サイズにおける差異は、そのサンプルＤＮＡにおける変異を示す。さらに、配列特異的リボザイムの使用（例えば、米国特許第５，４９８，５３１号を参照のこと）は、リボザイム切断部位の開発または喪失によって、特異的変異の存在について評価するために使用され得る。
【０２１４】
他の実施形態において、ＳＬＩＣ−１における遺伝的変異は、サンプル核酸およびコントロール核酸（例えば、ＤＮＡまたはＲＮＡ）を、数百または数千のオリゴヌクレオチドプローブを含む高密度アレイ（Ｃｒｏｎｉｎ，Ｍ．Ｔ．ら（１９９６）Ｈｕｍａｎ　Ｍｕｔａｔｉｏｎ　７：２４４〜２５５；Ｋｏｚａｌ，Ｍ．Ｊ．ら（１９９６）Ｎａｔｕｒｅ　Ｍｅｄｉｃｉｎｅ　２：７５３〜７５９）にハイブリダイズすることによって、同定され得る。例えば、ＳＬＩＣ−１における遺伝的変異は、Ｃｒｏｎｉｎ，Ｍ．Ｔ．ら（上記）に記載される光発生ＤＮＡプローブを含む２次元アレイにおいて同定され得る。簡単に述べると、プローブの第１のハイブリダイゼーションアレイが、サンプルおよびコントロール中のＤＮＡの長いストレッチを通して走査して、連続的に重複するプローブの線状アレイを作製することによりその配列間の塩基変化を同定するために、使用され得る。この段階は、点変異の同定を可能にする。この段階の後に、第２のハイブリダイゼーションアレイが続き、このアレイにより、検出されたすべての改変体または変異と相補的な、より小さい特化したプローブアレイを使用することによる特定の変異の特徴付けが可能である。各変異アレイは、並行プローブセットから構成され、その１つは、野生型遺伝子と相補的であり、そしてもう１つは、変異体遺伝子と相補的である。
【０２１５】
なお別の実施形態において、当該分野で公知の種々の配列決定反応のいずれかが、ＳＬＩＣ−１遺伝子を直接配列決定し、そしてサンプルＳＬＩＣ−１の配列を対応する野生型（コントロール）配列と比較することによって変異を検出するために、使用され得る。配列決定反応の例としては、ＭａｘａｍおよびＧｉｌｂｅｒｔ（１９７７）Ｐｒｏｃ．Ｎａｔｌ．Ａｃａｄ．Ｓｃｉ．ＵＳＡ　７４：５６０）またはＳａｎｇｅｒ（１９７７）Ｐｒｏｃ．Ｎａｔｌ．Ａｃａｄ．Ｓｃｉ．ＵＳＡ　７４：５４６３）により開発された技術に基づくものが挙げられる。種々の自動配列決定手順のいずれかが、診断アッセイ（１９９５）Ｂｉｏｔｅｃｈｎｉｑｕｅｓ　１９：４４８）（質量分析法による配列決定を含む（例えば、ＰＣＴ国際公報番号ＷＯ　９４／１６１０１；Ｃｏｈｅｎら（１９９６）Ａｄｖ．Ｃｈｒｏｍａｔｏｇｒ．３６：１２７〜１６２；およびＧｒｉｆｆｉｎら（１９９３）Ａｐｐｌ．Ｂｉｏｃｈｅｍ．Ｂｉｏｔｅｃｈｎｏｌ．３８：１４７〜１５９を参照のこと）を実施する場合に使用され得ることもまた、意図される。
【０２１６】
ＳＬＩＣ−１遺伝子における変異を検出するための他の方法としては、切断剤からの保護が、ＲＮＡ／ＲＮＡまたはＲＮＡ／ＤＮＡのヘテロ二重鎖におけるミスマッチ塩基を検出するために使用される、方法（Ｍｙｅｒｓら（１９８５）Ｓｃｉｅｎｃｅ　２３０：１２４２）が、挙げられる。一般に、「ミスマッチ切断」の技術は、野生型ＳＬＩＣ−１配列を含む（標識）ＲＮＡまたはＤＮＡを、組織サンプルから得られた潜在的変異体ＲＮＡまたはＤＮＡとハイブリダイズすることによって形成される、ヘテロ二重鎖を提供することによって、開始する。この二本鎖二重鎖は、そのコントロール鎖とサンプル鎖との間の塩基対ミスマッチに起因して存在するようなこの二重鎖の一本鎖領域を切断する、因子で処理される。例えば、ＲＮＡ／ＤＮＡ二重鎖は、ＲＮアーゼで処理され得、そしてＤＮＡ／ＤＮＡハイブリッドは、そのミスマッチ領域を酵素的に消化するためにＳ１ヌクレアーゼで処理され得る。他の実施形態において、ＤＮＡ／ＤＮＡ二重鎖またはＲＮＡ／ＤＮＡ二重鎖のいずれかは、ミスマッチ領域を消化するために、ヒドロキシルアミンまたは四酸化オスミニウムおよびピペリジンで処理され得る。このミスマッチ領域の消化の後、その後、生じた物質は、変異の部位を決定するために変性ポリアクリルアミドゲル上でサイズにより分離される。例えば、Ｃｏｔｔｏｎら（１９８８）Ｐｒｏｃ．Ｎａｔｌ．Ａｃａｄ．Ｓｃｉ．ＵＳＡ　８５：４３９７；Ｓａｌｅｅｂａら（１９９２）Ｍｅｔｈｏｄｓ　Ｅｎｚｙｍｏｌ．２１７：２８６〜２９５を参照のこと。好ましい実施形態において、そのコントロールＤＮＡまたはＲＮＡは、検出のために標識され得る。
【０２１７】
なお別の実施形態において、そのミスマッチ切断反応は、細胞のサンプルから得られたＳＬＩＣ−１　ｃＤＮＡにおける点変異を検出およびマッピングするための規定された系において、二本鎖ＤＮＡ中のミスマッチ塩基対を認識する１つ以上のタンパク質（いわゆる「ＤＮＡミスマッチ修復」酵素）を使用する。例えば、Ｅ．ｃｏｌｉのｍｕｔＹ酵素は、Ｇ／ＡミスマッチでＡを切断し、そしてＨｅＬａ細胞由来のチミジンＤＮＡグリコシラーゼは、Ｇ／ＴミスマッチでＴを切断する（Ｈｓｕら（１９９４）Ｃａｒｃｉｎｏｇｅｎｅｓｉｓ　１５：１６５７〜１６６２）。例示的な実施形態に従って、ＳＬＩＣ−１配列（例えば、野生型ＳＬＩＣ−１配列）に基づくプローブが、試験細胞由来のｃＤＮＡ産物または他のＤＮＡ産物にハイブリダイズされる。その二重鎖は、ＤＡＮミスマッチ修復酵素で処理され、そしてその切断産物は、もし存在する場合は、電気泳動プロトコールなどから検出され得る。例えば、米国特許第５，４５９，０３９号を参照のこと。
【０２１８】
他の実施形態において、電気泳動移動度における変化が、ＳＬＩＣ−１遺伝子における変異を同定するために使用される。例えば、一本鎖コンフォメーション多型（ＳＳＣＰ）が、変異型核酸と野生型核酸との間の電気移動度の差異を検出するために使用され得る（Ｏｒｉｔａら（１９８９）Ｐｒｏｃ．Ｎａｔｌ．Ａｃａｄ．Ｓｃｉ．ＵＳＡ：８６：２７６６）（Ｃｏｔｔｏｎ（１９９３）Ｍｕｔａｔ．Ｒｅｓ．２８５：１２５〜１４４；およびＨａｙａｓｈｉ（１９９２）Ｇｅｎｅｔ．Ａｎａｌ．Ｔｅｃｊ．Ａｐｐｌ．９：７３〜７９もまた参照のこと）。サンプルＳＬＩＣ−１核酸およびコントロールＳＬＩＣ−１核酸の一本鎖ＤＮＡフラグメントは、変性され、そして再生可能にされる。一本鎖核酸の二次構造は、配列に応じて変化し、生じる電気泳動移動度の変化により、単一塩基変化の検出さえ可能である。そのＤＮＡフラグメントは、標識され得るか、または標識プローブを用いて検出され得る。このアッセイの感度は、（ＤＮＡよりむしろ）二次構造が配列の変化に対してより感受性であるＲＮＡを使用することによって、増強され得る。好ましい実施形態において、この方法は、電気泳動移動度における変化に基づいて二本鎖ヘテロ二重鎖分子を分離するためのヘテロ二重鎖分析（Ｋｅｅｎら（１９９１）Ｔｒｅｎｄｓ　Ｇｅｎｅｔ　７：５）を使用する。
【０２１９】
なお別の実施形態において、変性剤の勾配を含むポリアクリルアミドゲルにおける変異体フラグメントまたは野生型フラグメントの移動が、変性勾配ゲル電気泳動（ＤＧＧＥ）（Ｍｙｅｒｓら（１９８５）Ｎａｔｕｒｅ　３１３：４９５）を使用してアッセイされる。ＤＧＧＥが分析方法として使用される場合、ＤＮＡは、例えば、約４０ｂｐの高融解ＧＣリッチＤＮＡのＧＣクランプをＰＣＲにより付加することによって、そのＤＮＡが完全には変性しないことを保証するように、改変される。さらなる実施形態において、コントロールＤＮＡおよびサンプルＤＮＡの移動度における差異を同定するために、変性勾配の代わりに温度勾配が使用される（ＲｏｓｅｎｂａｕｍおよびＲｅｉｓｓｎｅｒ（１９８７）Ｂｉｏｐｈｙｓ　Ｃｈｅｍ　２６５：１２７５３）。
【０２２０】
点変異を検出するための他の技術の例としては、選択的オリゴヌクレオチドハイブリダイゼーション、選択的増幅、または選択的プライマー伸長が挙げられるが、これらに限定されない。例えば、既知の変異が中心に配置されたオリゴヌクレオチドプライマーが、調製され得、その後、完全一致が見出される場合のみハイブリダイゼーションを可能にする条件下で、標的ＤＮＡにハイブリダイズされる（Ｓａｉｋｉら（１９８６）Ｎａｔｕｒｅ　３２４：１６３；Ｓａｉｋｉら（１９８９）Ｐｒｏｃ．Ｎａｔｌ．Ａｃａｄ．Ｓｃｉ．ＵＳＡ　８６：６２３０）。このような対立遺伝子特異的オリゴヌクレオチドは、ＰＣＲ増幅された標的ＤＮＡにハイブリダイズされるか、またはそのオリゴヌクレオチドがハイブリダイズメンブレンに付着された場合は多数の異なる変異にハイブリダイズされ、そして標識された標的ＤＮＡでハイブリダイズされる。
【０２２１】
あるいは、選択的ＰＣＲ増幅に依存する対立遺伝子特異的遺伝子増幅技術が、本発明と組み合わせて使用され得る。特異的増幅のためのプライマーとして使用され得るオリゴヌクレオチドは、その分子の中心に（増幅が、ディファレンシャルハイブリダイゼーションに依存するように）目的の変異を保有し得る（Ｇｉｂｂｓら（１９８９）Ｎｕｃｌｅｉｃ　Ａｃｉｄｓ　Ｒｅｓ．１７：２４３７〜２４４８）か、または適切な条件下でミスマッチがポリメラーゼ伸長を妨害または減少し得る場合は１つのプライマーの３’末端に変異を保有し得る（Ｐｒｏｓｓｎｅｒ（１９９３）Ｔｉｂｔｅｃｈ　１１：２３８）。さらに、その変異の領域中に新規な認識部位を挿入して切断に基づく検出を作製することが、望ましくあり得る（Ｇａｓｐａｒｉｎｉら（１９９２）Ｍｏｌ．Ｃｅｌｌ　Ｐｒｏｂｅｓ　６：１）。特定の実施形態において、増幅はまた、増幅用のＴａｑリガーゼ（Ｂａｒａｎｙ（１９９１）Ｐｒｏｃ．Ｎａｔｌ．Ａｃａｄ．Ｓｃｉ．ＵＳＡ　８８：１８９）を使用して実施され得ることが予期される。このような場合において、その５’配列の３’末端に完全な一致が存在する場合にのみ、連結が生じ、それにより、増幅の存在または非存在を探索することにより特定の部位で既知の変異の存在を検出することが可能になる。
【０２２２】
本明細書中に記載される方法は、例えば、本明細書中に記載される少なくとも１つのプローブ核酸または抗体試薬を含む、予めパッケージされた診断キットを使用することによって、実施され得、このキットは、例えば、ＳＬＩＣ−１遺伝子に関する疾患または疾病の症状または家族病歴を示す患者を診断するための臨床状況において、簡便に使用され得る。
【０２２３】
さらに、ＳＬＩＣ−１が発現される任意の細胞型または組織が、本明細書中に記載される予後アッセイにおいて使用され得る。
【０２２４】
（３．臨床試験の間の効果をモニタリングすること）
ＳＬＩＣ−１タンパク質の発現または活性（例えば、炎症および／またはＰＳＧＬ−１シグナル伝達機構の調節、ＰＳＧＬ−１細胞骨格結合、または細胞接着）に対する因子（例えば、薬物）の影響をモニタリングすることが、基本的薬物スクリーニングにおいてだけでなく、臨床試験においても適用され得る。例えば、ＳＬＩＣ−１遺伝子の発現レベル、ＳＬＩＣ−１タンパク質レベルを増加するためかまたはＳＬＩＣ−１活性をアップレギュレートするための、本明細書中に記載されるスクリーニングアッセイにより決定される因子の有効性が、減少したＳＬＩＣ−１遺伝子発現、減少したＳＬＩＣ−１タンパク質レベル、またはダウンレギュレートしたＳＬＩＣ−１活性を示す被験体における臨床試験においてモニターされ得る。あるいは、ＳＬＩＣ−１遺伝子発現、ＳＬＩＣ−１タンパク質レベルを減少するかまたはＳＬＩＣ−１活性をダウンレギュレートするための、スクリーニングアッセイにより決定された因子の有効性が、増加したＳＬＩＣ−１遺伝子発現、増加したＳＬＩＣ−１タンパク質レベル、またはアップレギュレートしたＳＬＩＣ−１活性を示す被験体の臨床試験において、モニターされ得る。このような臨床試験において、ＳＬＩＣ−１遺伝子の発現または活性、そして好ましくは、例えば、ＳＬＩＣ−１関連障害に関与している他の遺伝子が、特定の細胞の表現型の「読み取り」またはマーカーとして、使用され得る。
【０２２５】
例としてであって限定としてではないが、（例えば、本明細書中に記載されるようなスクリーニングアッセイにおいて同定された）ＳＬＩＣ−１活性を調節する因子（例えば、化合物、薬物または低分子）を用いた処理により細胞において調節される遺伝子（ＳＬＩＣ−１を含む）が、同定され得る。従って、例えば、臨床試験において、ＳＬＩＣ−１関連障害（例えば、Ｐ−セレクチン糖タンパク質リガンドシグナル伝達機構および／または細胞接着の調節不全により特徴付けられる、障害）に対する因子の効果を研究するために、細胞が、単離され得、そしてＲＮＡが調製され得、そしてＳＬＩＣ−１の発現のレベルおよびＳＬＩＣ−１関連障害に関与するための遺伝子の発現レベルについて、それぞれ分析され得る。遺伝子発現のレベル（例えば、遺伝子発現パターン）は、本明細書中に記載される、ノーザンブロット分析またはＲＴ−ＰＣＲによってか、あるいは、本明細書中に記載される方法の１つによって生成されたタンパク質の量を測定することによってか、またはＳＬＩＣ−１遺伝子もしくは他の遺伝子の活性のレベルを測定することによって、定量され得る。この方法において、その遺伝子発現パターンは、マーカーとして役立ち得、その因子に対するその細胞の生理学的応答の指標である。従って、この応答状態は、その因子でその個体を処置する前、およびその間の種々の時点で、決定され得る。
【０２２６】
好ましい実施形態において、本発明は、因子（例えば、アゴニスト、アンタゴニスト、ペプチド模倣物、タンパク質、ペプチド、核酸、低分子、または本明細書中に記載されるスクリーニングアッセイにより同定される他の薬物候補）による被験体の処理の有効性をモニターするための方法を提供し、この方法は、以下の工程：（ｉ）その因子の投与の前に、被験体から投与前サンプルを得る工程；（ｉｉ）その投与前サンプルにおいて、ＳＬＩＣ−１タンパク質、ＳＬＩＣ−１　ｍＲＮＡ、またはＳＬＩＣ−１ゲノムＤＮＡの発現レベルを検出する工程；（ｉｉｉ）その被験体から１つ以上の投与後サンプルを得る工程；（ｉｖ）その投与後サンプルにおいて、ＳＬＩＣ−１タンパク質、ＳＬＩＣ−１　ｍＲＮＡまたはＳＬＩＣ−１ゲノムＤＮＡの発現もしくは活性のレベルを検出する工程；（ｖ）その投与前サンプルにおけるＳＬＩＣ−１タンパク質、ＳＬＩＣ−１　ｍＲＮＡまたはＳＬＩＣ−１ゲノムＤＮＡの発現もしくは活性のレベルを、その投与後サンプルにおけるＳＬＩＣ−１タンパク質、ＳＬＩＣ−１　ｍＲＮＡまたはＳＬＩＣ−１ゲノムＤＮＡと比較する工程；および（ｖｉ）それに応じてその被験体へのその因子の投与を変更する工程；を包含する。例えば、その因子の投与の増加が、検出されたよりも高いレベルにＳＬＩＣ−１の発現または活性を増加すること（すなわち、その因子の有効性を増加すること）が望ましくあり得る。あるいは、その因子の投与の減少が、検出されたよりも低いレベルにＳＬＩＣ−１の発現または活性を減少させること（すなわち、その因子の有効性を減少させること）が望ましくあり得る。このような実験に従って、ＳＬＩＣ−１の発現または活性が、観察可能な表現型応答の非存在下でさえ、因子の有効性の指標として使用され得る。
【０２２７】
（Ｄ．処置の方法）
本発明は、異常であるかまたは好ましくないＳＬＩＣ−１の発現または活性と関連する障害（例えば、炎症または免疫系障害；心血管障害；細胞増殖、細胞活性化、細胞接着、細胞増殖、細胞分化、または細胞移動の障害；または造血障害または血栓障害）の危険がある（かまたはその障害に対して感受性である）かまたはその障害を有する、被験体を処置する予防法および治療法の両方を提供する。処置の予防法および治療法の両方に関して、このような処置は、薬理ゲノム学の分野から得られる知識に基づいて、特に変更または改変され得る。「薬理ゲノム学」は、本明細書中で使用される場合、臨床開発中および販売中の薬物に対する、ゲノム学技術（例えば、遺伝子配列決定、統計遺伝学、および遺伝子発現分析）の適用をいう。より詳細には、この用語は、患者の遺伝子がどのように薬物に対する患者の応答を決定するか（例えば、患者の「薬物応答表現型」または「薬物応答遺伝子型」）の研究をいう。従って、本発明の別の局面は、本発明のＳＬＩＣ−１分子、またはその個体の薬物応答遺伝子型に従うＳＬＩＣ−１モジュレーターのいずれかによる個体の予防処置または治療処置を変更するための方法を提供する。薬理ゲノム学により、臨床医または医師が、予防処置または治療処置を、その処置から最も利益を受ける患者に向けること、および毒性薬物関連副作用を受ける患者の処置を回避することが、可能になる。
【０２２８】
（１．予防的方法）
１つの局面において、本発明は、異常なまたは望まれないＳＬＩＣ−１発現または活性に関連する疾患または状態を、被験体において予防するための方法を提供する。これは、その被験体に、ＳＬＩＣ−１を投与することによるか、あるいはＳＬＩＣ−１発現または少なくとも１つのＳＬＩＣ−１活性を調節する薬剤を投与することによる。異常なまたは望まれないＳＬＩＣ−１の発現または活性によって引き起こされるかまたは寄与される疾患の危険性にある被験体は、例えば、本明細書中に記載のような診断アッセイまたは予後アッセイのいずれかまたはそれらの組み合わせによって同定され得る。予防薬剤の投与は、ＳＬＩＣ−１異常に特徴的な発症前に行い得、その結果、疾患または障害を、その進行前に予防あるいは遅延する。ＳＬＩＣ−１異常の型に依存して、例えば、ＳＬＩＣ−１、ＳＬＩＣ−１アゴニストまたはＳＬＩＣ−１アンタゴニスト薬剤が、その被験体を処置するために使用される。適切な薬剤は、本明細書中に記載のスクリーニングアッセイに基づいて決定され得る。
【０２２９】
（２．治療方法）
本発明の別の局面は、治療目的のためにＳＬＩＣ−１の発現または活性を調節する方法に関する。従って、例示的な実施形態において、本発明の調節方法は、細胞に、ＳＬＩＣ−１またはその細胞に関連するＳＬＩＣ−１タンパク質活性の１以上の活性を調節する薬剤を接触させる工程を包含する。ＳＬＩＣ−１タンパク質活性を調節する薬剤は、本明細書中に記載されるような薬剤（例えば、核酸またはタンパク質、ＳＬＩＣ−１タンパク質の天然に存在する標的分子（例えば、ＳＬＩＣ−１基質）、ＳＬＩＣ−１抗体、ＳＬＩＣ−１アゴニストまたはアンタゴニスト、ＳＬＩＣ−１アゴニストまたはアンタゴニストのペプチド模倣物、または他の低分子）であり得る。１つの実施形態において、この薬剤は、１以上のＳＬＩＣ−１活性を刺激する。このような刺激薬剤の例としては、活性なＳＬＩＣ−１タンパク質および細胞内に導入されたＳＬＩＣ−１をコードする核酸分子が挙げられる。別の実施形態において、この薬剤は、１以上のＳＬＩＣ−１活性を阻害する。このような阻害薬剤の例としては、アンチセンスＳＬＩＣ−１核酸分子、抗ＳＬＩＣ−１抗体、およびＳＬＩＣ−１インヒビターが挙げられる。これらの調節方法は、インビトロ（例えば、細胞を薬剤と共に培養することによる）または代わりにインビボ（例えば、薬剤を被験体に投与することによる）で行われ得る。それ自体で、本発明は、ＳＬＩＣ−１タンパク質または核酸分子の異常なまたは望まれない発現または活性によって特徴付けられる疾患または障害に罹患する個体を処置する方法を提供する。１つの実施形態において、この方法は、ＳＬＩＣ−１の発現または活性を調節（例えば、上方調節または下方調節）する薬剤（例えば、本明細書中に記載のスクリーニングアッセイによって同定される薬剤）または薬剤の組み合わせを投与する工程を包含する。別の実施形態において、この方法は、減少されたか異常なまたは望まれないＳＬＩＣ−１の発現または活性を補うための治療剤として、ＳＬＩＣ−１タンパク質または核酸分子を投与する工程を包含する。
【０２３０】
ＳＬＩＣ−１活性の刺激は、ＳＬＩＣ−１が異常に下方調節されている状況および／またはＳＬＩＣ−１活性の増加が有利な効果を有するであろう状況（において望ましい。同様に、ＳＬＩＣ−１活性の阻害は、ＳＬＩＣ−１が異常に上方調節されている状況および／またはＳＬＩＣ−１活性の減少が有利な効果を有するであろう状況において望ましい。
（３．薬理ゲノム学（Ｐｈａｒｍａｃｏｇｅｎｏｍｉｃｓ））
本発明のＳＬＩＣ−１分子、ならびにＳＬＩＣ−１活性（例えば、ＳＬＩＣ−１遺伝子発現）に対する刺激性または阻害性の影響を有する因子、すなわちモジュレーターは、本明細書中に記載されるスクリーニングアッセイによって同定されるように、異常なＳＬＩＣ−１活性または所望されないＳＬＩＣ−１活性と関連するＳＬＩＣ−１関連障害（例えば、炎症性障害または免疫系障害；心臓血管障害；細胞の増殖（ｐｒｏｌｉｆｅｒａｔｉｏｎ）、活性化、接着、増殖（ｇｒｏｗｔｈ）、分化、または移動障害；造血障害または血栓障害）を処置（予防的または治療的に）するために個体に投与され得る。このような処置と合わせて、薬理ゲノム学（すなわち、個体の遺伝子型と外来化合物または薬物に対するその個体の応答との間の関係についての研究）が、考慮され得る。治療剤の代謝における差異は、薬理学的に活性な薬物の用量と血中濃度との間の関係を変更することによって、重篤な毒性または治療の失敗を導き得る。従って、医師または臨床家は、ＳＬＩＣ−１分子またはＳＬＩＣ−１モジュレーターを投与するか否か、ならびにＳＬＩＣ−１分子またはＳＬＩＣ−１モジュレーターを用いる投薬および／または処置の治療レジメンを変更するか否かを決定する際に、関連する薬理ゲノム学研究で得られた知識を適用することを考慮し得る。
【０２３１】
薬理ゲノム学は、罹患されたヒトにおける変更された薬物の性質および異常な作用に起因して、薬物に応答における臨床的に有意な遺伝性変更を扱う。例えば、Ｅｉｃｈｅｌｂａｕｍ，Ｍら（１９９６）、Ｃｌｉｎ．Ｅｘｐ．Ｐｈａｒｍａｃｏｌ．Ｐｈｙｓｉｏｌ．２３（１０−１１）：９８３〜９８５およびＬｉｎｄｅｒ，Ｍ．Ｗ．ら、（１９９７）、Ｃｌｉｎ．Ｃｈｅｍ．４３（２）：２５４〜２６６を参照のこと。一般に、２つの型の薬理ゲノム学状態が、区別され得る。薬物が身体に作用する方法を変更する１つの因子として伝達される遺伝的状態（変更された薬物作用）、または身体が薬物に作用する方法を変更する１つの因子として伝達される遺伝的状態（変更された薬物代謝）。これらの薬理ゲノム学状態は、稀な遺伝的欠損としてか、または天然に存在する多型としてのいずれかで生じ得る。例えば、グルコース−６−リン酸デヒドロゲナーゼ欠損（Ｇ６ＰＤ）は、一般的な遺伝性酵素病であり、この主な臨床的合併症は、酸化剤薬物（抗マラリア剤、スルホンアミド、鎮痛薬、ニトロフラン）の摂取およびソラマメの消費後の溶血である。
【０２３２】
「ゲノム広域会合（ｇｅｎｏｍｅ−ｗｉｄｅ　ａｓｓｏｃｉａｔｉｏｎ）」として知られる、薬物応答を予測する遺伝子を同定するための１つの薬理ゲノム学的アプローチは、既に既知の遺伝子関連マーカー（例えば、ヒトゲノム上の６０，０００〜１００，０００の多型または可変部位からなる「二対立」遺伝子マーカーマップ、これらの各々は、２つの改変体を有する）からなるヒトゲノムの高分解能マップに主に依存する。このような高分解遺伝子マップは、特定の観測された薬物応答または副作用に関係するマーカーを同定するために、ＩＩ／ＩＩＩ期薬物試験に関係する、統計学的に有意な数の患者の各々のゲノムのマップと比較され得る。あるいは、このような高分解マップは、ヒトゲノムにおける数千万の既知の単一ヌクレオチド多型（ＳＮＰ）の組み合わせから生成され得る。本発明中で使用される場合、「ＳＮＰ」は、ＤＮＡのストレッチにおいて、単一ヌクレオチド塩基において生じる一般的な改変である。例えば、ＳＮＰは、ＤＮＡの１０００塩基ごとに１回起こり得る。ＳＮＰは、疾患プロセスに関係し得るが、大部分は、疾患に関係しなくてもよい。このようなＳＮＰの存在に基づく遺伝子マップが与えられると、個体は、それらの個々のゲノムＳＮＰの特定のパターンに依存して遺伝子カテゴリーに分類され得る。このような様式において、処置レジメンが、このような遺伝子的に類似の個体の間で共通であり得る特徴を考慮して、遺伝子的に類似の個体の群に対して、変更され得る。
【０２３３】
あるいは、「候補遺伝子アプローチ」と称される方法が、薬物応答を予測する遺伝子を同定するために、利用され得る。この方法に従って、薬物標的をコードする遺伝子が既知である場合（例えば、本発明のＳＬＩＣ−１タンパク質）、この遺伝子の全ての共通の改変体が、その集団においてかなり容易に同定され得、そして別の遺伝子のバーションに対してある遺伝子のバージョンを有することが、特定の薬物応答に関係する場合、それが決定され得る。
【０２３４】
例示的な実施形態として、薬物代謝酵素の活性は、薬物作用の強度および持続期間の両方の主要な決定因子である。薬物代謝酵素（例えば、Ｎ−アセチルトランスフェラーゼ２（ＮＡＴ２）およびシトクロムＰ４５０酵素ＣＹＰ２Ｄ６およびＣＹＰ２Ｃ１９）の遺伝的多型の発見は、幾人かの患者が予期される薬物効果を得ないか、または標準的かつ安全な用量の薬物を摂取した後に過大な薬物応答および深刻な毒性を示すことに関しての説明を提供した。これらの多型は、集団において２つの表現型（高い代謝能を持つ人（ｅｘｔｅｎｓｉｖｅ　ｍｅｔａｂｏｌｉｚｅｒ）（ＥＭ）および低い代謝能を持つ人（ｐｏｏｒ　ｍｅｔａｂｏｌｉｚｅｒ）（ＰＭ））で表現される。ＰＭの有病率は、異なる集団の間で異なる。例えば、ＣＹＰ２Ｄ６をコードする遺伝子は高度に多型であり、そしていくらかの変異がＰＭにおいて同定されており、この全ては機能的ＣＹＰ２Ｄ６の非存在に至る。ＣＹＰ２Ｄ６およびＣＹＰ２Ｃ１９の低い代謝能を持つ人は、彼らが標準的な用量を受ける場合に、かなり頻繁に過大な薬物応答および副作用を経験する。代謝産物が活性な治療的部分である場合、そのＣＹＰ２Ｄ６形成代謝産物であるモルヒネによって媒介されるコデインの鎮痛効果について実証されるように、ＰＭは治療的応答を示さない。他の極端なものは、標準的な用量に応答しない、いわゆる超迅速な代謝能を持つ人である。最近、超迅速な代謝の基準となる分子は、ＣＹＰ２Ｄ６遺伝子増幅に起因していることが同定されている。
【０２３５】
あるいは、「遺伝子発現プロフィール」と称される方法が、薬物応答を予測する遺伝子を同定するために使用され得る。例えば、薬物（例えば、本発明のＳＬＩＣ−１分子またはＳＬＩＣ−１モジュレーター）を投与された動物の遺伝子発現は、毒性に関係する遺伝子経路が作動されたか否かの指標を与え得る。
【０２３６】
１以上の上記の薬理ゲノム学アプローチから生じた情報は、個体の予防処置または治療処置のための適切な投薬量または処置レジメンを決定するために使用され得る。この知識は、投薬または薬物選択に適用される場合、有害な反応または治療の失敗を回避し得、従って、被検体を、ＳＬＩＣ−１分子またはＳＬＩＣ−１モジュレーター（例えば、本明細書中に記載される例示的なスクリーニングアッセイのうちの１つによって同定されたモジュレーター）で処置する場合に、治療または予防効率を増強する。
【０２３７】
本発明はさらに、以下の実施例によって例示されるが、この実施例は、制限として構成されるべきではない。本明細書を通して引用された全ての参照文献、特許および公開された特許出願、ならびに図面および配列表の内容が、本明細書中で参考として援用される。
【０２３８】
（実施例）
（実施例１　ＰＳＧＬ−１の細胞質ドメインを使用する酵母ツーハイブリッドスクリーニング）
酵母ツーハイブリッドスクリーニング（Ｇｙｕｒｉｓら１９９３，Ｃｅｌｌ　７５：７９１−８０３）を、ヒトＰＳＧＬ−１の細胞質ドメイン（ＰＳＬｃｙｔ）と相互作用するタンパク質を同定するために行った。
【０２３９】
（Ａ．ベイトプラスミドの構築）
ＰＳＧＬ−１の細胞質ドメインを、全長ヒトＰＳＧＬ−１ｃＤＮＡをテンプレートとして使用して、ＰＣＲによって増幅した（Ｓａｋｏら１９９３，Ｃｅｌｌ　７５：１１７９−１１８６）。以下のＰＣＲプライマーを使用し、これは、サブクローニングのためにＥｃｏＲＩおよびＢａｍＨＩ制限部位を導入された：
ＰＳＬＣＹ５　５’−ＡＴＡＣＴＧＡＡＴＴＣＣＧＣＣＴＣＴＣＣＣＧＣＡＡＧＧＧＣＣＡＣＡＴ−３’（配列番号：３）
ＰＳＬＣＹ３　５’−ＡＴＡＣＡＧＧＡＴＣＣＡＧＡＧＴＧＡＧＣＴＡＡＧＧＧＡＧＧＡＡＡＧ−３’（配列番号：４）
ＰＳＧＬ−１の細胞質ドメイン（ＰＳＬｃｙｔ）に対応する２４０ｂｐ産物を、９４℃で１分間、６０℃で１分間、および７２℃で１分間の３０サイクルのＰＣＲ条件下で、増幅した。ＰＣＲ試薬を、Ｐｅｒｋｉｎ　Ｅｌｍｅｒから購入した。
【０２４０】
ベイトプラスミドｐＥＧ２０２を、ＥｃｏＲＩおよびＢａｍＨＩで消化し、仔ウシ腸ホスファターゼ（Ｎｅｗ　Ｅｎｇｌａｎｄ　Ｂｉｏｌａｂｓ）で処理し、そしてフェノール／クロロホルム抽出、次いで、エタノール中での沈降を使用して精製した。ＰＳＬｃｙｔＰＣＲ産物を、ＥｃｏＲＩおよびＢａｍＨＩを用いて消化し、精製し、そしてベイトプラスミドｐＥＧ２０２で連結した。この構築物は、新規な融合タンパク質の発現を可能にし、この融合タンパク質は、ＬｅｘＡ　ＤＮＡ結合タンパク質のカルボキシ末端に融合されたＰＳＧＬ−１の細胞質ドメインからなる。
【０２４１】
ＸＬ１Ｂｌｕｅ　Ｅ．ｃｏｌｉ細菌細胞（Ｓｔｒａｔａｇｅｎｅ）を、Ｇｅｎｅ　Ｐｕｌｓｅｒ（ＢＩＯＲＡＤ）を使用する１ｍｍキュベット（ＢＩＯＲＡＤ）中でのエレクトロポレーションを介して、連結されたプラスミドで形質転換した。プラスミドミニプレップを、ＥｃｏＲＩ／ＢａｍＨＩ制限消化によるインサートについてスクリーニングし、そしてエチジウムブロマイドで染色した１％アガロースゲルでの電気泳動によるフラグメントのサイズ分画についてスクリーニングした。正確なサイズのインサートを含むプラスミドの同定の際に、ＱＩＡＧＥＮ　Ｐｌａｓｍｉｄ　Ｍａｘｉキットを、大規模なプラスミド調製のために使用した。さらに、ＤＮＡ配列分析を、ＰＳＬｃｙｔについて正確な配列を確認するために、実施した。導入されたＤＮＡフラグメントの配列を、ヌクレオチド１０５７〜１２７７にわたるＰＳＧＬ−１の配列を用いて同定した（Ｓａｋｏら１９９３，Ｃｅｌｌ　７５：１１７９−１１８６）。
【０２４２】
（Ｂ．Ｕ９３７ｃＤＮＡライブラリーを用いるインタラクタースクリーニング）
酵母株ＥＧＹ４８−３４を、ＬｅｘＡ−ＰＳＬｃｙｔベイトプラスミドで形質転換し、そして抗ＬｅｘＡ抗体（Ｉｎｖｉｔｒｏｇｅｎ）を用いるウエスタンブロッティングを実施して、ＬｅｘＡ−ＰＳＬｃｙｔ融合タンパク質の発現を確認した。特定のバンドを、約３２ｋＤの期待されたサイズで検出した。
【０２４３】
ＬｅｘＡ−ＰＳＬｃｙｔベイトタンパク質の転写活性を評価するために、ｐＳＨ１８−３４ｌａｃＺレポータープラスミドを有するＥＧＹ４８酵母を、ｐＥＧ２０２−ＰＳＬｃｙｔベイトプラスミドおよびプレイタンパク質のための空のベクターｐＪＧ４−５を用いて形質転換した。形質転換された酵母が、Ｌｅｕ２およびｌａｃＺレポーター遺伝子の非特異的な活性化について試験された場合に、バックグランドレベルが正常であることが見出された。
【０２４４】
ベクターｐＪＧ４−５（プレイ）中のＵ９３７細胞ｃＤＡＮライブラリーの増幅物質を使用して、ＬｅｘＡ−ＰＳＬｃｙｔベイトタンパク質を有するＥＧＹ４８酵母細胞を形質転換した。形質転換のために、酵母培養物を、新しい一晩培養から約０．５のＯＤ６００に増殖させた。この酵母を、滅菌水での洗浄の後に、１．５ｍｌ　１×ＴＥ緩衝液／０．１Ｍ酢酸リチウムに再懸濁した。５０μＬ酵母懸濁液、１μｇライブラリーＤＮＡおよび５０μｇ熱変性キャリアＤＮＡを含む３０の形質転換反応を、実施した。３００μＬの４０％ＰＥＧ４０００中での３０℃で３０分間のインキュベーション後、この反応物を、１０％　ＤＭＳＯの存在下で、４２℃で１０分間、熱ショックした。形質転換反応物を、アミノ酸ウラシル、ヒスチジンおよびトリプトファンを欠く２４３×２４３ｍｍプレート（ＣＭＤ−Ｕ−Ｈ−Ｗ培地、Ｇｅｎｅｔｉｃｓ　Ｉｎｓｔｉｔｕｔｅ）にプレーティングして、ベイトおよびライブラリープラスミドの両方を有する酵母の選択的増殖を可能にした。増殖する酵母をプレートから回収し、そしてグリセロールストックとして−８０℃で保存した。
【０２４５】
酵母グリセロールストックの再プレーティング効率を決定し、そしてインタラクタースクリーニングを、Ｘ−ｇａｌおよびガラクトースを含むが、アミノ酸ウラシル、ヒスチジン、トリプトファンおよびロイシンを欠くプレート（ＣＭＧ／Ｒ−Ｕ−Ｈ−Ｗ−Ｌ＋Ｘ−Ｇａｌ培地、Ｇｅｎｅｔｉｃｓ　Ｉｎｓｔｉｔｕｔｅ）上に、１千万のコロニー形成単位（ＣＦＵ）の酵母をプレーティングすることによって実施した。３〜４晩のインキュベーション後、これらのプレートからのブルーコロニーを選択し、ＣＭＧ／Ｒ−Ｕ−Ｈ−Ｗ−Ｌ＋Ｘ−Ｇａｌマスタープレートに２度再プレーティングした。これらのプレートからの５２の候補コロニーを、４つの異なるテスタープレート（ＣＭＤ−Ｕ−Ｈ−Ｗ＋Ｘ−Ｇａｌ、ＣＭＧ／Ｒ−Ｕ−Ｈ−Ｗ−Ｌ、ＣＭＤ−Ｕ−Ｈ−Ｗ−ＬおよびＣＭＧ／Ｒ−３＋Ｘ−Ｇａｌ）に移動させて、特異的活性化についてさらに試験した。
【０２４６】
Ｌｅｕ２およびｌａｃＺのレポーター遺伝子の特異的活性化を誘導するクローンは、ＣＭＤ−Ｕ−Ｈ−Ｗ＋Ｘ−ＧａｌおよびＣＭＧ／Ｒ−Ｕ−Ｈ−Ｗ−Ｌプレート上で白色コロニーを形成すると期待される。ＣＭＤ−Ｕ−Ｈ−Ｗ−Ｌプレート上では、増殖しないか、弱い増殖しか期待されず、そしてＣＭＧ／Ｒ−３＋Ｘ−Ｇａｌプレート上では、青色のＣＦＵが期待される。４つのテスタープレート上でのプレーティングに続く、各候補クローンの外観が、あまり特異性を示さない他のクローンと比較して、全体的な特異的誘導パターンを示すクローンを選択するために使用された。
【０２４７】
（Ｃ．候補陽性クローンの分析）
インタラクタースクリーニングは、ＰＳＬｃｙｔベイトと特異的に相互作用するようである１１のクローンの同定を生じた。プラスミドＤＮＡを、これらの酵母細胞から抽出し、そしてＫＣ８細菌（ＣＬＯＮＴＥＣＨ）を形質転換するために使用した。アンピシリンの存在下でのＣＡＡ培地上での形質転換された細菌の選択的増殖が、ｐＪＧ４−５ライブラリープラスミド上のアンピシリン耐性遺伝子およびＴＲＰ１遺伝子に起因して観察された。形質転換された細菌からのミニプレップが、ＥｃｏＲＩ／ＸｈｏＩ制限消化によってスクリーニングされて、ＤＮＡ挿入のサイズを決定し、そして可能な新しい制限部位を同定した。酵母ツーハイブリッド系において同定された１１の初期相互作用クローンの各々について、あるＫＣ８クローン由来のプラスミドＤＮＡを、ｃＤＮＡ挿入の部分的ＤＮＡ配列分析に供した。同一の制限消化パターンおよび同一のＤＮＡ配列を有するクローンを、さらなる研究のために、一緒に分類した。４つの異なる群を形成した。適合した制限消化パターンおよびＤＮＡ配列を有するクローンの各群について、１つのクローンを使用して、ベイトタンパク質としてＰＳＬｃｙｔを用いて、酵母を形質転換した。この方法を使用して、ベイト−ライブラリータンパク質（プレイ）相互作用の特異性を、４−テスタープレートアッセイで再試験した。このアッセイにおいて、２つのクローン（２．８．３および８．１．１と称される）が、ＰＳＬｃｙｔベイトタンパク質と特異的に相互作用することが同定された。
【０２４８】
（実施例２　Ｕ９３７細胞ライブラリーからの全長ＳＬＩＣ−１　ｃＤＮＡの単離）
ＳＬＩＣ−１　ｃＤＮＡの全長形態を、従来のライブラリースクリーニング方法によって、細菌ファージのλＺＡＰＩＩランダムプライムＵ９３７細胞ｃＤＮＡライブラリー（Ｇｅｎｉｔｉｃｓ　Ｉｎｓｔｉｔｕｔｅ）からクローニングした。約１×１０６ｐｆｕのライブラリーを、トップアガロースを用いてＮＺＣＹＭプレート上にプレートした。二連のフィルターリフトを、Ｄｕｒａｌｏｓｅ−ＵＶメンブレン（Ｓｔｒａｔａｇｅｎｅ）を使用して行なった。フィルターのプレハイブリダイゼーションおよびハイブリダイゼーションを、６５℃で、５×ＳＳＣ、５×デンハルト溶液、０．１％ＳＤＳおよび５０μｇ／ｍＬキャリアＲＮＡ（ＳＩＧＭＡ）中で行なった。
【０２４９】
ライブラリースクリーニングのためのプローブを作成するために、酵母−２−ハイブリッドスクリーニングから単離された部分的ｃＤＮＡクローン８．１．１を含むｐＪＧ４−５プラスミドを、ＡｐａＩおよびＥｃｏＲＩを用いて連続的に消化した。約０．５ｋｂの得られたフラグメントを、ＱＩＡＸＩＩアガロースゲル抽出キット（ＱＩＡＥＮ）を使用して単離した。この材料を用いるランダムプライミングを、３２Ｐ−ｄＡＴＰおよび３２Ｐ−ＣＴＰ（Ａｍｅｒｓｈａｍ）、６マーランダムプライマー（Ｇｅｎｅｔｉｃｓ　Ｉｎｓｔｉｔｕｔｅ）およびＫｌｅｎｏｗ　Ｌａｒｇｅ　Ｆｒａｇｍｅｎｔ（Ｎｅｗ　Ｅｎｇｌａｎｄ　Ｂｉｏｌａｂｓ）の存在下で、室温で１時間行った。産物をＳｅｐｈａｄｅｘ　Ｇ−５０カラム（Ｐｈａｒｍａｃｉａ）を使用して精製した。フィルターを、３２Ｐ−標識したＥｃｏＲＩ／ＡｐａＩフラグメントプローブを用いてハイブリダイズし、そして０．２×ＳＳＣ／０．１％ＳＤＳ中で４回洗浄した。フィルターのオートラジオグラフを、−８０℃で一晩保存した後、現像した。このオートラジオグラフィー結果に基づいて、１２のポジティブプラークを、さらなる特徴付けのために単離した。これらのファージクローンを、上記のような方法に従って再スクリーニングし、３つのポジティブクローンの選択を得た。
【０２５０】
３つのポジティブクローンのｃＤＮＡインサートを、ＥｘＡｓｓｉｓｔヘルパーファージ（Ｓｔｒａｔａｇｅｎｅ）の存在下で、ＢＢ４−７　Ｅ．ｃｏｌｉおよびＸＬ−１　Ｂｌｕｅ　Ｅ．ｃｏｌｉと共に目的のファージを継続的に同時インキュベートすることによって、ｐＢｌｕｅｓｃｒｉｐｔにサブクローニングした。３つのクローンを、ＥｃｏＲＩ、ＮｏｔＩおよびＢｓｓＨＩ（Ｎｅｗ　Ｅｎｇｌａｎｄ　Ｂｉｏｌａｂｓ）を用いる制限消化、ならびに部分的なＤＮＡ配列決定によってさらに分析した。１つのクローン（クローンＵｒａｎ−５と命名される）は、開始コドンおよび酵母−２−ハイブリッドスクリーニングから本来同定された８．１．１の部分的なｃＤＮＡクローンのものと一致するさらなる５’オープンリーディングフレームを含んだ。クローンＵｒａｎ−５の完全なＤＮＡ配列を決定し、ヒト「ＳＬＩＣ−１」と呼ばれるオープンリーディングフレームを含むことが見出された。
【０２５１】
従って、本発明は、本明細書中でＳＬＩＣ−１といわれる、新規なタンパク質をコードするヒト遺伝子の発見に、少なくとも一部基づいている。ヒトＳＬＩＣ−１タンパク質をコードするヌクレオチド配列は、図１に示され、そして配列番号１として示される。この核酸によってコードされるタンパク質は、約３１６アミノ酸を含み、そして図１に示され配列番号２として示されるアミノ酸配列を有する。ヒトＳＬＩＣ−１のコード領域を含むクローンＵｒａｎ−５は、　で、Ａｍｅｒｉｃａｎ　Ｔｙｐｅ　Ｃｕｌｔｕｒｅ　Ｃｏｌｌｅｃｔｉｏｎ（ＡＴＣＣ（登録商標））、１０８０１　Ｕｎｉｖｅｒｓｉｔｙ　Ｂｏｕｌｅｖａｒｄ，Ｍａｎａｓｓａｓ，ＶＡ２０１１０−２２０９に寄託され、そして登録番号　を割り当てられている。
【０２５２】
（ＳＬＩＣ−１　ｍＲＮＡの組織分布）
ノーザンブロット分析は、ヒトＳＬＩＣ−１　ｍＲＮＡが、造血起源の細胞のみにおいて発現されていることを示す。
【０２５３】
（実施例３　ＣＯＳ細胞中のＳＬＩＣ−１の発現）
この実施例は、ＳＬＩＣ−１　ｃＤＮＡの一過性の発現が、ＣＯＳ細胞に存在したことを記載する。Ｕｒａｎ−５　ｃＤＮＡクローン内に全体のＳＬＩＣ−１コード領域を含む、１．５ｋｂのＳａｌＩ　ＤＮＡフラグメントを、哺乳動物発現ベクターｐＥＤΔＣのポリリンカー領域中のＳａｌＩに連結した。ＤＮＡインサートの存在および正しい配向を確認し、そして得られたプラスミドを、ｐＥＤ．Ｕｒａｎ−５と命名した。
【０２５４】
ＣＯＳ細胞を、１０％熱不活化胎仔ウシ血清（ＳＩＧＭＡ）、グルタミン、およびペニシリン／ストレプトマイシン（Ｇｉｂｃｏ）を有するＤＭＥ中で、約９０％のコンフルーエンシーまで、１０ｃｍの組織培養プレート（Ｃｏｒｎｉｎｇ）中で培養した。ＣＯＳ細胞トランスフェクションを、Ｏｐｔｉ−ＭＥＭ（Ｇｉｂｃｏ）中で室温で４５分間、リポフェクタミン（Ｇｉｂｃｏ）と共にプレ複合体化した、８μｇ／プレートのプラスミドｐＥＣ．Ｕｒａｎ−５を用いて標準インキュベート条件下で行なった。翌日細胞を溶解した。プレートをＰＢＳ−ＣＭＦを用いてリンスし、そして冷溶解緩衝液（２５ｍＭ　Ｔｒｉｓ−ＨＣｌ，ｐＨ８．０，１２５ｍＭ　ＮａＣｌ，１ｍＭ　ＭｇＣｌ２，１％　Ｔｒｉｔｏｎ−Ｘ）中で溶解した。プロテアーゼインヒビター（完全な小さい錠剤、Ｂｏｅｈｒｉｎｇｅｒ　Ｍａｎｎｈｅｉｍ）を、推奨される濃度で、溶解緩衝液中に含んだ。氷上で３０分の溶解後、この溶解物を、冷蔵卓上遠心分離機中で１５分間最大スピードでの遠心分離によって清澄化した。次いで上清を、５分間、２×還元サンプル緩衝液中で沸騰させ、そしてサンプルの種々の容量を、４〜２０％Ｔｒｉｓ−Ｇｌｙｃｉｎｅ　ＳＤＳ　Ｇｅｌｓ（Ｎｏｖｅｘ）上で電気泳動した。サンプルを、ニトロセルロースメンブレン（Ｎｏｖｅｘ）に電気ブロッティングし、そしてウエスタンブロッティングを、ＳＬＩＣ−１の検出のために行なった。
【０２５５】
ニトロセルロースメンブレンを、０．１％Ｔｗｅｅｎ−２０を有するトリス緩衝化生理食塩水（ＴＢＳ）中３％ＢＳＡ（ＳＩＧＭＡ）中で、４℃で一晩ブロックした。このメンブレンを、ＴＢＳ−０．１％Ｔｗｅｅｎ中で７分間洗浄し、次いで親和性精製したウサギ抗ＳＬＩＣ−１ポリクローナル抗体（Ｒｅｓｅａｒｃｈ　Ｇｅｎｅｔｉｃｓ，Ｉｎｃ．）の１：２５００希釈液中で、１時間インキュベートした。これらの抗体を、ＫＬＨに結合体化したアミノ酸配列ＱＥＲＬＥＥＳＱＬＲＲＰＴＰＲを有するポリペプチド抗原でウサギを免疫することによって作製した。このメンブレンを、ＴＢＳ−０．１％Ｔｗｅｅｎ中で３回洗浄し、二次抗体と共にインキュベートしてウサギ免疫グロブリンを検出し、そしてＥＣＬ　Ｗｅｓｔｅｒｎ　Ｂｌｏｔｔｉｎｇ　Ｄｅｔｅｃｔｉｏｎ　Ｓｙｓｔｅｍ（Ａｍｅｒｓｈａｍ）を使用して現像した。擬似トランスフェクションおよび関連していない精製されたポリクローナルウサギＩｇＧ（Ｓｅｒｏｔｅｃ）を使用するウェスタンブロット分析をコントロールとして並行して行なった。この分析の結果を図２に示す。ＳＬＩＣ−１タンパク質は、ＳＤＳ−ＰＡＧＥ分析によって約４５ｋＤの見かけの分子量を示す。
【０２５６】
（実施例４　ＣＯＳ細胞におけるＳＬＩＣ−１のＰＳＧＬ−１との相互作用）
（Ａ．Ｔ７−ＳＬＩＣ−１融合タンパク質構築物の作製）
Ｔ７タンパク質タグとの融合タンパク質としての全長ＳＬＩＣ−１の発現を可能にするＤＮＡ構築物を、以下のようにして作製した。ＳＬＩＣ−１の５’配列について変異プライマーを設計し、ＰＣＲによってベクターｐＥＤ．Ｕｒａｎ−５中の開始コドンの直接上流にＴ７タグを導入する。Ｔ７タグは、アミノ酸配列ＭＡＳＭＴＧＧＱＱＭＧをコードする。ＰＣＲ反応は、ＡｓｃＩ制限部位を越えてＳＬＩＣ−１のＮ末端にわたる、約３８０ｂｐの産物を生成した。ＳａｌＩ部位の５’側およびこのＡｓｃＩ部位を使用して、ｐＥＤ．Ｕｒａｎ−５中のＳＬＩＣ−１の本来のＮ末端をＴ７タグを含むＰＣＲ産物と置換する。得られたベクターは、ｐＥＤ．Ｔ７Ｕｒａｎ−５ベクターと命名され、そしてＳＬＩＣ−１の３１６アミノ酸をコードする。ｐＥＤ．Ｔ７Ｕｒａｎ−５ベクターを使用して、以下のように３つのＳＬＩＣ−１の短縮形態をさらに作製した。ベクターｐＥＤ．Ｔ７Ｕ５ＡＡ２２６は、ＳＬＩＣ−１の最初の２２６アミノ酸をコードし、そしてＮｏｔＩおよびＡｓｃＩを有するｐＥＤ．Ｔ７Ｕｒａｎ−５の制限消化、および転写を終結するための停止コドンをまた含むＮｏｔＩ／ＸｂａＩリンカーを用いるプラスミドの連結によって作製した。同様のアプローチを使用して、ｐＥＤ．Ｔ７ＵＡＡ１６０（ＡｓｃＩおよびＸｂａＩを有するｐＥＤ．Ｔ７Ｕｒａｎ−５の制限消化および適切なリンカーを有する連結によって作製されたＳＬＩＣ−１の１６０アミノ酸の短縮形態）を作製した。ベクターｐＥＤ．Ｔ７Ｕ５ＡＡ８８を、ｐＥＤ．Ｔ７Ｕｒａｎ−５についての本来の５’プライマー、ならびにＳＬＩＣ−１中のアミノ酸残機８８の後に停止コドンおよびさらなるＸｂａＩ部位を導入した新しく命名された３’プライマーを使用するＰＣＲによって作製した。次いで、ｐＥＤ．Ｔ７Ｕｒａｎ−５中のＸｂａＩおよびＳａｌＩ部位を使用して、全長ＳＬＩＣ−１のための配列を、この短縮形態と置換した。
【０２５７】
全てのオリゴヌクレオチドを、Ｇｅｎｅｔｉｃｓ　Ｉｎｓｔｉｔｕｔｅ（Ｏｌｉｇｏｎｕｃｌｅｏｔｉｄｅ　Ｓｙｎｔｅｓｉｓ　Ｇｒｏｕｐ）で作製し、そしてＰＣＲ試薬をＰｅｒｋｉｎ　Ｅｌｍｅｒから購入した。ＰＣＲ反応を、１分間９４℃、１分間４５℃および３分間７２℃でのインキュベーションの２５サイクルの条件（７分間７２℃での最終伸長工程が続く）下で、Ｐｅｒｋｉｎ　Ｅｌｍｅｒ　ＤＮＡ　Ｔｈｅｒｍａｌ　Ｃｙｃｌｅｒ中で行なった。制限消化反応およびライゲーション反応中で使用された試薬は、Ｐｅｒｋｉｎ　ＥｌｍｅｒからのさらなるｄＡＴＰを除いて、Ｎｅｗ　Ｅｎｇｌａｎｄ　Ｂｉｏｌａｂｓから購入した。全てのフラグメントを、アガロースゲルから単離し、そして制限酵素と共にインキュベートした後、ＱＩＡＥＸＩＩキット（ＱＩＡＧＥＮ）を用いて精製した。オリゴヌクレオチドリンカーを、２０ｍＭトリス、ｐＨ８、１ｍＭ　ＭｇＣｌ２および２０ｍＭ　ＮａＣｌ中でアニールした。ライゲーション反応を、１６℃で一晩実行した。プラスミドを、ＨＢ１０１細胞（ＢＩＯ−ＲＡＤ）において増幅し、製造業者の指示に従って、ＱＩＡＧＥＮからのプラスミド精製キットを用いて細菌から単離した。適切な消化酵素を用いる制限消化を行なって、ＤＮＡ構築物の適切な増幅を確認した。
【０２５８】
（Ｂ．ＣＯＳ細胞におけるＳＬＩＣ−１およびＰＳＧＬ−１の一過性過剰発現および抗ＰＳＧＬ−１抗体を使用する免疫共沈降）
ＣＯＳ細胞を、実施例３に記載されるように、ＳＬＩＣ−１のＴ７タグ形態でトランスフェクトした。ベクターｐＭＴ−ＰＬ８５Ａ（Ｇｅｎｅｔｉｃｓ　Ｉｎｓｔｉｔｕｔｅ）は、ヒトＰＳＧＬ−１の全長形態を一過的に過剰発現するサンプルのサブセット中に含まれる。細胞溶解を、２０ｍＭ　Ｔｒｉｓ−ＨＣｌ、ｐＨ７．４、１３７ｍＭ　ＮａＣｌ、０．０５％Ｔｒｉｔｏｎ−Ｘおよびプロテアーゼインヒビターからなる９００μＬ／プレートの溶解緩衝液中で、上記のように実行した（Ｈｉｌｄｔ，ＥおよびＯｅｓｓ，ＳＪ　１９９９　Ｊ．Ｅｘｐ．Ｍｅｄ．１８９（１１）：１７０７−１７１４）。少量の清澄化細胞溶解物を、ウエスタンブロッティングのために使用して、前細胞溶解物中に過剰発現されたタンパク質を検出し、そしてタンパク質含有物の分光光度計測定のために使用した。３００μＬの容量の各溶解物を、２．５μｇのビオチン化モノクローナルマウス抗ＰＳＧＬ−１抗体（抗体２Ｇ３、Ｇｅｎｉｔｉｃｓ　Ｉｎｓｔｉｔｕｔｅ）またはビオチン化コントロール抗体（ＳＩＧＭＡ）のいずれかを用いて、免疫共沈降研究のために使用した。サンプルを、５時間４℃で撹拌し、そして免疫複合体を、１時間同一条件下でストレプトアビジンアガロースビーズ（Ｐｉｅｒｃｅ）を用いて沈殿させた。ＨｉｌｄｔおよびＯｅｓｓ（前出）によるプロトコールに基づいて、このストレプトアビジンアガロースビーズを、０．５Ｍ　ＬｉＣｌ／０．１Ｍ　Ｔｒｉｓ　ＨＣｌ、ｐＨ７．４中で４回、そして０．０１Ｍ　Ｔｒｉｓ　ＨＣｌ、ｐＨ７．４中で２回洗浄した。次いで、このビーズを、５分間、２×還元サンプル緩衝液中で沸騰させ、そして実施例３に記載されるように、サンプルを電気泳動および電気ブロットした。サンプル中のＴ７タグＳＬＩＣ−１タンパク質の存在を、製造業者の指示書に従って、抗Ｔ７西洋ワサビペルオキシダーゼＬｕｍｉＢｌｏｔキット（Ｎｏｖａｇｅｎ）を使用するウェスタンブロットによって検出した。
【０２５９】
結果は、全長ＳＬＩＣ−１およびＳＬＩＣ−１（Ｔ７ＳＬＩＣ−１ＡＡ２２６）のアミノ酸残基１〜２２６を含むポリペプチドは、ＣＯＳ細胞中でＰＳＧＬ−１と免疫共沈降し得るが、アミノ酸残基１〜１６０（Ｔ７ＳＬＩＣ−１ＡＡ１６０）または１〜８８（Ｔ７ＳＬＩＣ−１ＡＡ８８）をそれぞれ含む短縮ＳＬＩＣ−１タンパク質は、ＰＳＧＬ−１との会合に失敗する（図３）。従って、ＳＬＩＣ−１のアミノ酸残基１〜２２６は、ＳＫＩＣ−１とＰＳＧＬ−１との間の相互作用を媒介し得る。
【０２６０】
（実施例５　イントロン／エキソン境界の決定）
この実施例は、ヒトおよびマウスのゲノムＳＬＩＣ−１　ＤＮＡにおけるイントロン　エキソン境界の同定を記載する。図４は、ヒトおよびマウスのＳＬＩＣ−１遺伝子のゲノム構造を示し、これは、ヒトＳＬＩＣ−１　ｃＤＮＡ配列を有するゲノム配列のＢｌａｓｔ分析によって決定された。
【０２６１】
ゲノム登録識別子（Ｘ２ＨＴＢＫＰＱＥＱＮ２３）を有するヒトＳＬＩＣ−１遺伝子配列を、照会としてヒトｃＤＮＡ配列を使用して、ＣｅｌｅｒａＴＭヒトゲノム配列データベースのＢｌａｓｔ検索中で同定した。ｃＤＮＡにおけるヒトイントロンサイズおよびエキソン位置（示されている）を、全長ヒトｃＤＮＡおよび完全なゲノム配列を使用して決定した。使用されたマウスゲノム配列の参照番号は、以下である：エキソン１　ＧＡ　７２０２８９０２、エキソン２　ＧＡ　６６４０３２３７、エキソン３　ＧＡ　７１２６６０５４、およびエキソン４　ＧＡ　７９５４１７８２。
【０２６２】
ＳＬＩＣ−１遺伝子は、両方の種において４つのイントロンから構成される。エキソン−イントロン境界は、ヒトとマウスとの間で保存されてきた。このデータに基づいて、ＳＬＩＣ−１のヒト染色体座位は、第１６染色体であると決定した。
【０２６３】
本明細書中に記載されるように、ＳＬＩＣ−１のヒトｃＤＮＡ配列を考慮して、当業者は、マウスｃＤＮＡおよびゲノム配列ならびにヒトおよびマウスのＳＬＩＣ−１遺伝子の重要な調節配列を決定し得る。
【０２６４】
（等価物）
当業者は、ただの慣例的な実験を使用することによって、本明細書中に記載される本発明の特定の実施形態に対する多数の等価物を認識するかまたは確認し得る。このような等価物は、上記の特許請求の範囲によって包含されることを意図する。
【図面の簡単な説明】
【図１】図１は、ヒトＳＬＩＣ−１のｃＤＮＡ配列および推定アミノ酸配列を示す。このヌクレオチド配列は、配列番号１の核酸１〜９５１に対応する。このアミノ酸配列は、配列番号２のアミノ酸１〜３１６に対応する。
【図２】図２は、ウェスタンブロット分析によって評価されるようにＣＯＳ細胞におけるＳＬＩＣ−１の一過性の過剰発現を示す。
【図３】図３は、ＣＯＳ細胞におけるＰＳＧＬ−１とＴ７ＳＬＩＣ−１の免疫共沈降を示す。
【図４】図４は、ヒトおよびマウスのＳＬＩＣ−１遺伝子のゲノム構造を示す。これらの遺伝子は、ヒトＳＬＩＣ−１ｃＤＮＡ配列を用いたゲノム配列のブラスト分析によって決定された。このＳＬＩＣ−１遺伝子は、両種において４つのエキソンからなり、そしてエキソン−イントロンの境界は、保存されている。ヒトイントロンサイズおよびｃＤＮＡにおけるエキソンの位置（示される）は、全長のヒトｃＤＮＡおよび完全遺伝子配列を使用して決定された。
【図２】
2004507215.tif 000002
【図３】
2004507215.tif 000003
【図４】
2004507215.tif 000004
【国際公開パンフレット】
2004507215.tif 000005
2004507215.tif 000006
2004507215.tif 000007
2004507215.tif 000008
2004507215.tif 000009
2004507215.tif 000010
2004507215.tif 000011
2004507215.tif 000012
2004507215.tif 000013
2004507215.tif 000014
2004507215.tif 000015
2004507215.tif 000016
2004507215.tif 000017
2004507215.tif 000018
2004507215.tif 000019
2004507215.tif 000020
2004507215.tif 000021
2004507215.tif 000022
2004507215.tif 000023
2004507215.tif 000024
2004507215.tif 000025
2004507215.tif 000026
2004507215.tif 000027
2004507215.tif 000028
2004507215.tif 000029
2004507215.tif 000030
2004507215.tif 000031
2004507215.tif 000032
2004507215.tif 000033
2004507215.tif 000034
2004507215.tif 000035
2004507215.tif 000036
2004507215.tif 000037
2004507215.tif 000038
2004507215.tif 000039
2004507215.tif 000040
2004507215.tif 000041
2004507215.tif 000042
2004507215.tif 000043
2004507215.tif 000044
2004507215.tif 000045
2004507215.tif 000046
2004507215.tif 000047
2004507215.tif 000048
2004507215.tif 000049
2004507215.tif 000050
2004507215.tif 000051
2004507215.tif 000052
2004507215.tif 000053
2004507215.tif 000054
2004507215.tif 000055
2004507215.tif 000056
2004507215.tif 000057
2004507215.tif 000058
2004507215.tif 000059
2004507215.tif 000060
2004507215.tif 000061
2004507215.tif 000062
2004507215.tif 000063
2004507215.tif 000064
2004507215.tif 000065
2004507215.tif 000066
2004507215.tif 000067
2004507215.tif 000068
2004507215.tif 000069
2004507215.tif 000070
2004507215.tif 000071
2004507215.tif 000072
2004507215.tif 000073
2004507215.tif 000074
2004507215.tif 000075
2004507215.tif 000076
2004507215.tif 000077
2004507215.tif 000078
2004507215.tif 000079
2004507215.tif 000080
2004507215.tif 000081
2004507215.tif 000082
2004507215.tif 000083
2004507215.tif 000084
2004507215.tif 000085
2004507215.tif 000086
2004507215.tif 000087
2004507215.tif 000088
2004507215.tif 000089
2004507215.tif 000090
2004507215.tif 000091
2004507215.tif 000092
2004507215.tif 000093
2004507215.tif 000094
2004507215.tif 000095
2004507215.tif 000096
2004507215.tif 000097
2004507215.tif 000098
2004507215.tif 000099
2004507215.tif 000100
2004507215.tif 000101
2004507215.tif 000102
2004507215.tif 000103
2004507215.tif 000104
2004507215.tif 000105
2004507215.tif 000106
2004507215.tif 000107
2004507215.tif 000108
2004507215.tif 000109
2004507215.tif 000110
2004507215.tif 000111
2004507215.tif 000112
【国際公開パンフレット（コレクトバージョン）】
2004507215.tif 000113
2004507215.tif 000114
2004507215.tif 000115
2004507215.tif 000116
2004507215.tif 000117
2004507215.tif 000118
2004507215.tif 000119
【国際調査報告】
2004507215.tif 000120
2004507215.tif 000121
2004507215.tif 000122
2004507215.tif 000123
2004507215.tif 000124
2004507215.tif 000125